(57)【要約】  尿中成分の１日排泄量を高精度にしかも手軽に測定することができる尿中１日排泄量測定装置及び方法を提供する。  尿中１日排泄量測定装置（１００）は、就寝前の１日の最後に排泄した尿である就寝直前尿中に含まれる尿中成分の成分量と、就寝を挟んで翌日の起床後最初に排泄した尿である夜間尿中に含まれる尿中成分（塩分）の成分（塩分）量とを測定する尿中成分量算出部（４１１）と、就寝直前尿中成分量及び夜間尿中成分量と、１日の尿中に含まれる尿中成分の総量との相関関係（回帰式）を記憶する回帰式格納部（４１６）と、回帰式格納部（４１６）に格納されている回帰式から、尿中成分量算出部（４１１）において測定された就寝直前尿中成分（塩分）量と夜間尿中成分（塩分）量とを用いて、１日に尿中に排泄される尿中成分の総量を算出する１日尿中排泄量算出部（４１３）とを備える。
2007123245.tif 000002
【特許請求の範囲】
【請求項１】
１日の尿中に排泄される尿中成分の総量を測定する尿中１日排泄量測定方法であって、
所定の期間内に排泄されるスポット尿（一回の排泄で採取される尿）の内、複数回のスポット尿を採取し、採取された複数回のスポット尿を用いて、尿中成分量算出手段が各スポット尿中に含まれる成分量を算出する尿中成分量算出ステップと、
１日尿中排泄量算出手段が、前記期間内の複数回のスポット尿中に含まれる成分量と、１日の尿中に含まれる前記成分の総量である尿中１日排泄量との相関関係を保持し、さらに、前記相関関係と、前記尿中成分量算出手段によって算出された前記複数回の尿中成分量を用いて、前記１日尿中排泄量算出手段が前記尿中１日排泄量を算出する尿中１日排泄量算出ステップと
を含むことを特徴とする尿中１日排泄量測定方法。
【請求項２】
前記尿中１日排泄量算出ステップで、前記１日尿中排泄量算出手段が、前記期間内に採取された２回分のスポット尿中に含まれる成分量を使用し、前記成分の前記尿中１日排泄量を算出する
ことを特徴とする請求項１記載の尿中１日排泄量測定方法。
【請求項３】
前記尿中成分量算出ステップで、前記尿中成分量算出手段が、２４時間内に排泄された前記複数回のスポット尿を用いて、前記各スポット尿中の成分量を算出する
ことを特徴とする請求項２記載の尿中１日排泄量測定方法。
【請求項４】
前記尿中成分量算出ステップで、前記尿中成分量算出手段が、成分センサによって測定されたスポット尿中の成分濃度と、尿量センサによって測定された尿量とを用いて、各スポット尿中に含まれる成分の成分量を算出する
ことを特徴とする請求項３記載の尿中１日排泄量測定方法。
【請求項５】
前記尿中成分量算出ステップで、前記尿中成分量算出手段が、就寝前の最後に排泄及び採取された尿である就寝直前尿と、前記就寝を挟んで起床後最初に排泄及び採取された尿である夜間尿との各スポット尿中の成分量を算出し、
前記尿中１日排泄量算出ステップで、１日尿中排泄量算出手段が、就寝直前尿中成分量及び夜間尿中成分量と、１日の尿中に含まれる前記尿中成分の総量との相関関係から、前記尿中成分量算出手段によって算出された前記就寝直前尿中成分量と、前記尿中成分量算出手段によって算出された前記夜間尿中成分量とを用いて、前記成分の尿中１日排泄量を算出する
ことを特徴とする請求項４記載の尿中１日排泄量測定方法。
【請求項６】
前記尿中１日排泄量測定方法は、更に、
入力部が、前記スポット尿の排泄時刻に関する情報の入力を受け付ける排泄時刻情報受付ステップと、
尿中成分量蓄積手段が、前記尿中成分量算出手段によって算出された各スポット尿中の成分量と、前記入力部によって受け付けられた前記スポット尿の前記排泄時刻情報とを対応付けて蓄積する尿中成分量蓄積ステップと、
前記１日尿中排泄量算出手段が、前記就寝直前尿中成分量と前記夜間尿中成分量とのそれぞれに対応付けられて蓄積されている前記排泄時刻情報に基づいて、前記就寝直前尿の排泄から前記夜間尿の排泄までの時間を８時間に換算して、前記夜間尿中成分量を補正する８時間補正ステップとを含み、
前記尿中１日排泄量算出ステップで、１日尿中排泄量算出手段が、就寝直前尿中成分量及び８時間補正された夜間尿中成分量の和と、１日の尿中に含まれる前記尿中成分の総量との相関関係から、前記尿中成分量算出手段によって算出された前記就寝直前尿中成分量と、前記尿中成分量算出手段によって算出され、前記８時間補正ステップにおいて前記１日尿中排泄量算出手段によって補正された前記夜間尿中成分量とを用いて、前記成分の尿中１日排泄量を算出する
ことを特徴とする請求項５記載の尿中１日排泄量測定方法。
【請求項７】
前記尿中成分量算出ステップで、前記尿中成分量算出手段が、成分センサによって測定された前記スポット尿中の成分濃度と、クレアチニンセンサによって測定された前記スポット尿中のクレアチニン濃度とから、スポット尿中に含まれる前記成分量として前記スポット尿中の前記尿中成分のクレアチニン比を算出し、
前記尿中１日排泄量算出ステップで、前記１日尿中排泄量算出手段が、前記尿中成分量算出手段によって算出された前記尿中成分量であるクレアチニン比と、あらかじめ前記尿中成分量算出手段に保持されているクレアチニン１日排泄量とを用いて、前記成分の尿中１日排泄量を算出する
ことを特徴とする請求項１記載の尿中１日排泄量測定方法。
【請求項８】
前記尿中１日排泄量算出ステップで、前記１日尿中排泄量算出手段が、前記尿中成分量算出手段によって前記期間内に算出された３回以上、１４回以下のスポット尿中の尿中成分量を用いて、尿中１日排泄量を算出する
ことを特徴とする請求項７記載の尿中１日排泄量測定方法。
【請求項９】
前記尿中成分量算出ステップで、前記尿中成分量算出手段が、７日間の間に排泄されたスポット尿の内、採取された３回以上、１４回以下のスポット尿中の尿中成分量を算出する
ことを特徴とする請求項８記載の尿中１日排泄量測定方法。
【請求項１０】
前記尿中成分量算出ステップで、前記尿中成分量算出手段が、前記回数採取されるスポット尿のうち、少なくとも２回は同一の就寝を挟んだ就寝前尿と夜間尿との組み合わせを含むスポット尿中の成分量を算出する
ことを特徴とする請求項９記載の尿中１日排泄量測定方法。
【請求項１１】
前記尿中成分量算出ステップで、前記尿中成分量算出手段が、前記回数採取されるスポット尿が全て夜間尿であるスポット尿中の尿中成分量を算出する
ことを特徴とする請求項９記載の尿中１日排泄量測定方法。
【請求項１２】
前記尿中成分量算出ステップで、前記尿中成分量算出手段が、前記回数採取されるスポット尿が全て就寝前尿であるスポット尿中の尿中成分量を算出する
ことを特徴とする請求項９記載の尿中１日排泄量測定方法。
【請求項１３】
１日の尿中に排泄される尿中成分の総量を測定する尿中１日排泄量測定装置であって、
所定の期間内に排泄されるスポット尿（一回の排泄で採取される尿）の内、複数回のスポット尿を採取し、採取された複数回のスポット尿を用いて、各スポット尿中に含まれる成分量を算出する尿中成分量算出手段と、
前記期間内の複数回のスポット尿中に含まれる成分量と、１日の尿中に含まれる前記成分の総量である尿中１日排泄量との相関関係を保持し、さらに、前記相関関係と、前記尿中成分量算出手段によって算出された前記複数回の尿中成分量を用いて、前記尿中１日排泄量を算出する１日尿中排泄量算出手段と
を備えることを特徴とする尿中１日排泄量測定装置。
【請求項１４】
前記尿中成分算出手段は、
スポット尿中の成分濃度を測定する成分センサと、
スポット尿の尿量を測定する尿量センサとを備え、
前記尿中成分算出手段は、前記成分センサによって測定された前記成分濃度と、前記尿量センサによって測定された前記尿量とから、前記スポット尿中の尿中成分量を算出する
ことを特徴とする請求項１３記載の尿中１日排泄量測定装置。
【請求項１５】
前記尿中成分算出手段は、
スポット尿中の成分濃度を測定する成分センサと、
スポット尿中のクレアチニン濃度を測定するクレアチニンセンサとを備え、
前記尿中成分算出手段は、前記成分センサによって測定された前記成分濃度と、前記クレアチニンセンサによって測定された前記クレアチニン濃度とから、前記スポット尿中の尿中成分量として前記スポット尿中の前記尿中成分のクレアチニン比を算出する
ことを特徴とする請求項１３記載の尿中１日排泄量測定装置。
【請求項１６】
前記尿中１日排泄量測定装置は、さらに、
前記尿中成分量算出手段によって算出された前記複数回のスポット尿中の各成分量または前記１日尿中排泄量算出手段によって算出された前記尿中１日排泄量を表示する表示手段を備える
ことを特徴とする請求項１３記載の尿中１日排泄量測定装置。
【請求項１７】
前記尿中成分量算出手段は、就寝前の最後に排泄及び採取された尿である就寝直前尿と、前記就寝を挟んで起床後最初に排泄及び採取された尿である夜間尿との各スポット尿中の成分量を算出し、
前記尿中１日排泄量測定装置は、さらに、
前記尿中成分量算出手段により算出された前記就寝直前尿中成分量若しくは前記夜間尿中成分量または前記１日尿中排泄量算出手段により算出された前記尿中１日排泄量を表示する表示手段を備える
ことを特徴とする請求項１３記載の尿中１日排泄量測定装置。
【請求項１８】
前記尿中１日排泄量測定装置は、さらに、
前記期間内に前記複数回採取される各スポット尿中の成分量が前記尿中成分量算出手段によって算出されてはじめて、前記１日尿中排泄量算出手段によって算出された尿中１日排泄量を表示する表示手段を備える
ことを特徴とする請求項１３記載の尿中１日排泄量測定装置。
【請求項１９】
前記尿中１日排泄量測定装置は、さらに、
１日に尿中に排泄される前記尿中成分の総量の基準量の入力を受け付ける基準量受付手段と、
前記１日尿中排泄量算出手段によって算出された尿中１日排泄量と前記基準量受付手段によって受け付けられた前記基準量とを比較し、算出された前記尿中１日排泄量が前記基準量を上回るか否かを判断する比較手段と、
前記比較手段によって、前記尿中１日排泄量が前記基準量を上回ると判断されたときにアドバイスを表示する表示手段とを備える
ことを特徴とする請求項１３記載の尿中１日排泄量測定装置。
【請求項２０】
前記尿中１日排泄量測定装置は、さらに、
スポット尿を採取し、前記尿中成分量算出手段によって前記尿中成分の成分量を算出するためのタイミングを使用者に報知する測定報知手段を備える
ことを特徴とする請求項１３記載の尿中１日排泄量測定装置。
【請求項２１】
前記尿中１日排泄量測定装置は、さらに、
少なくとも３日分の前記就寝直前尿中の成分量、前記夜間尿中の成分量およびそれらに対応する前記尿中１日排泄量を蓄積する尿中成分量蓄積手段と、
前記尿中成分量蓄積手段に蓄積されている前記就寝直前尿中成分量及び前記夜間尿中成分量の和と、それらに対応する尿中１日排泄量とから、線形近似により、就寝直前尿中成分量及び夜間尿中成分量の和と尿中１日排泄量との相関関係を算出する相関関係算出手段とを備える
ことを特徴とする請求項１３記載の尿中１日排泄量測定装置。
【請求項２２】
１日の尿中に排泄される尿中成分の総量を測定するためのプログラムであって、コンピュータに、
所定の期間内に排泄されるスポット尿（一回の排泄で採取される尿）の内、複数回のスポット尿を採取し、採取された複数回のスポット尿を用いて、各スポット尿中に含まれる成分量を算出する尿中成分量算出ステップと、前記期間内の複数回のスポット尿中に含まれる成分量と、１日の尿中に含まれる前記成分の総量である尿中１日排泄量との相関関係を保持し、さらに、前記相関関係と、算出された前記複数回の尿中成分量を用いて、前記尿中１日排泄量を算出する尿中１日排泄量算出ステップとを実行させるプログラム。
【発明の詳細な説明】
【技術分野】
【０００１】
本発明は尿中に排泄される尿中成分量を測定し、当該尿中成分が１日に排泄される総量を推定するための装置及び方法に関するものである。
【背景技術】
【０００２】
尿検査は、サンプル採取方法が容易で、非侵襲に検査できる検査法であり、採尿時に疼痛などの侵襲がないことより、長年にわたり広く利用されている。尿中には、塩分、糖、タンパクなど被験者の生活状況や健康状態に応じてその濃度が変動するさまざまな成分が含まれており、このような成分を家庭で簡単に定量できれば健康管理に有用である。例えば、塩分の過剰摂取は高血圧や胃癌の原因とされており、その摂取量の管理が求められているが、摂取する食品中の塩分量をすべて測定し総量を求めるのは煩雑かつ手間がかかるものである。そのため、尿中に排泄される塩分を測定し、１日に摂取する塩分量を管理する方法が提案されている（例えば、特許文献１参照）。図１は、前記特許文献１に記載された従来の塩分摂取量測定装置を示すものである。【０００３】
図１の塩分摂取量測定装置では、センサ部４１により測定された早朝一番尿（起床後第１回目に排泄された尿で、以後「夜間尿」と記す）中の塩分濃度と、入力部４２より入力された夜間尿とから、演算部において使用者の夜間尿中の塩分量が算出される。さらに、塩分摂取量測定装置に予め記憶されている回帰式から１日排泄塩分量が算出され、表示部４３にデジタル表示されるようになっている。【０００４】
図１に示す構成は、夜間尿中の塩分濃度に夜間尿量を掛け合わせて夜間尿塩分量を求め、夜間尿中の塩分量と１日排泄塩分量との相関関係により１日の塩分排泄量を求めるものである（特許文献１参照）。【０００５】
また、時間で補正（前回の排尿時刻からの経過時間を８時間に換算して尿量を補正）した夜間尿から１日尿中排泄量を推定する方法も検討されている（非特許文献１参照）。
【特許文献１】特開２００２−２６７６６２号公報
【非特許文献１】山本耕太郎他、「家庭での塩分、カリウム摂取量測定方法の検討」、日循予防誌、第３９巻、第３号、ｐ．１５７−１６３、２００４年
【発明の開示】
【発明が解決しようとする課題】
【０００６】
しかし、夜間尿は、大部分の人が採取可能であるが、２４時間中に排泄された尿を蓄尿したもの（以下、「２４時間尿」と略称する）との相関が低いという報告がある。夜間尿と２４時間尿との相関が低いのは、（１）夜間の食事の量や食事時間の個人差による影響や、（２）夜間に脳下垂体から分泌される抗利尿ホルモン（ＡＤＨ）の個人差による夜間尿量の違いや、（３）腎機能の個人差によるものと思われる。また、（４）夜間尿中の塩分排泄量は、日中の運動量負荷量の程度により変動しやすいことも理由として考えられる。このような理由から、夜間尿から１日排泄量を推定するには、適切な補正を行わないと正確で再現性の良い値を得られにくいという欠点がある。【０００７】
また、非特許文献１に記載のように、時間で補正（尿量を８時間に換算）した夜間尿から１日尿中排泄量を推定する方法を用いても、その補正が十分でない場合があった。【０００８】
そこで本発明は、前記従来の課題を解決するもので、尿中成分の１日排泄量を高精度に、かつ、手軽に測定することができる尿中１日排泄量測定方法及びそれを用いた測定装置を提供することを目的とする。
【課題を解決するための手段】
【０００９】
前記従来の課題を解決するために、本発明の尿中１日排泄量測定方法は、１日の尿中に排泄される尿中成分の総量を測定する尿中１日排泄量測定方法であって、所定の期間内に排泄されるスポット尿（一回の排泄で採取される尿）の内、複数回のスポット尿を採取し、採取された複数回のスポット尿を用いて、尿中成分量算出手段が各スポット尿中に含まれる成分量を算出する尿中成分量算出ステップと、１日尿中排泄量算出手段が、前記期間内の複数回のスポット尿中に含まれる成分量と、１日の尿中に含まれる前記成分の総量である尿中１日排泄量との相関関係を保持し、さらに、前記相関関係と、前記尿中成分量算出手段によって算出された前記複数回の尿中成分量を用いて、前記１日尿中排泄量算出手段が前記尿中１日排泄量を算出する尿中１日排泄量算出ステップとを含むことを特徴とする。【００１０】
また、本発明の尿中１日排泄量測定装置は、１日の尿中に排泄される尿中成分の総量を測定する尿中１日排泄量測定装置であって、所定の期間内に排泄されるスポット尿（一回の排泄で採取される尿）の内、複数回のスポット尿を採取し、採取された複数回のスポット尿を用いて、各スポット尿中に含まれる成分量を算出する尿中成分量算出手段と、前記期間内の複数回のスポット尿中に含まれる成分量と、１日の尿中に含まれる前記成分の総量である尿中１日排泄量との相関関係を保持し、さらに、前記相関関係と、前記尿中成分量算出手段によって算出された前記複数回の尿中成分量を用いて、前記尿中１日排泄量を算出する１日尿中排泄量算出手段とを備えることを特徴とする。【００１１】
なお、本発明は、装置として実現できるだけでなく、その装置を構成する処理手段をステップとする方法として実現したり、それらステップをコンピュータに実行させるプログラムとして実現したり、そのプログラムを記録したコンピュータ読み取り可能なＣＤ−ＲＯＭなどの記録媒体として実現したり、そのプログラムを示す情報、データ又は信号として実現したりすることもできる。そして、それらプログラム、情報、データ及び信号は、インターネット等の通信ネットワークを介して配信してもよい。
【発明の効果】
【００１２】
本発明の尿中１日排泄量測定方法及び尿中１日排泄量測定装置によれば、尿中成分の１日排泄量を高精度にしかも少ない手間（測定回数など）で手軽に測定することができる。
【図面の簡単な説明】
【００１３】
【図１】図１は、従来の塩分摂取量測定装置を示す図である。
【図２】図２は、本発明の一実施の形態に係る尿中１日排泄量測定装置のハードウェア構成を示す図である。
【図３】図３は、同尿中１日排泄量測定装置の主要部機能ブロック図である。
【図４】図４は、同尿中１日排泄量測定装置の外観および尿中１日排泄量測定装置を用いた尿中成分の測定方法を示す図である。
【図５】図５は、同尿中１日排泄量測定装置の制御ユニットのコントロールパネル部分の外観を示す斜視図である。
【図６】図６は、同尿中１日排泄量測定装置のＣＰＵによって実行される測定制御ルーチンを示すフローチャートである。
【図７】図７は、同尿中１日排泄量測定装置の回帰式格納部に格納される回帰式の例を示すグラフである。
【図８】図８は、本発明の他の実施の形態に係る、夜間尿中塩分量を８時間補正して１日尿中排泄量を算出する尿中１日排泄量測定装置の構成を示すブロック図である。
【図９】図９は、同尿中１日排泄量測定装置のコントロールパネルの外観を示す図である。
【図１０】図１０は、本発明のさらに他の実施の形態に係る、使用者ごとに回帰式を作成する尿中１日排泄量測定装置の構成を示すブロック図である。
【図１１】図１１は、同尿中１日排泄量測定装置が使用者ごとの回帰式を作成する際の処理の流れを示すフローチャートである。
【図１２】図１２は、実施の形態４の尿中１日排泄量測定装置のハードウェア構成を示す図である。
【図１３】図１３は、図１２に示したＣＰＵおよびメモリによって実現される尿中１日排泄量測定装置の主要部機能ブロック図である。
【図１４】図１４は、夜間尿・就寝前尿双方を含む複数回のデータの平均値を用いた場合の、期間差検出数を示すグラフである。
【図１５】図１５は、夜間尿のみの測定で得られた複数回のデータの平均値を用いた場合の、期間差検出数を示すグラフである。
【図１６】図１６は、就寝前尿のみの測定で得られた複数回のデータの平均値を用いた場合の、期間差検出数を示すグラフである。
【符号の説明】
【００１４】
１  ビーカ
２  制御ユニット
３  センサ
４  尿
４１  センサ部
４２  入力部
４３  表示部
１００、２００、３００、４００  尿中１日排泄量測定装置
２０１  接続部
２０２  カーソル左移動ボタン
２０３  カーソル右移動ボタン
２０４  測定開始ボタン
２０５  排泄時刻情報ボタン
２０６  測定結果送信ボタン
２０７  表示部
２１１  ＣＰＵ
２１５  メモリ
２１６  計時部
２１７  送信部
２１８  入力部
２３０  排泄時刻情報ボタン
２４０  結果表示ボタン
２５０  カーソル移動ボタン
２６０  測定報知メニューボタン
３０１  尿量センサ
３０２  塩分センサ
３０３  クレアチニンセンサ
４１１、９１１  尿中成分量算出部
４１３、７１３  １日尿中排泄量算出部
４１５、７１５  尿中成分量蓄積部
４１６、７１６  回帰式格納部
４１７  アドバイス格納部
４１８  平均１日尿中排泄量算出部
７１２  ８時間補正部
７１４  排泄時刻情報判定部
７１７  報知メニュー表示部
７１８  報知時刻テーブル格納部
９１４  回帰式算出部
【発明を実施するための最良の形態】
【００１５】
本発明の尿中１日排泄量測定方法は、１日の尿中に排泄される尿中成分の総量を測定する尿中１日排泄量測定方法であって、所定の期間内に排泄されるスポット尿（一回の排泄で採取される尿）の内、複数回のスポット尿を採取し、採取された複数回のスポット尿を用いて、尿中成分量算出手段が各スポット尿中に含まれる成分量を算出する尿中成分量算出ステップと、１日尿中排泄量算出手段が、前記期間内の複数回のスポット尿中に含まれる成分量と、１日の尿中に含まれる前記成分の総量である尿中１日排泄量との相関関係を保持し、さらに、前記相関関係と、前記尿中成分量算出手段によって算出された前記複数回の尿中成分量を用いて、前記１日尿中排泄量算出手段が前記尿中１日排泄量を算出する尿中１日排泄量算出ステップとを含むことを特徴とする。【００１６】
また、本発明の尿中１日排泄量測定装置は、１日の尿中に排泄される尿中成分の総量を測定する尿中１日排泄量測定装置であって、所定の期間内に排泄されるスポット尿（一回の排泄で採取される尿）の内、複数回のスポット尿を採取し、採取された複数回のスポット尿を用いて、各スポット尿中に含まれる成分量を算出する尿中成分量算出手段と、前記期間内の複数回のスポット尿中に含まれる成分量と、１日の尿中に含まれる前記成分の総量である尿中１日排泄量との相関関係を保持し、さらに、前記相関関係と、前記尿中成分量算出手段によって算出された前記複数回の尿中成分量を用いて、前記尿中１日排泄量を算出する１日尿中排泄量算出手段とを備えることを特徴とする。【００１７】
食事や運動などの活動を行う時間帯と睡眠時間帯とでは尿中成分排泄の生体リズムが異なる。したがって、尿中成分の１日排泄量を推定する場合、この生体リズムを考慮した尿サンプルの選択が必要となる。この尿サンプルの選択は、測定対象物により適宜行われるが、活動を行う時間帯の尿サンプルとして就寝前の１日の最後の尿を、睡眠時間帯の尿サンプルとして夜間尿を用いると、生体リズムを考慮したものになる。それだけではなく、就寝前の１日の最後の尿と夜間尿とは、大部分の人にとって在宅時間帯でありサンプリングが容易であるため、より広く一般に使用できる尿中成分１日排泄量測定方法となる。従って、本発明の尿中１日排泄量測定方法及び尿中１日排泄量測定装置によれば、生体リズムを考慮することにより、高精度にしかも手軽に尿中成分の１日排泄量の測定を行うことができる。【００１８】
また、本発明の尿中１日排泄量測定方法は、前記尿中１日排泄量算出ステップで、前記１日尿中排泄量算出手段が、前記期間内に採取された２回分のスポット尿中に含まれる成分量を使用し、前記成分の前記尿中１日排泄量を算出することが好ましい。【００１９】
本発明の尿中１日排泄量測定方法は、前記尿中成分量算出ステップで、前記尿中成分量算出手段が、２４時間内に排泄された前記複数回のスポット尿を用いて、前記各スポット尿中の成分量を算出することが好ましい。【００２０】
本発明の尿中１日排泄量測定方法は、前記尿中成分量算出ステップで、前記尿中成分量算出手段が、成分センサによって測定されたスポット尿中の成分濃度と、尿量センサによって測定された尿量とを用いて、各スポット尿中に含まれる成分の成分量を算出することが好ましい。【００２１】
本発明の尿中１日排泄量測定方法は、前記尿中成分量算出ステップで、前記尿中成分量算出手段が、就寝前の最後に排泄及び採取された尿である就寝直前尿と、前記就寝を挟んで起床後最初に排泄及び採取された尿である夜間尿との各スポット尿中の成分量を算出し、前記尿中１日排泄量算出ステップで、１日尿中排泄量算出手段が、就寝直前尿中成分量及び夜間尿中成分量と、１日の尿中に含まれる前記尿中成分の総量との相関関係から、前記尿中成分量算出手段によって算出された前記就寝直前尿中成分量と、前記尿中成分量算出手段によって算出された前記夜間尿中成分量とを用いて、前記成分の尿中１日排泄量を算出することが好ましい。これにより、活動を行う時間帯と睡眠時間帯との両方の時間帯に産生された尿サンプルを用いるので、非常に精度の高い尿中１日排泄量の測定を行うことができる。【００２２】
本発明の前記尿中１日排泄量測定方法は、更に、入力部が、前記スポット尿の排泄時刻に関する情報の入力を受け付ける排泄時刻情報受付ステップと、尿中成分量蓄積手段が、前記尿中成分量算出手段によって算出された各スポット尿中の成分量と、前記入力部によって受け付けられた前記スポット尿の前記排泄時刻情報とを対応付けて蓄積する尿中成分量蓄積ステップと、前記１日尿中排泄量算出手段が、前記就寝直前尿中成分量と前記夜間尿中成分量とのそれぞれに対応付けられて蓄積されている前記排泄時刻情報に基づいて、前記就寝直前尿の排泄から前記夜間尿の排泄までの時間を８時間に換算して、前記夜間尿中成分量を補正する８時間補正ステップとを含み、前記尿中１日排泄量算出ステップで、１日尿中排泄量算出手段が、就寝直前尿中成分量及び８時間補正された夜間尿中成分量の和と、１日の尿中に含まれる前記尿中成分の総量との相関関係から、前記尿中成分量算出手段によって算出された前記就寝直前尿中成分量と、前記尿中成分量算出手段によって算出され、前記８時間補正ステップにおいて前記１日尿中排泄量算出手段によって補正された前記夜間尿中成分量とを用いて、前記成分の尿中１日排泄量を算出することが好ましい。このように、夜間尿の８時間補正を行なうことにより、さらに精度の高い尿中１日排泄量の測定を行うことができる。【００２３】
また、本発明の尿中１日排泄量測定方法は、前記尿中成分量算出ステップで、前記尿中成分量算出手段が、成分センサによって測定された前記スポット尿中の成分濃度と、クレアチニンセンサによって測定された前記スポット尿中のクレアチニン濃度とから、スポット尿中に含まれる前記成分量として前記スポット尿中の前記尿中成分のクレアチニン比を算出し、前記尿中１日排泄量算出ステップで、前記１日尿中排泄量算出手段が、前記尿中成分量算出手段によって算出された前記尿中成分量であるクレアチニン比と、あらかじめ前記尿中成分量算出手段に保持されているクレアチニン１日排泄量とを用いて、前記成分の尿中１日排泄量を算出することが好ましい。これにより、使用者はスポット尿の全量を採取する必要がなくなり、使用者の測定時における負担が軽減され、簡便な測定が可能になる。【００２４】
本発明の尿中１日排泄量測定方法は、前記尿中１日排泄量算出ステップで、前記１日尿中排泄量算出手段が、前記尿中成分量算出手段によって前記期間内に算出された３回以上、１４回以下のスポット尿中の尿中成分量を用いて、尿中１日排泄量を算出することが好ましい。このように、３回以上複数回のデータを用いると、ある一定期間内の平均的な尿中成分の１日排泄量を精度良く把握することが可能となる。【００２５】
本発明の尿中１日排泄量測定方法は、前記尿中成分量算出ステップで、前記尿中成分量算出手段が、７日間の間に排泄されたスポット尿の内、採取された３回以上、１４回以下のスポット尿中の尿中成分量を算出することが好ましい。上記の期間が７日を超えると、生活習慣が大きく変わってしまう場合があるため、評価する期間を７日間以内とすることにより、使用者の生活習慣を反映した結果を得ることが可能になる。【００２６】
本発明の尿中１日排泄量測定方法は、前記尿中成分量算出ステップで、前記尿中成分量算出手段が、前記回数採取されるスポット尿のうち、少なくとも２回は同一の就寝を挟んだ就寝前尿と夜間尿との組み合わせを含むスポット尿中の成分量を算出することが好ましい。以上のように、本発明の尿中１日排泄量測定方法によれば、活動する時間帯と睡眠中の時間帯とにおける両方の尿サンプルを用いて尿中１日排泄量を測定するので、両方の生体リズムを考慮して、精度の高い尿中１日排泄量の測定結果を得ることができる。【００２７】
また、本発明の尿中１日排泄量測定方法は、前記尿中成分量算出ステップで、前記尿中成分量算出手段が、前記回数採取されるスポット尿が全て夜間尿であるスポット尿中の尿中成分量を算出することが好ましい。これによれば、夜間尿は起床後の最初の排尿であるので採尿がしやすく、その結果、測定を継続しやすいという効果がある。【００２８】
また、本発明の尿中１日排泄量測定方法は、前記尿中成分量算出ステップで、前記尿中成分量算出手段が、前記回数採取されるスポット尿が全て就寝前尿であるスポット尿中の尿中成分量を算出することが好ましい。使用者が勤務者や主婦の場合、夜間尿の採取時である早朝は忙しく、採取ミスが起こる場合がある。また、家庭での測定を前提とすると、就寝直前の採尿がより実施しやすいという効果がある。【００２９】
さらに、本発明の尿中１日排泄量測定装置は、前記尿中成分算出手段が、スポット尿中の成分濃度を測定する成分センサと、スポット尿の尿量を測定する尿量センサとを備え、前記尿中成分算出手段は、前記成分センサによって測定された前記成分濃度と、前記尿量センサによって測定された前記尿量とから、前記スポット尿中の尿中成分量を算出することが好ましい。【００３０】
本発明の尿中１日排泄量測定装置は、前記尿中成分算出手段は、スポット尿中の成分濃度を測定する成分センサと、スポット尿中のクレアチニン濃度を測定するクレアチニンセンサとを備え、前記尿中成分算出手段は、前記成分センサによって測定された前記成分濃度と、前記クレアチニンセンサによって測定された前記クレアチニン濃度とから、前記スポット尿中の尿中成分量として前記スポット尿中の前記尿中成分のクレアチニン比を算出することが好ましい。【００３１】
本発明の前記尿中１日排泄量測定装置は、さらに、前記尿中成分量算出手段によって算出された前記複数回のスポット尿中の各成分量または前記１日尿中排泄量算出手段によって算出された前記尿中１日排泄量を表示する表示手段を備えることが好ましい。【００３２】
また、本発明の尿中１日排泄量測定装置は、前記尿中成分量算出手段が、就寝前の最後に排泄及び採取された尿である就寝直前尿と、前記就寝を挟んで起床後最初に排泄及び採取された尿である夜間尿との各スポット尿中の成分量を算出し、前記尿中１日排泄量測定装置は、さらに、前記尿中成分量算出手段により算出された前記就寝直前尿中成分量若しくは前記夜間尿中成分量または前記１日尿中排泄量算出手段により算出された前記尿中１日排泄量を表示する表示手段を備えることが好ましい。本構成によって、計測データや解析データを表示することができ、使用者自身の１日排泄量を把握することができる。また、データ入力画面や、計測データや解析データを表示する出力画面、測定指示を表示する指示画面などを表示する形態をとることで、より機能性の高い尿中１日排泄量推定装置を提供することができる。【００３３】
また、本発明の尿中１日排泄量測定装置は、さらに、前記期間内に前記複数回採取される各スポット尿中の成分量が前記尿中成分量算出手段によって算出されてはじめて、前記１日尿中排泄量算出手段によって算出された尿中１日排泄量を表示する表示手段を備えることが好ましい。このような構成とすると、規定の測定回数が終了するまで、測定結果が示されないため、使用者に対してより正確な結果を提示することが可能になる。【００３４】
また、本発明の前記尿中１日排泄量測定装置は、さらに、１日に尿中に排泄される前記尿中成分の総量の基準量の入力を受け付ける基準量受付手段と、前記１日尿中排泄量算出手段によって算出された尿中１日排泄量と前記基準量受付手段によって受け付けられた前記基準量とを比較し、算出された前記尿中１日排泄量が前記基準量を上回るか否かを判断する比較手段と、前記比較手段によって、前記尿中１日排泄量が前記基準量を上回ると判断されたときにアドバイスを表示する表示手段とを備えることが好ましい。本構成により、使用者は自身の１日尿中排泄量を把握することができる。また、自身の１日尿中排泄量が目標値や推奨値等の基準量とどのくらい差があるのかも知ることができ、自己管理に有用である。さらに、健康アドバイスやメッセージは自己管理の励みや正しい健康に対する知識の習得ともなる。【００３５】
本発明の前記尿中１日排泄量測定装置は、さらに、スポット尿を採取し、前記尿中成分量算出手段によって前記尿中成分の成分量を算出するためのタイミングを使用者に報知する測定報知手段を備えることが好ましい。本構成により、上記タイミングとして１日尿中塩分量との相関が高い排泄時刻を設定しておくと、１日尿中塩分量との相関が高い排泄時刻情報での測定が容易になり、より精度の高い１日排泄量の推定につながる。【００３６】
また、本発明の前記尿中１日排泄量測定装置は、さらに、少なくとも３日分の前記就寝直前尿中の成分量、前記夜間尿中の成分量およびそれらに対応する前記尿中１日排泄量を蓄積する尿中成分量蓄積手段と、前記尿中成分量蓄積手段に蓄積されている前記就寝直前尿中成分量及び前記夜間尿中成分量の和と、それらに対応する尿中１日排泄量とから、線形近似により、就寝直前尿中成分量及び夜間尿中成分量の和と尿中１日排泄量との相関関係を算出する相関関係算出手段とを備えることが好ましい。これにより、尿中１日排泄量測定装置は、就寝直前尿中成分量及び夜間尿中成分量の和と１日に尿中に排泄される前記尿中成分の総量との相関関係を表す使用者個別の回帰式を算出することができ、より精度の高い１日排泄量を算出することができる。【００３７】
以下、本発明の実施の形態について、図面を参照しながら詳しく説明する。【００３８】
（実施の形態１）
＜就寝直前尿中塩分量＋夜間尿中塩分量＞
図２は、本実施の形態の尿中１日排泄量測定装置のハードウェア構成を示す図である。尿中１日排泄量測定装置１００は、１回の排尿で排泄された尿の尿量と、その尿中に含まれる尿中成分の量を測定する装置であり、これを用いて就寝前の１日の最後に排泄された尿中に含まれる尿中成分の量である就寝直前尿中成分量と、起床後第１回目に排泄された尿（以後、「夜間尿」と呼ぶ。）に含まれる尿中成分の量である夜間尿中成分量とを測定することにより、１日分（例えば、起床後第１回目の尿排泄時刻からさかのぼった１日分）の尿中に排泄された尿中成分の総量を自動的に算出する装置であって、制御ユニット２とセンサ３とからなる。制御ユニット２は、表示部２０７、ＣＰＵ２１１、メモリ２１５、計時部２１６、送信部２１７、入力部２１８などを備え、これらの各部がバスにより相互に接続されている。センサ３は、尿量センサ３０１と、塩分センサ３０２とを備える。【００３９】
表示部２０７は、液晶ディスプレイで構成されているが、計測データや解析データを表示するものであれば特に限定するものではない。表示部２０７は、データ入力画面や、計測データや解析データを表示する出力画面、測定指示を表示する指示画面などを表示する。具体的には、表示部２０７は、「前記尿中成分量算出手段により算出された前記就寝直前尿中成分量若しくは前記夜間尿中成分量または前記１日尿中排泄量算出手段により算出された前記尿中１日排泄量を表示する表示手段」に相当し、測定された尿量、尿中成分の濃度、尿中成分量、算出された１日尿中排泄量などを表示する。そのほか、表示部２０７は、「前記比較手段によって、前記尿中１日排泄量が前記基準量を上回ると判断されたときにアドバイスを表示する表示手段」に相当し、算出された１日尿中排泄量に基づく健康アドバイスなどを表示する。また、測定に好ましいタイミングを使用者に報知するためのお知らせ画面などを表示する。ＣＰＵ２１１は、制御ユニット２全体の制御を司る。また、ＣＰＵ２１１はＲＯＭに記憶されたプログラムに従い、各センサを用いた尿を測定する処理、測定された尿中塩分濃度と尿量を乗じて尿中塩分量を算出する処理、尿中塩分量からの１日尿中排泄量を推定する処理などの測定データの２次処理を行う。またＣＰＵ２１１は、コントロールパネルに設けられた入力部２１８やタッチパネルなどと信号をやり取りすることで、使用者からの指示を入力したり、表示部２０７に各情報を表示したりする。【００４０】
メモリ２１５は、ＲＡＭ、ＲＯＭ、ＩＣメモリおよびハードディスクなどからなる。メモリ２１５は、例えば、ＲＯＭなどに、就寝直前尿に含まれる尿中成分量と夜間尿に含まれる尿中成分量との和と、１日尿中排泄量との相関関係をあらかじめ記憶している。また、ハードディスクやＩＣメモリなどで実現される読み書き可能な大容量のメモリ２１５には、測定の都度、排泄時刻情報と対応付けられ測定された尿量、尿中成分の濃度および尿中成分量などの測定データが蓄積される。【００４１】
計時部２１６は、タイマなどであり、排泄時刻情報を検出する。【００４２】
送信部２１７は、赤外線通信や携帯電話回線などにより、使用者があらかじめ登録した外部のパソコン、携帯電話機、ＰＤＡなどに測定結果や健康アドバイスなどを送信する。【００４３】
入力部２１８は、制御ユニット２に設けられた各種ボタンや、表示部２０７に設けられたタッチパネルなどである。【００４４】
なお、図示を省略したが、本実施例の尿中１日排泄量測定装置１００は、入出力ポートを備え、入出力ポートに接続された外部のフレキシブルディスクドライブあるいはＩＣメモリドライブを介してフレキシブルディスクやＩＣメモリにデータを入出力することができる。【００４５】
尿量センサ３０１は、センサ３内に吸入された尿の尿量を測定する。具体的には、尿量の測定は、抵抗測定法を用いる。尿採取容器（ビーカ１）に浸漬させたセンサ３内の抵抗体の抵抗が尿量によって変化することを利用して、抵抗と尿量の関係の検量線を作り、抵抗値から尿量を算出する。すなわち、液を蓄積する容器（ビーカ１）の底まで浸漬した抵抗体の抵抗が液量によって変化することを利用して、抵抗と液量との関係の検量線を作成し、抵抗値から尿量を算出する。食塩水で電圧の逆数と液量の間の検量線を作り、尿に適用する。この方法で得られた尿量は天秤で重量測定したものとほぼ同じ値が得られる。【００４６】
塩分センサ３０２は、センサ３内に吸入された尿の尿中塩分濃度を測定する。塩分センサ３０２は、導電率法を用いた電極法により尿中塩分濃度を測定する。導電率の測定は、所定の端子間のインピーダンスを測定することによって実現でき、可動部分が存在しないため構造が簡略で動作信頼性が高い。尿中の導電率は概ねナトリウムの濃度に依存するため、あらかじめ尿中のナトリウム濃度と電気伝導度との相関関係から検量線を求めておき、導電率を測定するための２つの電極を持った安価なセンサでナトリウムの濃度を測定することができる。なお、導電率により塩分濃度を測定する場合、塩分以外のカリウムやマグネシウムなどによる誤差を取り除くために補正を行ってもよい。【００４７】
図３は、図２に示したＣＰＵ２１１およびメモリ２１５によって実現される尿中１日排泄量測定装置１００の主要部機能ブロック図である。同図に示すように、尿中１日排泄量測定装置１００は、尿中成分量算出部４１１、１日尿中排泄量算出部４１３、尿中成分量蓄積部４１５、回帰式格納部４１６およびアドバイス格納部４１７を備える。【００４８】
尿中１日排泄量測定装置１００は、「１日の尿中に排泄される尿中成分の総量を測定する尿中１日排泄量測定装置であって、所定の期間内に排泄されるスポット尿（一回の排泄で採取される尿）の内、複数回のスポット尿を採取し、採取された複数回のスポット尿を用いて、各スポット尿中に含まれる成分量を算出する尿中成分量算出手段と、前記期間内の複数回のスポット尿中に含まれる成分量と、１日の尿中に含まれる前記成分の総量である尿中１日排泄量との相関関係を保持し、さらに、前記相関関係と、前記尿中成分量算出手段によって算出された前記複数回の尿中成分量を用いて、前記尿中１日排泄量を算出する１日尿中排泄量算出手段とを備えることを特徴とする尿中１日排泄量測定装置。」に相当する。これにおいて、尿中成分量算出部４１１は「尿中成分量算出手段」に相当し、回帰式が「相関関係」に相当し、回帰式格納部４１６及び１日尿中排泄量算出部４１３は「１日尿中排泄量算出手段」に相当する。【００４９】
また、尿中１日排泄量測定装置１００は、「さらに、１日に尿中に排泄される前記尿中成分の総量の基準量の入力を受け付ける基準量受付手段と、前記１日尿中排泄量算出手段によって算出された尿中１日排泄量と前記基準量受付手段によって受け付けられた前記基準量とを比較し、算出された前記尿中１日排泄量が前記基準量を上回るか否かを判断する比較手段と、前記比較手段によって、前記尿中１日排泄量が前記基準量を上回ると判断されたときにアドバイスを表示する表示手段とを備えることを特徴とする前記尿中１日排泄量測定装置。」に相当し、入力部２１８が「基準量受付手段」に、１日尿中排泄量算出部４１３が「比較手段」に、アドバイス格納部４１７及び表示部２０７が「表示手段」に、それぞれ相当する。【００５０】
尿中成分量算出部４１１は、尿量センサ３０１から入力される尿量および塩分センサ３０２から入力される塩分濃度とから、尿中に含まれる尿中塩分量を算出する。さらに、尿中成分量算出部４１１は、入力された尿量および塩分濃度と、算出された尿中塩分量とを、計時部２１６から取得された測定時現在時刻と、入力部２１８から入力された排泄時刻情報とに対応付けて尿中成分量蓄積部４１５に蓄積する。【００５１】
１日尿中排泄量算出部４１３は、尿中成分量算出部４１１によって夜間尿中塩分量が算出されると、尿中成分量蓄積部４１５から就寝直前尿に含まれる塩分の量である就寝直前尿中塩分量と、夜間尿に含まれる塩分量である夜間尿中塩分量とを読み出す。次いで、１日尿中排泄量算出部４１３は、回帰式格納部４１６に格納されている回帰式に、読み出した就寝直前尿中塩分量と夜間尿中塩分量との和の値を代入することによって、使用者の１日の尿中に排泄された塩分の１日尿中排泄量を算出する。また、１日尿中排泄量算出部４１３は、算出された１日尿中排泄量の量に対応するアドバイスをアドバイス格納部４１７から読み出して、表示部２０７に表示させる。さらに、１日尿中排泄量算出部４１３は、入力部２１８から入力された指示に従って、算出した１日尿中排泄量やそれに対応するアドバイスなどの情報を送信部２１７に出力する。【００５２】
尿中成分量蓄積部４１５は、排尿の都度、格納される測定時の現在時刻、排泄時刻情報、尿量、塩分濃度、尿中塩分量、１日尿中排泄量および１日尿中塩分排泄量と基準量からの差分などを蓄積する。回帰式格納部４１６は、就寝直前尿中塩分量と夜間尿中塩分量との和と、塩分の１日尿中排泄量との相関関係を表すあらかじめ算出された回帰式を格納している。アドバイス格納部４１７は、塩分の１日尿中排泄量の基準量、または前記基準量からのずれ量に対応してあらかじめ定められた健康アドバイスを格納している。【００５３】
図４は、図２に示した尿中１日排泄量測定装置１００の外観および尿中１日排泄量測定装置を用いた尿中成分の測定方法を示す図である。図５は、図４に示した尿中１日排泄量測定装置１００の制御ユニット２のコントロールパネル部分の外観を示す斜視図である。【００５４】
（尿中１日排泄量測定装置の外観）
図４、図５に示すように、制御ユニット２に対してセンサ３は、接続部２０１で着脱可能に接続されており、消耗してきた場合に取り替えることができるようになっている。接続部２０１には、図示しないセンサ３の突部をはめ込むことができ、接続部２０１の内側にセンサ３と制御ユニット２とを電気的に接続するための端子が配置されている。制御ユニット２は、コントロールパネルにカーソル左移動ボタン２０２、カーソル右移動ボタン２０３、測定開始ボタン２０４、排泄時刻情報ボタン２０５、測定結果送信ボタン２０６、表示部２０７などを備えている。カーソル左移動ボタン２０２およびカーソル右移動ボタン２０３は、例えば、入力画面で複数の選択候補が表示された場合、所望の選択候補を選択するために、カーソルを左方向または右方向に移動するためのボタンである。測定開始ボタン２０４は、センサ３による尿量および尿中成分濃度の測定の開始を指示するためのボタンである。排泄時刻情報ボタン２０５は、使用者が測定の時に、「就寝直前」「起床後第１回目」など就寝行為と関連付けた時刻情報を入力するためのボタンである。すなわち、排泄時刻情報ボタン２０５を押すと、表示部２０７に「就寝直前」「起床後第１回目」「起床後第２回目」などの排泄時刻情報の選択候補が表示される。使用者は、この状態でカーソル右移動ボタン２０３またはカーソル左移動ボタン２０２を用いて、いずれかの選択候補を選択することができる。測定結果送信ボタン２０６は、センサ３の測定結果、算出された１日尿中排泄量、１日尿中排泄量に応じて表示部２０７に表示される健康アドバイスなどを、あらかじめ登録された携帯電話機やパソコンなどに向けて、送信部２１７により送信するためのボタンである。【００５５】
（尿中成分量の測定方法）
次に、この尿中１日排泄量測定装置１００により、随時採取される尿中に排泄される塩分量を測定・解析し、１日尿中塩分排泄量を推定する方法を図２から図６を参照して説明する。【００５６】
まず、使用者が排尿時に、図４に示したような専用の容器（ビーカ１）に尿４を全量採取する。使用者が制御ユニット２のコントロールパネル上の測定開始ボタン２０４を押すと、ＣＰＵ２１１が測定制御ルーチンを開始し、尿の測定が始まる。【００５７】
図６は、図２に示したＣＰＵ２１１によって実行される測定制御ルーチンを示すフローチャートである。【００５８】
測定制御ルーチンが開始されると、ＣＰＵ２１１は計時部２１６により検出した測定開始時刻（測定時の現在時刻）の入力を実施する（ステップ３１１）。このとき、使用者はコントロールパネル上の排泄時刻情報ボタン２０５を押して排泄時刻情報を入力する。【００５９】
次にＣＰＵ２１１は、尿の測定処理を実行する（ステップ３１２）。測定処理はセンサ３に備えられた塩分センサ３０２、尿量センサ３０１によってそれぞれ実施される。本実施例においてはどちらも導電率で測定するため、導電率測定後、塩分濃度と尿量が検出される。ＣＰＵ２１１（図３の尿中成分量算出部４１１）は、塩分濃度と尿量を乗算し、尿中塩分量を算出する。そして、尿中塩分量は排泄時刻情報とともにハードディスク（図３の尿中成分量蓄積部４１５）に記憶される。【００６０】
ＣＰＵ２１１（図３の１日尿中排泄量算出部４１３）はハードディスクに記憶されたデータに基づいて１日尿中塩分排泄量を算出する（ステップ３１３）。さらに、ＣＰＵ２１１（図３の１日尿中排泄量算出部４１３）は、ハードディスク（図３のアドバイス格納部４１７）にあらかじめ記憶された塩分尿中排泄基準量と、算出した１日尿中塩分排泄量とを比較し、基準量からの差分を算出する（ステップ３１４）。基準量はあらかじめ医療機関などにより推奨されている平均値を用いてもよいし、使用者自身の目標値をコントロールパネルから入力させる形態をとってもよい。ここでは、使用者がコントロールパネルのボタン（入力部２１８）を操作することによって基準値を入力するものとする。１日尿中塩分排泄量や基準量との比較結果は計測日時とともにハードディスクに記憶される（ステップ３１５）。【００６１】
そして、尿中塩分量や１日尿中塩分排泄量や基準値との比較結果は、コントロールパネルの表示部２０７に表示される（ステップ３１６）。なお、基準値との比較結果は、使用者が図示しない結果表示ボタンを押すと表示されるようにしてもよい。このとき、ハードディスクに１日尿中塩分排泄量や基準値との比較結果に応じた健康アドバイスを記憶させる形態をとれば、測定結果や比較結果とともに健康アドバイスを合わせてコントロールパネルに表示することができる。健康アドバイスには、使用者の状況に応じて種々のものが考えられるが、塩分摂取過剰による健康への悪影響を伝えるものや、日々の食生活における減塩のコツなどが例として挙げられる。また、基準値や目標値より排泄量が少なかった場合はほめるなどのメッセージを表示したりする形態をとっても良い。【００６２】
本構成により、使用者は自身の１日尿中塩分排泄量を把握することができる。また、自身の塩分摂取量が目標値や推奨値とどのくらい差があるのかも知ることができ、塩分摂取の自己管理に有用である。さらに、健康アドバイスやメッセージは自身の塩分摂取の自己管理の励みや正しい健康に対する知識の習得ともなる。【００６３】
具体的には、使用者は、就寝直前排泄尿を採取し、コントロールパネル上の測定開始ボタン２０４を押すと、ＣＰＵ２１１が測定制御ルーチンを開始し、尿の測定が始まる。さらに使用者はコントロールパネル上の排泄時刻情報ボタン２０５で「就寝直前尿」を選択入力することで、ＣＰＵ２１１（図３の尿中成分量算出部４１１、１日尿中排泄量算出部４１３）は今回の排泄時刻情報が就寝直前尿であることを認識し、解析に利用する。実施の形態１に示した手順でＣＰＵは就寝直前排尿中塩分量を算出し、「就寝直前尿」の排泄時刻情報とともにハードディスク（尿中成分量蓄積部４１５）に記憶させる。【００６４】
そして就寝後、使用者は、起床、排尿する。この起床後第１回目の排泄尿（夜間尿）を就寝前排尿時と同様に採取し、測定開始ボタン２０４を押すと、ＣＰＵ２１１が測定制御ルーチンを開始し、尿の測定が始まる。さらに使用者はコントロールパネル上の排泄時刻情報ボタン２０５を押して「夜間尿」を選択入力することで、ＣＰＵ２１１（図３の尿中成分量算出部４１１、１日尿中排泄量算出部４１３）は今回の排泄時刻情報が夜間尿であることを認識し、解析に利用する。実施の形態１に示した手順でＣＰＵ２１１（尿中成分量算出部４１１）は夜間尿中塩分量を算出し、「夜間尿」の排泄時刻情報とともにハードディスク（尿中成分量蓄積部４１５）に格納する。【００６５】
ハードディスク（回帰式格納部４１６）には個人に応じた「就寝直前尿」と「夜間尿」と１日尿中排泄塩分量との相関関係を表した回帰式が保存されており、ＣＰＵ２１１は就寝前尿中塩分量と夜間尿中塩分量を用いて回帰式から１日尿中排泄塩分量を推定する。【００６６】
図７は、図３に示した回帰式格納部４１６に格納される回帰式の例を示すグラフである。図７のグラフに示されている各点は、以下の表１に示される測定結果をプロットしたものである。図７の横軸はスポット尿中ＮａＣｌ量（ｇ）を示し、縦軸は１日分蓄尿された尿中に含まれる１日排泄ＮａＣｌの量（ｇ）を示している。なお、表１および図７に示されている８時間補正については、後に説明する。【００６７】
【表１】
2007123245.tif 000003
【００６８】
表１は３０代男性が実際に１１日間蓄尿を行い、各排泄尿中の塩分濃度と尿量から尿中ＮａＣｌ量を測定した実験結果をもとに、各測定日ごとに各排泄尿中ＮａＣｌ排泄量（ｇ）と排泄時刻情報とを対応付けて記録した表である。これらのデータに基づいて、就寝直前尿中塩分量と夜間尿中塩分量の和から、数１に示す１日尿中塩分排泄量を導く回帰式を作成した。この回帰式は、図７にプロットされた白抜きひし形の点から最小二乗法で求められ、太い実線で示されている。白抜きひし形の点は、表１の６段目「就寝前＋夜間」の値を横軸に、表１の５段目「１日尿」の値を縦軸にプロットして得られる点である。【００６９】
【数１】
2007123245.tif 000004
【００７０】
回帰式格納部４１６には、例えば、表１のような実測結果から算出された、数１に示すような回帰式が格納されている。１日尿中排泄量算出部４１３は、数１に示す式に、尿中成分量算出部４１１によって算出された就寝直前尿中塩分量と夜間尿中塩分量とを代入して、１日尿中排泄量を算出する。【００７１】
なお、表１の１段目から５段目までは実測によるデータであるが、６段目から８段目までは１段目から５段目までのデータから演算によって求められた値である。例えば、就寝直前尿中塩分量と夜間尿中塩分量との和は、表１の６段目「就寝前＋夜間」に算出されている。この値は、表１の２段目「就寝直前」の値と３段目「夜間尿」の値とを加算して得られたものである。例えば、表１において、測定１日目の就寝直前尿中塩分量は、１．０１ｇであり、同じく測定１日目の夜間尿中塩分量は、３．５３ｇである。これらを加算して得られる値は、表１の６段目の「就寝前＋夜間」の値４．５４ｇとなる。【００７２】
なお、回帰式は、性別、年代ごとに何種類かを回帰式格納部４１６に格納しておくことにしてもよい。この場合、使用者が入力部２１８から自分の性別、年代を入力することによって、１日尿中排泄量算出部４１３が回帰式格納部４１６の中から使用者の性別、年代に当てはまる回帰式を選択するとしても良い。【００７３】
表２は、各排泄尿中塩分排泄量と１日尿中塩分排泄量との相関や、２４時間以内の複数の尿中塩分排泄量の組み合わせと１日尿中塩分排泄量との相関を示す表である。【００７４】
【表２】
2007123245.tif 000005
【００７５】
表２にあるように従来の「夜間尿中塩分量」と「１日尿中排泄塩分量」との相関（Ｒ2＝０．５９０８）より本発明の「就寝直前尿中塩分量と夜間尿中塩分量の和」と「１日尿中排泄塩分量」との相関（Ｒ2＝０．８１０８）のほうが高い。したがって、従来の「夜間尿」のみから推定した１日尿中排泄塩分量より本発明の「就寝直前尿」と「夜間尿」からの推定量のほうが、１日尿中排泄塩分量との相関が高いことがわかる。【００７６】
また、「朝第２尿中塩分量と夜間尿中塩分量の和」と「１日尿中排泄塩分量」との相関（Ｒ2＝０．７５６３）より、「就寝直前尿中塩分量と夜間尿中塩分量の和」と「１日尿中排泄塩分量」との相関（Ｒ2＝０．８１０８）のほうが高いことから、２４時間以内に排泄され、かつ就寝をはさんだ複数の尿から尿中成分の１日排泄量を推定するほうが、直接就寝行為をはさまない複数の尿から推定するより精度が高いことが分かる。【００７７】
（実施の形態２）
＜夜間尿中塩分量に対して８時間補正を行なう＞
図８は、夜間尿中塩分量を８時間補正して１日尿中排泄量を算出する尿中１日排泄量測定装置２００の構成を示すブロック図である。前述の尿中１日排泄量測定装置１００と異なる主要な点は、８時間補正部７１２が夜間尿中塩分量に対して８時間補正を行なうことであり、新たに８時間補正部７１２、１日尿中排泄量算出部７１３、排泄時刻情報判定部７１４、尿中成分量蓄積部７１５、回帰式格納部７１６、報知メニュー表示部７１７および報知時刻テーブル格納部７１８を備えることである。尿中１日排泄量測定装置２００において、報知メニュー表示部７１７および表示部２０７が「スポット尿を採取し、前記尿中成分量算出手段によって前記尿中成分の成分量を算出するためのタイミングを使用者に報知する測定報知手段」に相当する。【００７８】
８時間補正部７１２は、「前記就寝直前尿中成分量と前記夜間尿中成分量とのそれぞれに対応付けられて蓄積されている前記排泄時刻情報に基づいて、前記就寝直前尿の排泄から前記夜間尿の排泄までの時間を８時間に換算して、前記夜間尿中成分量を補正する前記１日尿中排泄量算出手段」に相当し、尿中成分量算出部４１１が算出した尿中塩分量が、夜間尿中の塩分量である場合、算出された夜間尿中塩分量を８時間補正する。具体的には、８時間補正部７１２は、前日の就寝直前尿が測定された時刻から夜間尿が測定された時刻までの時間で夜間尿中塩分量を割ったものに８時間をかけることにより、算出された夜間尿中塩分量を８時間の夜間尿中塩分量に換算する。【００７９】
１日尿中排泄量算出部７１３は、「前記尿中１日排泄量算出ステップで、就寝直前尿中成分量及び８時間補正された夜間尿中成分量の和と、１日の尿中に含まれる前記尿中成分の総量との相関関係から、前記尿中成分量算出手段によって算出された前記就寝直前尿中成分量と、前記尿中成分量算出手段によって算出され、前記８時間補正ステップにおいて前記１日尿中排泄量算出手段によって補正された前記夜間尿中成分量とを用いて、前記成分の尿中１日排泄量を算出する前記１日尿中排泄量算出手段」に相当する。具体的には、回帰式格納部７１６に格納されている、就寝前尿中排泄塩分量及び８時間に補正した夜間尿中排泄塩分量と１日尿中排泄塩分量との相関関係を表す回帰式を用いて、１日尿中排泄塩分量を算出する。ここで用いられる回帰式は、図７のグラフでは、「×」で表された点から最小二乗法で算出された、太線かつ間隔の長い破線で示される。【００８０】
排泄時刻情報判定部７１４は、測定開始時に計時部２１６から取得された測定時現在時刻から、「夜間尿」や「就寝直前尿」などの排泄時刻情報を判定する。【００８１】
尿中成分量蓄積部７１５は、実施の形態１の尿中成分量蓄積部３１５に蓄積されているデータに加えて、８時間補正部７１２によって８時間補正された夜間尿中塩分量を蓄積する。このデータは、表１の４段目「夜間尿（８時間補正）」に相当する。【００８２】
回帰式格納部７１６は、あらかじめ使用者のデータを測定した結果得られる使用者個人に応じた回帰式が格納される。また、この回帰式は、就寝前尿中排泄塩分量及び８時間に補正した夜間尿中排泄塩分量と１日尿中排泄塩分量との相関関係を表した回帰式である。【００８３】
報知メニュー表示部７１７は、使用者がコントロールパネルのボタンなどを操作することによって入力部２１８から測定に適した時刻を報知せよという指示が入力されると、報知時刻テーブル格納部７１８に格納されている報知時刻テーブルから例えば、次の測定に適した測定時刻を調べ、表示部２０７に表示させる。【００８４】
報知時刻テーブル格納部７１８は、測定に適した時刻を示した、あらかじめ作成された報知時刻テーブルを格納する。【００８５】
本実施の形態２が実施の形態１と異なるのは、就寝前尿中排泄塩分量及び８時間に補正した夜間尿中排泄塩分量と１日尿中排泄塩分量との相関関係がハードディスク（図８の回帰式格納部７１６）に記憶されている点である。より具体的には、ハードディスクに使用者により適合した１日尿中排泄塩分量の回帰式が記憶されている点である。【００８６】
使用者は、就寝直前排泄尿を採取し、コントロールパネル上の測定開始ボタン２０４を押すと、ＣＰＵ２１１が測定制御ルーチンを開始し、尿の測定が始まる。測定制御ルーチンが開始されると、ＣＰＵ２１１は計時部２１６により検出した測定時現在時刻の入力を実施する。実施の形態１に示した手順でＣＰＵ２１１は就寝直前排尿中塩分量を算出し、測定時現在時刻とともにハードディスク（尿中成分量蓄積部７１５）に記憶させる。【００８７】
そして就寝後、使用者は、起床、排尿する。この起床後第１回目の排泄尿（以後夜間尿と呼ぶ）を就寝前排尿時と同様に採取し、測定開始ボタン２０４を押すと、ＣＰＵ２１１が測定制御ルーチンを開始し、尿の測定が始まる。測定制御ルーチンが開始されると、ＣＰＵ２１１（図８の排泄時刻情報判定部７１４）は計時部２１６により検出した測定時現在時刻の入力を実施する。ＣＰＵ２１１（排泄時刻情報判定部７１４）は今回の測定時現在時刻と、ハードディスク（尿中成分量蓄積部７１５）に記憶された前回の測定時現在時刻とを比較し、夜間尿であることを認識し、解析に利用する。具体的には、例えば、今回の測定にかかる尿が午前中に排泄されていることと、前回の測定時現在時刻から５時間以上経過していることから判断する。ＣＰＵ２１１（排泄時刻情報判定部７１４）は前回の排泄時刻からの経過時間で夜間尿中塩分量を補正する。【００８８】
（夜間尿中排泄量（ｎ時間補正））＝（（夜間尿中塩分量）÷（前回の排泄時刻からの経過時間））×ｎ時間）【００８９】
本実施の形態では、夜間尿を８時間で補正した場合を例に挙げる。そして、ＣＰＵ２１１（排泄時刻情報判定部７１４）はハードディスク（尿中成分量蓄積部７１５）に保存された前回のデータを、その測定時現在時刻を考慮した上で、就寝直前尿であると認識し、解析に利用する。ハードディスク（回帰式格納部７１６）には個人に応じた「就寝直前尿」と「夜間尿（８時間補正）」と１日尿中排泄塩分量との相関関係を表した回帰式が保存されており、ＣＰＵ２１１（１日尿中排泄量算出部７１３）は就寝前尿中塩分量と夜間尿中塩分量（８時間補正）を用いて回帰式から１日尿中排泄塩分量を推定する。【００９０】
なお、本実施の形態において、排泄時刻情報の判断はＣＰＵ２１１が計時部２１６により検出するものとしたが、使用者が使用したコントロールパネル上の排泄時刻情報ボタンからの情報を合わせて使用してもかまわない。【００９１】
本実施の形態では、実施の形態１と異なり、就寝前尿中排泄塩分量及び８時間に補正した夜間尿中排泄塩分量と１日尿中排泄塩分量との相関関係を表す回帰式を用いた。【００９２】
表３は、３０代男性が実際に１１日間蓄尿を行い、各排尿中の塩分濃度と尿量から尿中塩分量を測定し、その排尿時刻とともに記録した実験を解析したもので、尿中排泄塩分量と１日尿中排泄塩分量との相関を示した表である。【００９３】
【表３】
2007123245.tif 000006
【００９４】
表３にあるように従来の「夜間尿中塩分量（８時間補正）」と「１日尿中排泄塩分量」との相関（Ｒ2＝０．４４５６）より本発明の「就寝直前尿中塩分量と夜間尿中塩分量（８時間補正）の和」と「１日尿中排泄塩分量」との相関（Ｒ2＝０．８７９６）のほうが高い。したがって、従来の「夜間尿（８時間補正）」のみから推定した１日尿中排泄塩分量より本発明の「就寝直前尿」と「夜間尿（８時間補正）」からの推定量のほうが、１日尿中排泄塩分量との相関が高いことがわかる。【００９５】
実施の形態１及び２においては、１１日分のデータを用いて回帰式を構築する例を用いたが、採用日数は特に規定するものではない。塩分摂取量には個人内でも変動があり、また季節変動もあるため、より直近の数日間のデータを用いて回帰式を構築・更新するのが望ましい。さらに、通勤・勤務している日や、休日など、睡眠・食事・運動・活動パターンが似ている日ごとに回帰式を作成してもかまわない。【００９６】
図９は、本実施の形態２の尿中１日排泄量測定装置２００のコントロールパネルの外観を示す図である。本実施の形態の尿中１日排泄量測定装置２００は、測定開始ボタン２０４、表示部２０７、排泄時刻情報ボタン２３０、結果表示ボタン２４０、カーソル移動ボタン２５０および測定報知メニューボタン２６０を備える。排泄時刻情報ボタン２３０は、「就寝直前尿」と「夜間尿」との排泄時刻情報の入力を受け付けるボタンのほか、測定時の現在時刻を使用者が手入力するための時刻ボタンを含む。結果表示ボタン２４０は、使用者に押されることによって、１日尿中排泄量算出部７１３の算出結果である１日尿中排泄塩分量や、それに対応する健康アドバイスなどを表示することを指示する信号を、１日尿中排泄量算出部７１３に出力する。カーソル移動ボタン２５０は、表示部２０７に表示される健康アドバイスなどをスクロールさせたり、複数の選択候補の中から１つを選択するためにカーソルを移動させたりするためのボタンである。測定報知メニューボタン２６０は、１日尿中塩分量との相関が高い排泄時刻情報の尿の計測を促すために、報知メニュー表示部７１７に次の測定に適した排尿時刻の表示を指示するためのボタンである。【００９７】
尿中１日排泄量測定装置２００が実施の形態１の尿中１日排泄量測定装置１００と異なるのは、コントロールパネル上の表示部２０７が大きく設けられ、表示部２０７に測定タイミングを報知する測定報知メニューの表示画面を表示できる点である。この測定報知メニューは１日尿中塩分量との相関が高い排泄時刻情報の尿の計測を促すものであり、本実施例では、食事や運動などの活動を行う時間帯と睡眠時間帯とで尿中塩分排泄の生体リズムが異なることを考慮して、活動を行う時間帯の尿サンプルとして、就寝直前の尿を、睡眠時間帯の尿サンプルとして夜間尿を用いる。したがって、使用者が測定報知メニューを選択すると、１日尿中塩分量との相関が高い排泄時刻情報、つまり、就寝時刻と起床時刻に、アラームを発生させるなどの音による報知や、光による報知などを行うことで、使用者の注意を喚起し、測定を促す。この就寝時刻と起床時刻は使用者が入力するものでもよいし、一般的に就寝・起床すると推定される時間帯を通して報知する形態をとってもかまわない。又、コントロールパネルの待ち受け表示として１日尿中塩分量との相関が高い排泄時刻情報を表示する形態をとってもよい。【００９８】
本構成により、１日尿中塩分量との相関が高い排泄時刻での測定が容易になり、より精度の高い１日排泄量の推定につながる。【００９９】
（実施の形態３）
＜個人別回帰式の作成＞
図１０は、使用者ごとに回帰式を作成する尿中１日排泄量測定装置３００の構成を示すブロック図である。本実施の形態３の尿中１日排泄量測定装置３００は、少なくとも３日分の就寝直前尿中塩分量、８時間補正された夜間尿中塩分量およびそれらの和に対応する１日尿中排泄塩分量を蓄積し、図７に示したグラフのように、最小二乗法により使用者ごとに個別の回帰式を作成する。そして、回帰式が作成された後は、作成された回帰式を用いて、１日尿中排泄塩分量を算出する尿中１日排泄量測定装置である。尿中１日排泄量測定装置３００は、アドバイス格納部４１７、８時間補正部７１２、１日尿中排泄量算出部７１３、尿中成分量蓄積部７１５、回帰式格納部７１６、尿中成分量算出部９１１および回帰式算出部９１４を備える。【０１００】
尿中１日排泄量測定装置３００は、「さらに、少なくとも３日分の前記就寝直前尿中の成分量、前記夜間尿中の成分量およびそれらに対応する前記尿中１日排泄量を蓄積する尿中成分量蓄積手段と、前記尿中成分量蓄積手段に蓄積されている前記就寝直前尿中成分量及び前記夜間尿中成分量の和と、それらに対応する尿中１日排泄量とから、線形近似により、就寝直前尿中成分量及び夜間尿中成分量の和と尿中１日排泄量との相関関係を算出する相関関係算出手段とを備えることを特徴とする前記尿中１日排泄量測定装置。」に相当し、尿中成分量蓄積部７１５が「尿中成分量蓄積手段」に、回帰式が「相関関係」に、回帰式算出部９１４が「相関関係算出手段」にそれぞれ相当する。【０１０１】
尿中１日排泄量測定装置３００では、尿中成分量算出部９１１および回帰式算出部９１４が新たな構成要素であるので、以下に図１１のフローチャートを参照しながら尿中成分量算出部９１１および回帰式算出部９１４の動作について詳しく説明する。図１１は、図１０に示した尿中１日排泄量測定装置３００が使用者ごとの回帰式を作成する際の処理の流れを示すフローチャートである。【０１０２】
使用者は、尿を採取し、入力部２１８であるコントロールパネル上の図示しない回帰式作成ボタンを押すと、ＣＰＵ２１１が回帰式作成ルーチンを開始し、尿の測定が始まる。回帰式作成ルーチンが開始されると、ＣＰＵ２１１（尿中成分量算出部９１１）は計時部２１６により検出した測定時現在時刻の入力を実施する（Ｓ８０１）。また、使用者は「就寝直前尿」「夜間尿」などの排泄時刻情報を入力する。センサ３で尿量および塩分濃度が測定されると（Ｓ８０２）、実施の形態１に示した手順でＣＰＵ２１１（尿中成分量算出部９１１）は尿中塩分量を算出し（Ｓ８０３）、測定時現在時刻および排泄時刻情報とともにハードディスク（尿中成分量蓄積部７１５）に記憶させる（Ｓ８０４）。８時間補正部７１２は、入力された排泄時刻情報が「夜間尿」であるとき、算出された尿中成分量を実施の形態２と同様にして８時間補正し、測定時現在時刻および排泄時刻情報「８時間補正夜間尿」とともにハードディスク（尿中成分量蓄積部７１５）に記憶させる。尿中成分量算出部９１１（および８時間補正部７１２）は、ステップＳ８０１からＳ８０４の処理を繰り返し行い、（Ａ）測定された尿量、塩分濃度、尿中塩分量および８時間補正された夜間尿中塩分量を、１日分、測定時現在時刻および排泄時刻情報に対応付けてハードディスク（尿中成分量蓄積部７１５）に蓄積する（Ｓ８０５）。尿中成分量算出部９１１は、尿中成分量蓄積部７１５に蓄積されている尿中塩分量を１日分合計することによって、１日尿中排泄塩分量を算出し（Ｓ８０６）、算出した１日尿中塩分排泄量と（Ａ）とを１日分の排泄データとして尿中成分量蓄積部７１５に蓄積する（Ｓ８０７）。【０１０３】
尿中成分量算出部９１１および８時間補正部７１２は、ステップＳ８０１からＳ８０７の処理を繰り返し行い、数日間、好ましくは５日間、少なくとも３日間の１日分の排泄データを、測定時現在時刻および排泄時刻情報に対応付けてハードディスク（尿中成分量蓄積部７１５）に蓄積する（Ｓ８０８）。【０１０４】
回帰式算出部９１４は、排泄時刻情報に対応付けて蓄積されている複数の尿中排泄塩分量の組み合わせ（特に、就寝直前尿中塩分量と８時間補正夜間尿中塩分量との和）と、ステップＳ８０６で算出したその日の１日尿中塩分排泄量とを測定日ごとにプロットし、図７に示したようなグラフを作成する（Ｓ８０９）。回帰式算出部９１４は、グラフ上にプロットされた各点から、最小二乗法により回帰式を算出する（Ｓ８１０）。回帰式算出部９１４は、算出された回帰式を回帰式格納部７１６に格納する（Ｓ８１１）。【０１０５】
以上のように、本実施の形態３によれば、使用者が尿中１日排泄量測定装置３００を用いて数日間、１日分の全回数の排尿を測定することによって、使用者の個別の回帰式が自動的に作成される。このため、使用者は病院や保健所などの施設に行って回帰式を作成してもらう必要がなく、自分で個別の回帰式を作成することができる。そしてまた、標準的な性別、年代別の回帰式を用いて１日尿中排泄量を算出する場合に比べて、個別に作成された回帰式を用いて１日尿中排泄量を算出することにより、より正確な１日尿中排泄量を算出することができ、この結果、より適切な健康アドバイスを得ることができるという効果がある。【０１０６】
なお、上記実施の形態では、使用者が１日分の排泄データを蓄積し、蓄積された排泄データ中の尿中塩分量を合算することにより、１日尿中排泄塩分量を算出した。しかし、回帰式の精度は低くなるものの、使用者が１日分の排泄データを蓄積せず、例えば、就寝直前尿中塩分量と８時間補正夜間尿中塩分量とだけを数日間測定することによって、回帰式を作成するとしても良い。この場合、１日尿中排泄塩分量は、性別、年代別に標準的な回帰式を用いて１日尿中排泄量算出部７１３が算出したものを用いる。このようにすれば、使用者は、１日分の全部の排尿を測定する必要がなく、就寝直前排泄尿と夜間尿の２回だけ測定を行えばよく、自分用にカスタマイズされた回帰式を得ることができる。また、測定回数を重ねるごとに回帰式を修正していけば、より使用者個人に合った回帰式を得ることができるという効果がある。【０１０７】
（実施の形態４）
＜尿量のクレアチニン補正＞
一回の採尿で採取される尿であるスポット尿では、水分の摂取や発汗により尿が濃縮あるいは希釈されていることが多いため、濃度による評価では尿中成分の異常を過小あるいは過大に評価してしまう可能性がある。この問題に対する対策として、尿中成分と同時に尿量を測定し１日排泄量を算出する方法と、尿中成分と同時に尿中クレアチニンを測定し、尿中成分／クレアチニン比で評価する方法等がある。尿中成分と同時に尿量を測定し１日排泄量を算出する方法については、すでに上記実施の形態１〜３で説明した。【０１０８】
以下、尿中成分の濃度と同時に尿中クレアチニンの濃度とを測定し、尿中成分／クレアチニン比で評価する方法について、詳しく説明する。クレアチニンは、クレアチンの脱水物で、生物学的活性を持たない。生体内では筋、神経内で、クレアチンリン酸から直接に、またクレアチンの脱水によって生成され、血中に出現し、腎糸球体から濾過された後、ほとんど再吸収されずに尿中に排泄される。クレアチニン産生量は筋肉のクレアチン総量（筋の総量）と比例するため、成人ではその産生量は体重ｋｇ当たりほぼ一定であり、１日尿中クレアチニン排泄量は、食事性因子や尿量などにほとんど影響されず、ショックや出血がない限り個体によりほぼ一定であるとされている。このため、尿中物質排泄量の尿量に伴う補正を行う目的で尿中クレアチニン量測定が行われる。【０１０９】
クレアチニン補正は、尿の濃縮や希釈の影響を補正した尿中成分の評価が可能であるとして、臨床で多用されており、この尿中成分／クレアチニン比に１日尿中クレアチニン排泄量を乗算し、１日尿中成分排泄量を算出することも可能であり、スポット尿中の成分量から１日尿中成分排泄量を推定する方法が検討されている。【０１１０】
１日尿中Ｃｒｅ排泄量は固体内変動が極めて小さく、年齢や体格と高い相関があるといわれている。この点に注目して、田中ら（非特許文献：H Ueshima， et al:A simple method to estimate populational 24-h urinary sodium and potassium excretion using ａ casual urine specimen． Journal of Human Hypertension， 16, 97-103 (2002)）や川崎らは、日本人を対象に、年齢、身長、体重を独立変数、１日尿中Ｃｒｅ排泄量の実測値を従属変数とした重回帰分析を行って１日尿中Ｃｒｅ排泄量の予測式を作成している。田中らの作成した予測式を下に記載する。【０１１１】
１日尿中Ｃｒｅ排泄量予測値（ＰＲＣｒ）＝−２．０４×（年齢）＋１４．８９×（体重（ｋｇ））＋１６．１４×（身長（ｃｍ））−２２４４．５５（ｍｇ／日）【０１１２】
そして田中らや川崎らは、スポット尿中Ｎａ／Ｃｒｅ比に１日尿中Ｃｒｅ排泄量予測値ＰＲＣｒを乗算して１日尿中Ｎａ排泄量予測値ＸＮａを求め、さらに計算で求めた１日尿中Ｎａ排泄量予測値ＸＮａと実測値とを比較して、１日Ｎａ排泄量予測式を作成している。以下に田中らの作成した１日Ｎａ排泄量予測式を記載する。なお、以下の式において、ＳＵはスポット尿を表す。【０１１３】
１日尿中Ｎａ排泄量予測値ＸＮａ＝｛（ＳＵ中Ｎａ濃度）÷（ＳＵ中Ｃｒｅ濃度）｝×（ＰＲＣｒ）
１日尿中Ｎａ排泄量（ｍＥｑ／ｄａｙ）＝２１．９８×ＸＮａ0.392【０１１４】
尿量測定による尿中１日排泄量測定方法を用いる場合は、使用者は一回の排尿時に排泄した全ての尿を採取し、その尿量を測定する必要がある。一方、クレアチニン補正を用いる場合は、尿量測定用のセンサの代わりにクレアチニン濃度測定用のセンサを用いることで、尿量の測定を実施しない。その代わり、スポット尿中のクレアチニン濃度測定を実施し、その結果から１日クレアチニン排泄量を予測し、尿中成分量の補正を行う。そのため、使用者は１回の排尿時に排泄した尿を一部だけ採取すればよく、全ての尿を採取しなければならないという負担がなくなる。この結果、スポット尿中の成分濃度と尿量とから尿中１日排泄量を算出する方法と比べて、より簡便に尿中１日排泄量を算出することが可能となる。従って、実施の形態４の尿中１日排泄量測定装置では、便器やおしり洗浄装置などに設けた採尿装置を用いて尿を採取する方法をとることもできる。【０１１５】
なお、本実施の形態４ではクレアチニン補正方法として、田中らの式を使用したが、これに限定されるものではない。スポット尿中のクレアチニン濃度を用いて、スポット尿中の成分量（または尿中成分のクレアチニン比）からその成分の尿中１日排泄量を算出するための式であれば、これと同様に使用することが可能である。例えば、田中らによれば、年齢、身長、体重を独立変数とした上記予測式を用いたが、性別を独立変数とする予測式を用いるとしてもよい。また、別の方法として、上記のような予測式の代わりに、年齢、身長、体重および性別のいずれかまたはその組み合わせと、それに対応する１日クレアチニン排泄量を示すテーブルを格納しておくとしてもよい。この場合、テーブルから被験者の１日クレアチニン排泄量を読み出して、各スポット尿ごとの尿中成分のクレアチニン比を乗算し、尿中１日排泄量を算出するとしてもよい。【０１１６】
図１２は、実施の形態４の尿中１日排泄量測定装置４００のハードウェア構成を示す図である。実施の形態４の尿中１日排泄量測定装置４００では、センサ３において、実施の形態１における尿量センサの部分をクレアチニンセンサに変更した構成をとっている。すなわち、尿中１日排泄量測定装置４００は、１回の排尿中に含まれるクレアチニン濃度と、その尿中に含まれる尿中成分の濃度とを一定期間内の複数回のスポット尿について測定することにより、その一定期間内の平均的な１日分（例えば、起床後第１回目の尿排泄時刻からさかのぼった１日分）の尿中に排泄された尿中成分の総量を自動的に算出する装置であって、制御ユニット２とセンサ３とからなる。制御ユニット２は、表示部２０７、ＣＰＵ２１１、メモリ２１５、計時部２１６、送信部２１７、入力部２１８などを備え、これらの各部がバスにより相互に接続されている。センサ３は、クレアチニンセンサ３０３と、塩分センサ３０２とを備える。【０１１７】
表示部２０７は、液晶ディスプレイで構成されているが、計測データや解析データを表示するものであれば特に限定するものではない。表示部２０７は、データ入力画面や、計測データや解析データを表示する出力画面、測定指示を表示する指示画面などを表示する。具体的には、表示部２０７は、測定されたクレアチニン濃度、尿中成分の濃度、尿中成分のクレアチニン比で表される尿中成分量、算出された１日尿中排泄量などを表示する。そのほか、表示部２０７は、「前記比較手段によって、前記尿中１日排泄量が前記基準量を上回ると判断されたときにアドバイスを表示する表示手段」に相当し、算出された１日尿中排泄量に基づく健康アドバイスなどを表示する。また、測定に好ましいタイミングを使用者に報知するためのお知らせ画面などを表示する。ＣＰＵ２１１は、制御ユニット２全体の制御を司る。また、ＣＰＵ２１１はＲＯＭに記憶されたプログラムに従い、各センサを用いた尿を測定する処理、測定された尿中塩分濃度と尿中クレアチニン濃度を用いて１日尿中排泄量を推定する処理、複数回のスポット尿測定データから平均１日尿中排泄量を推定する処理などの測定データの２次処理を行う。またＣＰＵ２１１は、コントロールパネルに設けられた入力部２１８やタッチパネルなどと信号をやり取りすることで、使用者からの指示を入力したり、表示部２０７に各情報を表示したりする。【０１１８】
メモリ２１５は、ＲＡＭ、ＲＯＭ、ＩＣメモリおよびハードディスクなどからなる。メモリ２１５は、例えば、ＲＯＭなどに、スポット尿中クレアチニン濃度と、１日尿中排泄量との相関関係をあらかじめ記憶している。また、ハードディスクやＩＣメモリなどで実現される読み書き可能な大容量のメモリ２１５には、測定の都度、排泄時刻情報と対応付けられ測定されたクレアチニン濃度、尿中成分の濃度および尿中成分量などの測定データが蓄積される。【０１１９】
計時部２１６は、タイマなどであり、排泄時刻情報を検出する。【０１２０】
送信部２１７は、赤外線通信や携帯電話回線などにより、使用者があらかじめ登録した外部のパソコン、携帯電話機、ＰＤＡなどに測定結果や健康アドバイスなどを送信する。【０１２１】
入力部２１８は、制御ユニット２に設けられた各種ボタンや、表示部２０７に設けられたタッチパネルなどである。【０１２２】
なお、図示を省略したが、本実施例の尿中１日排泄量測定装置１００は、入出力ポートを備え、入出力ポートに接続された外部のフレキシブルディスクドライブあるいはＩＣメモリドライブを介してフレキシブルディスクやＩＣメモリにデータを入出力することができる。【０１２３】
クレアチニンセンサ３０３は、センサ内に吸引された尿中のクレアチニン濃度を測定する。具体的には、クレアチニンの測定は、酵素法を用いる。センサ内に、クレアチニン測定用酵素であるクレアチニンアミドヒドロラーゼ、クレアチニンアミジノヒドロラーゼ、ザルコシンオキシダーゼと色素をセンサ内に乾燥担持させ、色素の色変化を判定してクレアチニン濃度を測定する（参考文献：特許昭５４−１５１０９５号公報）。【０１２４】
なお、クレアチニンの測定方法は、本実施の形態で使用したクレアチニン測定の酵素法に限定されない。クレアチニンの酵素法による測定方法としては、他にクレアチニンディミナーゼを用いアンモニアを検出する方法（参考：特表２００１−５１２６９２号公報）などがあり、それらの方法を用いてもよいし、その他の方法で簡便に尿中のクレアチニン濃度を測定する方法があればそれを用いてもよく、スポット尿中のクレアチニン濃度が測定可能な構成であればよい。【０１２５】
塩分センサ３０２は、センサ３内に吸入された尿の尿中塩分濃度を測定する。塩分センサ３０２は、導電率法を用いた電極法により尿中塩分濃度を測定する。導電率の測定は、所定の端子間のインピーダンスを測定することによって実現でき、可動部分が存在しないため構造が簡略で動作信頼性が高い。尿中の導電率は概ねナトリウムの濃度に依存するため、あらかじめ尿中のナトリウム濃度と電気伝導度との相関関係から検量線を求めておき、導電率を測定するための２つの電極を持った安価なセンサでナトリウムの濃度を測定することができる。なお、導電率により塩分濃度を測定する場合、塩分以外のカリウムやマグネシウムなどによる誤差を取り除くために補正を行ってもよい。【０１２６】
図１３は、図１２に示したＣＰＵ２１１およびメモリ２１５によって実現される尿中１日排泄量測定装置４００の主要部機能ブロック図である。同図に示すように、尿中１日排泄量測定装置４００は、尿中成分量算出部４１１、平均１日尿中排泄量算出部４１８、尿中成分量蓄積部４１５、回帰式格納部４１６およびアドバイス格納部４１７を備える。【０１２７】
尿中１日排泄量測定装置４００による尿中１日排泄量測定方法は、「前記尿中成分量算出ステップで、前記尿中成分量算出手段が、成分センサによって測定された前記スポット尿中の成分濃度と、クレアチニンセンサによって測定された前記スポット尿中のクレアチニン濃度とから、スポット尿中に含まれる前記成分量として前記スポット尿中の前記尿中成分のクレアチニン比を算出し、前記尿中１日排泄量算出ステップで、前記１日尿中排泄量算出手段が、前記尿中成分量算出手段によって算出された前記尿中成分量であるクレアチニン比と、あらかじめ前記尿中成分量算出手段に保持されているクレアチニン１日排泄量とを用いて、前記成分の尿中１日排泄量を算出することを特徴とする尿中１日排泄量測定方法。」に相当する。これにおいて、尿中成分量算出部４１１は、「成分センサによって測定された前記スポット尿中の成分濃度と、クレアチニンセンサによって測定された前記スポット尿中のクレアチニン濃度とから、スポット尿中に含まれる前記成分量として前記スポット尿中の前記尿中成分のクレアチニン比を算出する前記尿中成分量算出手段」に相当し、平均１日尿中排泄量算出部４１８は「前記尿中成分量算出手段によって算出された前記尿中成分量であるクレアチニン比と、あらかじめ前記尿中成分量算出手段に保持されているクレアチニン１日排泄量とを用いて、前記尿中１日排泄量算出ステップで、前記成分の尿中１日排泄量を算出する前記１日尿中排泄量算出手段」にそれぞれ相当する。【０１２８】
また、尿中１日排泄量測定装置４００による尿中１日排泄量測定方法は、「前記１日尿中排泄量算出手段が、前記尿中成分量算出手段によって前記期間内に算出された３回以上、１４回以下のスポット尿中の尿中成分量を用いて、尿中１日排泄量を算出する尿中１日排泄量測定方法」に相当し、平均１日尿中排泄量算出部４１８が「１日尿中排泄量算出手段」に相当する。【０１２９】
尿中成分量算出部４１１は、クレアチニンセンサ３０３から入力されるクレアチニン濃度および塩分センサ３０２から入力される塩分濃度とから、スポット尿中の塩分量とクレアチニン量との比を算出する。さらに、尿中成分量算出部４１１は、入力されたクレアチニン濃度および塩分濃度と、算出された塩分クレアチニン比とを、計時部２１６から取得された測定時現在時刻と、入力部２１８から入力された排泄時刻情報とに対応付けて尿中成分量蓄積部４１５に蓄積する。【０１３０】
平均１日尿中排泄量算出部４１８は、尿中成分量算出部４１１によってスポット尿中塩分量が算出されると、その測定時刻から１週間以内に測定された直近５回分の塩分のクレアチニン比を尿中成分量蓄積部４１５から読み出す。次いで、平均１日尿中排泄量算出部４１８は、回帰式格納部４１６に格納されている回帰式（田中らによる上記３式）に、読み出した各６回分の塩分量のクレアチニン比を代入し、塩分の１日尿中排泄量を算出する。さらに、平均１日尿中排泄量算出部４１８は、算出された全６回分の測定データ、すなわち、塩分の１日尿中排泄量の平均値を算出することによって、使用者の過去１週間の平均的な１日の尿中に排泄された塩分の平均１日尿中排泄量を算出する。また、平均１日尿中排泄量算出部４１８は、算出された平均１日尿中排泄量の量に対応するアドバイスをアドバイス格納部４１７から読み出して、表示部２０７に表示させる。さらに、１日尿中排泄量算出部４１３は、入力部２１８から入力された指示に従って、算出した１日尿中排泄量やそれに対応するアドバイスなどの情報を送信部２１７に出力する。【０１３１】
尿中成分量蓄積部４１５は、スポット尿の測定の都度、測定時の現在時刻、排泄時刻情報、クレアチニン濃度、塩分濃度などを蓄積する。またスポット尿中の塩分量のクレアチニン比、平均１日尿中排泄量および平均１日尿中塩分排泄量と基準量からの差分などを算出する場合は併せてそれも蓄積する。回帰式格納部４１６は、複数回のスポット尿中塩分量のクレアチニン比と、塩分の平均１日尿中排泄量との相関関係を表すあらかじめ算出された回帰式を格納している。アドバイス格納部４１７は、塩分の平均１日尿中排泄量の基準量、または前記基準量からのずれ量に対応してあらかじめ定められた健康アドバイスを格納している。【０１３２】
（尿中成分量の測定方法）
次に、この尿中１日排泄量測定装置４００により、随時採取される尿中に排泄される塩分量を測定・解析し、１日尿中塩分排泄量を推定する方法を図２から図６を参照して説明する。【０１３３】
まず、使用者が排尿時に、尿を一部採取し、測定装置に装着したセンサ部分を採取した尿に浸す。使用者が制御ユニット２のコントロールパネル上の測定開始ボタン２０４を押すと、ＣＰＵ２１１が測定制御ルーチンを開始し、尿の測定が始まる。【０１３４】
図６は、図２に示したＣＰＵ２１１によって実行される測定制御ルーチンを示すフローチャートである。【０１３５】
測定制御ルーチンが開始されると、ＣＰＵ２１１は計時部２１６により検出した測定開始時刻（測定時の現在時刻）の入力を実施する（ステップ３１１）。このとき、使用者はコントロールパネル上の排泄時刻情報ボタン２０５を押して排泄時刻情報を入力する。【０１３６】
次にＣＰＵ２１１は、尿の測定処理を実行する（ステップ３１２）。測定処理はセンサ３に備えられた塩分センサ３０２、クレアチニンセンサ３０３によってそれぞれ実施される。本実施例においては導電率測定後、塩分濃度が検出され、光学測定を実施後、クレアチニン濃度が検出される。ＣＰＵ２１１（図３の尿中成分量算出部４１１）は、塩分濃度とクレアチニン濃度及びあらかじめ入力されている使用者の年齢、身長、体重の値を使用し田中らが作成した式から１日尿中塩分排泄量を算出する。更に、今回の測定から遡ること、１週間以内に実施した夜間尿および就寝前尿いずれかの測定５回分の１日尿中塩分排泄量の結果と、今回測定した１日尿中塩分排泄量の結果の計６回分のデータの平均値を算出し、平均１日尿中塩分排泄量を算出する。この値は、測定を実施した日時から過去約１週間の平均的な塩分摂取量を表している。【０１３７】
なお、本構成において、測定から遡ること一定期間（この場合は１週間）以内に規定の測定回数（この場合は、計６回）の測定が実施されていない場合は、測定装置の表示部に対し、平均１日摂取量が算出できない旨、またあと何度計測すればよいかを示す目安や、今回の測定を実施したことを評価するコメントなどを表示する構成としている。このようにすると、測定装置の使用者に対して、測定を促す効果が得られ、また、次の生活改善（減塩）を継続させる効果がある。【０１３８】
さらに、ＣＰＵ２１１（図３の１日尿中排泄量算出部４１３）は、ハードディスク（図３のアドバイス格納部４１７）にあらかじめ記憶された塩分尿中排泄基準量と、算出した平均１日尿中塩分排泄量とを比較し、基準量からの差分を算出する（ステップ３１４）。基準量はあらかじめ医療機関などにより推奨されている平均値を用いてもよいし、使用者自身の目標値をコントロールパネルから入力させる形態をとってもよい。ここでは、使用者がコントロールパネルのボタン（入力部２１８）を操作することによって基準値を入力するものとする。１日尿中塩分排泄量や基準量との比較結果は計測日時とともにハードディスクに記憶される（ステップ３１５）。【０１３９】
そして、尿中塩分量や１日尿中塩分排泄量や基準値との比較結果は、コントロールパネルの表示部２０７に表示される（ステップ３１６）。なお、基準値との比較結果は、使用者が図示しない結果表示ボタンを押すと表示されるようにしてもよい。このとき、ハードディスクに平均１日尿中塩分排泄量や基準値との比較結果に応じた健康アドバイスを記憶させる形態をとれば、測定結果や比較結果とともに健康アドバイスを合わせてコントロールパネルに表示することができる。健康アドバイスには、使用者の状況に応じて種々のものが考えられるが、塩分摂取過剰による健康への悪影響を伝えるものや、日々の食生活における減塩のコツなどが例として挙げられる。また、基準値や目標値より排泄量が少なかった場合はほめるなどのメッセージを表示したりする形態をとっても良い。【０１４０】
本構成により、使用者は自身の平均１日尿中塩分排泄量を把握することができる。また、自身の塩分摂取量が目標値や推奨値とどのくらい差があるのかも知ることができ、塩分摂取の自己管理に有用である。さらに、健康アドバイスやメッセージは自身の塩分摂取の自己管理の励みや正しい健康に対する知識の習得ともなる。【０１４１】
本構成では、夜間尿及び／又は就寝前尿のスポット尿の測定回数を、１週間以内で６回とした場合について記載した。【０１４２】
次に、１日塩分の摂取量を一定量制限した際、その塩分摂取量の制限程度を本構成の測定装置を用いて判定できるかどうかについて評価した。以下に、その評価結果を示す。成人男女（８名）について、６日間、１日の塩分量を一定値に規定した食事を摂取し、高塩分量と低塩分量との各期間について、本実施の形態４に記載した測定装置を用いて測定を実施した。測定は、毎日夜間尿、就寝前尿について測定した。塩分摂取量の制限程度を判定できるかどうかについての評価とは、高塩分量摂取期間と低塩分量摂取量期間の差を見分けられるかどうかについてであり、このときの各期間の摂取塩分量の差は、塩分４ｇ／日とした。図１４は、夜間尿・就寝前尿双方を含む複数回のデータの平均値を用いた場合の、期間差検出数を示すグラフである。なお、図１４及び以下の図１５、図１６では、グラフの横軸は週のうちの連続測定回数を示している。期間差検出数は、使用者８名のうち、高塩分摂取期間と低塩分摂取期間それぞれで測定した平均１日尿中排泄量を用いて、その期間の差を検出することができた使用者の人数を示している。その結果、６回以上の測定では、８名中６名以上について塩分摂取量の差を検出している。また、測定回数が４〜５回についても８名中４名と半数について摂取量の差を検出している。【０１４３】
図１５は、夜間尿のみの測定で得られた複数回のデータの平均値を用いた場合の、期間差検出数を示すグラフである。また、夜間尿（朝）のみの測定を用いると、図１５に示すように、４回以上の測定の平均について８名中５名以上の差を検出することができた。また３回の測定の平均についても、８名中４名と、半数について差を検出することができた。図１６は、就寝前尿のみの測定で得られた複数回のデータの平均値を用いた場合の、期間差検出数を示すグラフである。図１６に示すように、就寝前尿（夜）のみの測定について平均値を用いた場合は、４回以上の測定で８名中４名以上が差を検出することができた。【０１４４】
このように、尿中１日排泄量を複数回測定することによって、各期間の平均的な摂取量を把握することができ、また尿中に排泄される成分の摂取量に差がある期間について、本実施の形態に示した測定装置を用いることでその差を精度よく検出することが出来る。【０１４５】
また、上記実施の形態４で説明したように、一定期間（例えば、１週間）内に所定回数（例えば、６回）の測定を完了した後に、尿中１日排泄量測定装置によって測定された塩分の尿中１日排泄量の平均値やアドバイスなどを表示部２０７に表示することによって、より精度の高い測定結果を使用者に提供し、併せて、より適切なアドバイスを提供することができるという効果がある。ここで、表示部２０７は、「前記期間内に前記複数回採取される各スポット尿中の成分量が前記尿中成分量算出手段によって算出されてはじめて、前記１日尿中排泄量算出手段によって算出された尿中１日排泄量を表示する表示手段」に相当する。【０１４６】
以上のように、本実施の形態に示した尿中１日排泄量測定装置によれば、３回以上の複数回のスポット尿測定結果を用いることで、一定期間における平均的な尿中１日排泄量の結果を得ることができ、その結果から摂取量が異なる期間についてその摂取量の差を検出することが可能となる。このことは、生活習慣病の治療、または予防の分野における、減塩指導の際に、その効果判定ツールとして使用することが出来る。【０１４７】
本実施の形態においては、クレアチニン補正を用いたため、尿中成分量の測定に基づく尿中１日排泄量の算出よりも測定精度が下がるものの、測定装置の使用者の利便性は大きく増しており、クレアチニン補正に基づく尿中１日排泄量の算出はより簡便な測定方法であると言える。【０１４８】
なお、尿中成分量測定部としては、尿中に排泄される成分の量を測定できるものであれば特に限定するものではないが、尿量を測定する手段と尿中成分濃度を測定する手段とを組み合わせて尿中に排泄される成分の量を測定する方法が例として挙げられる。【０１４９】
また、上記実施の形態では、尿中成分として尿中塩分を例として説明したが、本発明の尿中１日排泄量測定装置によって１日尿中排泄量を測定できる尿中成分は、尿中塩分量に限られない。使用者の健康状態の変化を検出できる尿中成分としては、タンパク、塩分、尿酸などが例として挙げられる。尿中成分濃度を検出する手段としては、その測定対象物に応じて種々の方法が用いられる。【０１５０】
タンパクは、尿中アルブミンとも言われ、尿中アルブミンの濃度は腎臓の機能を見る指標として用いられ、とくに糖尿病が進行することによって発症する糖尿病性腎症では、初期段階で微量に排泄される微量アルブミンを検出することが早期発見のために重要であるといわれている。アルブミンを検出する手段として種々のものが用いられるが、アルブミンを特異的に結合する抗アルブミン抗体を用いた免疫法や免疫比濁法などが例として挙げられる。【０１５１】
塩分は高血圧や胃癌の要因となることが知られており、これらの病気の予防、治療のためには塩分の摂取量を適切な値にコントロールすることが望まれる。尿中に排泄される塩分は摂取した塩分量とほぼ等しいことから、一日に排泄される塩分量を測定することで、一日の塩分摂取量の目安となる。尿中の塩分を検出する手段としては種々のものが用いられるが、導電率法を用いた電極法や、ナトリウムイオンと選択的に反応する選択電極を用いたもの、また、電量滴定法やイオン選択電極法によるクロライドイオンの検出などが例として挙げられる。【０１５２】
尿酸は痛風などの原因物質として知られており、尿酸は一日の合成量の約８０％弱が尿中に排泄されるといわれている。そのため、尿中の尿酸を測定すれば体内の尿酸値を推定することができ、痛風その他の病気の予防、治療に活用することができる。尿酸を検出する方法としては種々のものが用いられるが、電極法や、ウリカーゼにより分解された後の溶液の色に基づいて尿酸の濃度を検出する方法などが例として挙げられる。【０１５３】
排泄時刻情報とは、尿の排泄が行われた時を限定するものであり、例えば、尿排泄が行われたときの日時、時刻などが例として挙げられる。また、早朝、昼間、深夜、午前、午後といった一日の中の時間的区切りを示すものや、春、夏、秋、冬といった季節、そして食事前、食事後、運動前、運動後、就寝直前、起床後といった生活に関連したもの、また、起床後第１回目、第２回目、・・といった起床してからの排尿回数なども排泄時刻情報の例として挙げられる。【０１５４】
排泄時刻情報の検出は、計時部を持つものであればよく、タイマなどが例に挙げられる。カレンダー機能を持つものにより、計測日時もあわせて検出してもよい。これによると、曜日はもちろん、平日や休日の区別がつき、睡眠・食事・運動・活動など生活パターンが類推できるものとなる。【０１５５】
排泄時刻情報の入力方法の例としては、記憶されたプログラムに従いＣＰＵなどに実行させる方法や、使用者自身が直接入力を行う方法などが挙げられる。尿中成分の排泄には、生体リズムが存在することが知られており、その排泄量は、排尿時刻や活動内容、生活様式、気候などの環境要因に大きく影響を受ける。したがって、尿中排泄量を検討するにあたり、その尿が排泄された時に関する条件が重要となるため、測定された尿中排泄量はその重要な測定条件である排泄時刻情報とともに記憶・解析される。記憶部の種類としては特に限定するものではないが、ハードディスクなどの不揮発性メモリやＣＤ−ＲＯＭ、ＳＤカードといった可動式記録媒体などが例として挙げられる。尿中成分の排泄は個人差が大きいことが知られているが、同一人でも日内変動が大きい。したがって、記憶部に記憶された数日間の測定データを解析することにより、より使用者の健康状態を反映した測定結果を得ることができる。【０１５６】
排泄時刻情報の就寝の前後の判断は、種々のものがあるが、計時部による方法や、「就寝直前」「起床後第１回目」など就寝行為と関連付けた排泄時刻情報ボタンを使用者に入力させる方法などが例として挙げられる。【０１５７】
なお、その他の排泄時刻情報の就寝前後の判断方法として、測定器に対し、就寝時刻情報を入力する方法を用いたがこれに限定されるものではない。例えば、あらかじめ使用者の平均的な睡眠時刻パターン（平均就寝時刻と平均起床時刻）を測定装置に記憶させておき、その睡眠時刻パターンと排泄時刻情報を比較することで、就寝前尿または夜間尿であることを装置内で判断する方法や、使用者の寝具の下に一定加重（一般的な人の体重）をセンシング可能なセンサを設置し、そのセンサに一定時間以上（例えば３０分以上）連続して加重を検知した場合を就寝開始とし、一定時間以上（例えば３０分以上）連続して加重がなくなった場合を起床と判断し、その結果を測定装置に備えられている入出力ポートから有線、または無線で測定装置に送信し、排泄時刻情報と比較することで、排泄時刻が就寝前後であることを把握する方法がある。【０１５８】
この場合、有線での接続方法としては、例えばＵＳＢ接続やＬＡＮ（登録商標）接続などがある。また、無線での接続方法としては、例えば赤外線通信、ブルートゥース（登録商標）通信、無線ＬＡＮなどがある。【０１５９】
また、表示部としては、計測データや解析データを表示するものであれば特に限定するものではないが、液晶ディスプレイを利用したものなどが例として挙げられる。【０１６０】
さらに、使用者の健康状態の変化を検出できる尿中成分には、１日当たりの総排泄量として標準値が与えられているものが多い。例えば、食塩の摂取量は、健康日本２１では１０ｇ未満／日、ＷＨＯでは５ｇ以下が目標とされている。基準量としては、特に限定するものではないが、あらかじめ医療機関などにより推奨されている平均値を用いてもよいし、使用者自身の目標値を直接入力させる形態をとってもよい。比較部としては特に限定するものではないが、記憶されたプログラムに従いＣＰＵなどに実行させる方法や、１日排泄量とともに基準量を表示して使用者自身に判断させる方法などが例として挙げられる。さらに、ハードディスクに１日尿中排泄量や基準値との比較結果に応じた健康アドバイスを記憶させ、１日尿中排泄量や基準値との比較結果に応じて健康アドバイスを抽出し、測定結果や比較結果とともに健康アドバイスを合わせてコントロールパネルに表示する形態をとることもできる。健康アドバイスには、使用者の状況や測定対象物に応じて種々のものが考えられるが、塩分測定の場合、塩分摂取過剰による健康への悪影響を伝えるものや、日々の食生活における減塩のコツなどが例として挙げられる。また、基準値や目標値より排泄量が少なかった場合はほめるなどのメッセージを表示したりする形態をとっても良い。【０１６１】
この測定報知部は、１日尿中排泄量との相関が高い排泄時刻情報の尿の計測を促すものである。報知方法としては特に限定しないが、１日尿中排泄量との相関が高い排泄時刻情報時にアラームを発生させるなどの音による報知や、光による報知などを行うことで、使用者の注意を喚起し、測定を促す方法が例として挙げられる。又、表示部の待ち受け表示として１日尿中排泄量との相関が高い排泄時刻情報を表示する形態をとってもよい。この測定タイミングは使用者が入力するものでもよいし、装置によってあらかじめ記憶された推奨される時間帯を選択するものでもかまわない。【０１６２】
なお、塩分濃度の検出方法は周知の種々の方法が適用可能である。たとえば、ナトリウムイオンと選択的に反応する選択電極を使用したり、炎光光度法を利用したりしてもよい。炎光光度法とは、炎の中に試料としての尿を噴霧し、ナトリウムから発せられる特定の波長の光の強度を測定するものである。また、クロライドイオンの測定により塩分濃度を検出してもかまわない。クロライドイオンの測定は、電量滴定法やイオン選択電極法など周知の種々の方法が適用可能である。【０１６３】
尿量の検出は他の周知の電子的な計量部や圧力センサ、水位センサなどを用いてもよい。又、採尿容器に尿量検出センサを設けてもよい。また、使用者自身が排尿時に計量目盛り付きの容器に尿採取したり、電子的な計量器具により尿量を計測したりすることで検出し、コントロールパネルから直接入力する形態をとってもよい。【０１６４】
液量測定装置としては、光や音波を使用して液面を計る方法、液に浮き子を浮かべて浮き子の位置を測定する方法、槽の底の液圧を計る方法、２電極を液中に浸漬し電気容量の変化を利用する方法、電極を液中に浸漬して液の導電率を測定する方法、抵抗体を液中に浸漬して抵抗体の抵抗を測定する方法などが知られている。また、尿の重量と比重を測定し、重量と比重値から尿量を求めてもよい。【０１６５】
なお、上記実施の形態では、図４のステップＳ３０１で測定開始ボタン２０４が押されると計時部２１６から測定時の現在時刻が取得され、併せて使用者が排泄時刻情報ボタン２０５を押して排泄時刻情報を入力するとしたが、使用者が手動で測定時の現在時刻だけを入力するとしてもよい。また、排泄時刻情報だけを入力するとしてもよい。【０１６６】
なお、ブロック図（図３、図８、図１０、図１３など）の各機能ブロックおよび図２、図１２に示した制御ユニット２は典型的には集積回路であるＬＳＩとして実現される。これらは個別に１チップ化されても良いし、一部又は全てを含むように１チップ化されても良い。例えばメモリ以外の機能ブロックが１チップ化されていても良い。【０１６７】
ここでは、ＬＳＩとしたが、集積度の違いにより、ＩＣ、システムＬＳＩ、スーパーＬＳＩ、ウルトラＬＳＩと呼称されることもある。【０１６８】
また、集積回路化の手法はＬＳＩに限るものではなく、専用回路又は汎用プロセサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用しても良い。【０１６９】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。【０１７０】
また、各機能ブロックのうち、符号化または復号化の対象となるデータを格納する手段だけ１チップ化せずに別構成としても良い。
【産業上の利用可能性】
【０１７１】
本発明にかかる尿中１日排泄量測定装置及び方法は、尿中成分の１日排泄量を高精度にしかも手軽に測定することができ、該尿中成分が１日に排泄される総量を推定するための装置及び方法として有用である。また塩分摂取量の管理などの尿試料を利用した健康管理の用途にも応用できる。
【図１】
2007123245.tif 000007
【図２】
2007123245.tif 000008
【図３】
2007123245.tif 000009
【図４】
2007123245.tif 000010
【図５】
2007123245.tif 000011
【図６】
2007123245.tif 000012
【図７】
2007123245.tif 000013
【図８】
2007123245.tif 000014
【図９】
2007123245.tif 000015
【図１０】
2007123245.tif 000016
【図１１】
2007123245.tif 000017
【図１２】
2007123245.tif 000018
【図１３】
2007123245.tif 000019
【図１４】
2007123245.tif 000020
【図１５】
2007123245.tif 000021
【図１６】
2007123245.tif 000022
【手続補正書】
【提出日】平成20年10月20日(2008.10.20)
【手続補正１】
【補正対象書類名】特許請求の範囲
【補正対象項目名】全文
【補正方法】変更
【補正の内容】
【特許請求の範囲】
【請求項１】
１日の尿中に排泄される尿中成分の総量を測定する尿中１日排泄量測定方法であって、
所定の期間内に排泄されるスポット尿（一回の排泄で採取される尿）の内、複数回のスポット尿を採取し、採取された複数回のスポット尿を用いて、尿中成分量算出手段が各スポット尿中に含まれる成分量を算出する尿中成分量算出ステップと、
１日尿中排泄量算出手段が、前記期間内の複数回のスポット尿中に含まれる成分量と、１日の尿中に含まれる前記成分の総量である尿中１日排泄量との相関関係を保持し、さらに、前記相関関係と、前記尿中成分量算出手段によって算出された前記複数回の尿中成分量を用いて、前記１日尿中排泄量算出手段が前記尿中１日排泄量を算出する尿中１日排泄量算出ステップと
を含むことを特徴とする尿中１日排泄量測定方法。
【請求項２】
前記尿中１日排泄量算出ステップで、前記１日尿中排泄量算出手段が、前記期間内に採取された２回分のスポット尿中に含まれる成分量を使用し、前記成分の前記尿中１日排泄量を算出する
ことを特徴とする請求項１記載の尿中１日排泄量測定方法。
【請求項３】
前記尿中成分量算出ステップで、前記尿中成分量算出手段が、２４時間内に排泄された前記複数回のスポット尿を用いて、前記各スポット尿中の成分量を算出する
ことを特徴とする請求項２記載の尿中１日排泄量測定方法。
【請求項４】
前記尿中成分量算出ステップで、前記尿中成分量算出手段が、成分センサによって測定されたスポット尿中の成分濃度と、尿量センサによって測定された尿量とを用いて、各スポット尿中に含まれる成分の成分量を算出する
ことを特徴とする請求項３記載の尿中１日排泄量測定方法。
【請求項５】
前記尿中成分量算出ステップで、前記尿中成分量算出手段が、就寝前の最後に排泄及び採取された尿である就寝直前尿と、前記就寝を挟んで起床後最初に排泄及び採取された尿である夜間尿との各スポット尿中の成分量を算出し、
前記尿中１日排泄量算出ステップで、１日尿中排泄量算出手段が、就寝直前尿中成分量及び夜間尿中成分量と、１日の尿中に含まれる前記尿中成分の総量との相関関係から、前記尿中成分量算出手段によって算出された前記就寝直前尿中成分量と、前記尿中成分量算出手段によって算出された前記夜間尿中成分量とを用いて、前記成分の尿中１日排泄量を算出する
ことを特徴とする請求項４記載の尿中１日排泄量測定方法。
【請求項６】
前記尿中１日排泄量測定方法は、更に、
入力部が、前記スポット尿の排泄時刻に関する情報の入力を受け付ける排泄時刻情報受付ステップと、
尿中成分量蓄積手段が、前記尿中成分量算出手段によって算出された各スポット尿中の成分量と、前記入力部によって受け付けられた前記スポット尿の前記排泄時刻情報とを対応付けて蓄積する尿中成分量蓄積ステップと、
前記１日尿中排泄量算出手段が、前記就寝直前尿中成分量と前記夜間尿中成分量とのそれぞれに対応付けられて蓄積されている前記排泄時刻情報に基づいて、前記就寝直前尿の排泄から前記夜間尿の排泄までの時間を８時間に換算して、前記夜間尿中成分量を補正する８時間補正ステップとを含み、
前記尿中１日排泄量算出ステップで、１日尿中排泄量算出手段が、就寝直前尿中成分量及び８時間補正された夜間尿中成分量の和と、１日の尿中に含まれる前記尿中成分の総量との相関関係から、前記尿中成分量算出手段によって算出された前記就寝直前尿中成分量と、前記尿中成分量算出手段によって算出され、前記８時間補正ステップにおいて前記１日尿中排泄量算出手段によって補正された前記夜間尿中成分量とを用いて、前記成分の尿中１日排泄量を算出する
ことを特徴とする請求項５記載の尿中１日排泄量測定方法。
【請求項７】
前記尿中成分量算出ステップで、前記尿中成分量算出手段が、成分センサによって測定された前記スポット尿中の成分濃度と、クレアチニンセンサによって測定された前記スポット尿中のクレアチニン濃度とから、スポット尿中に含まれる前記成分量として前記スポット尿中の前記尿中成分のクレアチニン比を算出し、
前記尿中１日排泄量算出ステップで、前記１日尿中排泄量算出手段が、前記尿中成分量算出手段によって算出された前記尿中成分量であるクレアチニン比と、あらかじめ前記尿中成分量算出手段に保持されているクレアチニン１日排泄量とを用いて、前記成分の尿中１日排泄量を算出する
ことを特徴とする請求項１記載の尿中１日排泄量測定方法。
【請求項８】
前記尿中１日排泄量算出ステップで、前記１日尿中排泄量算出手段が、前記尿中成分量算出手段によって前記期間内に算出された３回以上、１４回以下のスポット尿中の尿中成分量を用いて、尿中１日排泄量を算出する
ことを特徴とする請求項７記載の尿中１日排泄量測定方法。
【請求項９】
前記尿中成分量算出ステップで、前記尿中成分量算出手段が、７日間の間に排泄されたスポット尿の内、採取された３回以上、１４回以下のスポット尿中の尿中成分量を算出する
ことを特徴とする請求項８記載の尿中１日排泄量測定方法。
【請求項１０】
前記尿中成分量算出ステップで、前記尿中成分量算出手段が、前記回数採取されるスポット尿のうち、少なくとも２回は同一の就寝を挟んだ就寝前尿と夜間尿との組み合わせを含むスポット尿中の成分量を算出する
ことを特徴とする請求項９記載の尿中１日排泄量測定方法。
【請求項１１】
前記尿中成分量算出ステップで、前記尿中成分量算出手段が、前記回数採取されるスポット尿が全て夜間尿であるスポット尿中の尿中成分量を算出する
ことを特徴とする請求項９記載の尿中１日排泄量測定方法。
【請求項１２】
前記尿中成分量算出ステップで、前記尿中成分量算出手段が、前記回数採取されるスポット尿が全て就寝前尿であるスポット尿中の尿中成分量を算出する
ことを特徴とする請求項９記載の尿中１日排泄量測定方法。
【請求項１３】
１日の尿中に排泄される尿中成分の総量を測定する尿中１日排泄量測定装置であって、
所定の期間内に排泄されるスポット尿（一回の排泄で採取される尿）の内、複数回のスポット尿を採取し、採取された複数回のスポット尿を用いて、各スポット尿中に含まれる成分量を算出する尿中成分量算出手段と、
前記期間内の複数回のスポット尿中に含まれる成分量と、１日の尿中に含まれる前記成分の総量である尿中１日排泄量との相関関係を保持し、さらに、前記相関関係と、前記尿中成分量算出手段によって算出された前記複数回の尿中成分量を用いて、前記尿中１日排泄量を算出する１日尿中排泄量算出手段と
を備えることを特徴とする尿中１日排泄量測定装置。
【請求項１４】
前記尿中成分量算出手段は、
スポット尿中の成分濃度を測定する成分センサと、
スポット尿の尿量を測定する尿量センサとを備え、
前記尿中成分量算出手段は、前記成分センサによって測定された前記成分濃度と、前記尿量センサによって測定された前記尿量とから、前記スポット尿中の尿中成分量を算出する
ことを特徴とする請求項１３記載の尿中１日排泄量測定装置。
【請求項１５】
前記尿中成分量算出手段は、
スポット尿中の成分濃度を測定する成分センサと、
スポット尿中のクレアチニン濃度を測定するクレアチニンセンサとを備え、
前記尿中成分量算出手段は、前記成分センサによって測定された前記成分濃度と、前記クレアチニンセンサによって測定された前記クレアチニン濃度とから、前記スポット尿中の尿中成分量として前記スポット尿中の前記尿中成分のクレアチニン比を算出する
ことを特徴とする請求項１３記載の尿中１日排泄量測定装置。
【請求項１６】
前記尿中１日排泄量測定装置は、さらに、
前記尿中成分量算出手段によって算出された前記複数回のスポット尿中の各成分量または前記１日尿中排泄量算出手段によって算出された前記尿中１日排泄量を表示する表示手段を備える
ことを特徴とする請求項１３記載の尿中１日排泄量測定装置。
【請求項１７】
前記尿中成分量算出手段は、就寝前の最後に排泄及び採取された尿である就寝直前尿と、前記就寝を挟んで起床後最初に排泄及び採取された尿である夜間尿との各スポット尿中の成分量を算出し、
前記尿中１日排泄量測定装置は、さらに、
前記尿中成分量算出手段により算出された前記就寝直前尿中成分量若しくは前記夜間尿中成分量または前記１日尿中排泄量算出手段により算出された前記尿中１日排泄量を表示する表示手段を備える
ことを特徴とする請求項１３記載の尿中１日排泄量測定装置。
【請求項１８】
前記尿中１日排泄量測定装置は、さらに、
前記期間内に前記複数回採取される各スポット尿中の成分量が前記尿中成分量算出手段によって算出されてはじめて、前記１日尿中排泄量算出手段によって算出された尿中１日排泄量を表示する表示手段を備える
ことを特徴とする請求項１３記載の尿中１日排泄量測定装置。
【請求項１９】
前記尿中１日排泄量測定装置は、さらに、
１日に尿中に排泄される前記尿中成分の総量の基準量の入力を受け付ける基準量受付手段と、
前記１日尿中排泄量算出手段によって算出された尿中１日排泄量と前記基準量受付手段によって受け付けられた前記基準量とを比較し、算出された前記尿中１日排泄量が前記基準量を上回るか否かを判断する比較手段と、
前記比較手段によって、前記尿中１日排泄量が前記基準量を上回ると判断されたときにアドバイスを表示する表示手段とを備える
ことを特徴とする請求項１３記載の尿中１日排泄量測定装置。
【請求項２０】
前記尿中１日排泄量測定装置は、さらに、
スポット尿を採取し、前記尿中成分量算出手段によって前記尿中成分の成分量を算出するためのタイミングを使用者に報知する測定報知手段を備える
ことを特徴とする請求項１３記載の尿中１日排泄量測定装置。
【請求項２１】
前記尿中１日排泄量測定装置は、さらに、
少なくとも３日分の前記就寝直前尿中の成分量、前記夜間尿中の成分量およびそれらに対応する前記尿中１日排泄量を蓄積する尿中成分量蓄積手段と、
前記尿中成分量蓄積手段に蓄積されている前記就寝直前尿中成分量及び前記夜間尿中成分量の和と、それらに対応する尿中１日排泄量とから、線形近似により、就寝直前尿中成分量及び夜間尿中成分量の和と尿中１日排泄量との相関関係を算出する相関関係算出手段とを備える
ことを特徴とする請求項１３記載の尿中１日排泄量測定装置。
【請求項２２】
１日の尿中に排泄される尿中成分の総量を測定するためのプログラムであって、コンピュータに、
所定の期間内に排泄されるスポット尿（一回の排泄で採取される尿）の内、複数回のスポット尿を採取し、採取された複数回のスポット尿を用いて、各スポット尿中に含まれる成分量を算出する尿中成分量算出ステップと、前記期間内の複数回のスポット尿中に含まれる成分量と、１日の尿中に含まれる前記成分の総量である尿中１日排泄量との相関関係を保持し、さらに、前記相関関係と、算出された前記複数回の尿中成分量を用いて、前記尿中１日排泄量を算出する尿中１日排泄量算出ステップとを実行させるプログラム。
【手続補正２】
【補正対象書類名】明細書
【補正対象項目名】全文
【補正方法】変更
【補正の内容】
【発明の詳細な説明】
【技術分野】
【０００１】
本発明は尿中に排泄される尿中成分量を測定し、当該尿中成分が１日に排泄される総量を推定するための装置及び方法に関するものである。
【背景技術】
【０００２】
尿検査は、サンプル採取方法が容易で、非侵襲に検査できる検査法であり、採尿時に疼痛などの侵襲がないことより、長年にわたり広く利用されている。尿中には、塩分、糖、タンパクなど被験者の生活状況や健康状態に応じてその濃度が変動するさまざまな成分が含まれており、このような成分を家庭で簡単に定量できれば健康管理に有用である。例えば、塩分の過剰摂取は高血圧や胃癌の原因とされており、その摂取量の管理が求められているが、摂取する食品中の塩分量をすべて測定し総量を求めるのは煩雑かつ手間がかかるものである。そのため、尿中に排泄される塩分を測定し、１日に摂取する塩分量を管理する方法が提案されている（例えば、特許文献１参照）。図１は、前記特許文献１に記載された従来の塩分摂取量測定装置を示すものである。
【０００３】
図１の塩分摂取量測定装置では、センサ部４１により測定された早朝一番尿（起床後第１回目に排泄された尿で、以後「夜間尿」と記す）中の塩分濃度と、入力部４２より入力された夜間尿とから、演算部において使用者の夜間尿中の塩分量が算出される。さらに、塩分摂取量測定装置に予め記憶されている回帰式から１日排泄塩分量が算出され、表示部４３にデジタル表示されるようになっている。
【０００４】
図１に示す構成は、夜間尿中の塩分濃度に夜間尿量を掛け合わせて夜間尿塩分量を求め、夜間尿中の塩分量と１日排泄塩分量との相関関係により１日の塩分排泄量を求めるものである（特許文献１参照）。
【０００５】
また、時間で補正（前回の排尿時刻からの経過時間を８時間に換算して尿量を補正）した夜間尿から１日尿中排泄量を推定する方法も検討されている（非特許文献１参照）。
【特許文献１】特開２００２−２６７６６２号公報
【非特許文献１】山本耕太郎他、「家庭での塩分、カリウム摂取量測定方法の検討」、日循予防誌、第３９巻、第３号、ｐ．１５７−１６３、２００４年
【発明の開示】
【発明が解決しようとする課題】
【０００６】
しかし、夜間尿は、大部分の人が採取可能であるが、２４時間中に排泄された尿を蓄尿したもの（以下、「２４時間尿」と略称する）との相関が低いという報告がある。夜間尿と２４時間尿との相関が低いのは、（１）夜間の食事の量や食事時間の個人差による影響や、（２）夜間に脳下垂体から分泌される抗利尿ホルモン（ＡＤＨ）の個人差による夜間尿量の違いや、（３）腎機能の個人差によるものと思われる。また、（４）夜間尿中の塩分排泄量は、日中の運動量負荷量の程度により変動しやすいことも理由として考えられる。このような理由から、夜間尿から１日排泄量を推定するには、適切な補正を行わないと正確で再現性の良い値を得られにくいという欠点がある。
【０００７】
また、非特許文献１に記載のように、時間で補正（尿量を８時間に換算）した夜間尿から１日尿中排泄量を推定する方法を用いても、その補正が十分でない場合があった。
【０００８】
そこで本発明は、前記従来の課題を解決するもので、尿中成分の１日排泄量を高精度に、かつ、手軽に測定することができる尿中１日排泄量測定方法及びそれを用いた測定装置を提供することを目的とする。
【課題を解決するための手段】
【０００９】
前記従来の課題を解決するために、本発明の尿中１日排泄量測定方法は、１日の尿中に排泄される尿中成分の総量を測定する尿中１日排泄量測定方法であって、所定の期間内に排泄されるスポット尿（一回の排泄で採取される尿）の内、複数回のスポット尿を採取し、採取された複数回のスポット尿を用いて、尿中成分量算出手段が各スポット尿中に含まれる成分量を算出する尿中成分量算出ステップと、１日尿中排泄量算出手段が、前記期間内の複数回のスポット尿中に含まれる成分量と、１日の尿中に含まれる前記成分の総量である尿中１日排泄量との相関関係を保持し、さらに、前記相関関係と、前記尿中成分量算出手段によって算出された前記複数回の尿中成分量を用いて、前記１日尿中排泄量算出手段が前記尿中１日排泄量を算出する尿中１日排泄量算出ステップとを含むことを特徴とする。
【００１０】
また、本発明の尿中１日排泄量測定装置は、１日の尿中に排泄される尿中成分の総量を測定する尿中１日排泄量測定装置であって、所定の期間内に排泄されるスポット尿（一回の排泄で採取される尿）の内、複数回のスポット尿を採取し、採取された複数回のスポット尿を用いて、各スポット尿中に含まれる成分量を算出する尿中成分量算出手段と、前記期間内の複数回のスポット尿中に含まれる成分量と、１日の尿中に含まれる前記成分の総量である尿中１日排泄量との相関関係を保持し、さらに、前記相関関係と、前記尿中成分量算出手段によって算出された前記複数回の尿中成分量を用いて、前記尿中１日排泄量を算出する１日尿中排泄量算出手段とを備えることを特徴とする。
【００１１】
なお、本発明は、装置として実現できるだけでなく、その装置を構成する処理手段をステップとする方法として実現したり、それらステップをコンピュータに実行させるプログラムとして実現したり、そのプログラムを記録したコンピュータ読み取り可能なＣＤ−ＲＯＭなどの記録媒体として実現したり、そのプログラムを示す情報、データ又は信号として実現したりすることもできる。そして、それらプログラム、情報、データ及び信号は、インターネット等の通信ネットワークを介して配信してもよい。
【発明の効果】
【００１２】
本発明の尿中１日排泄量測定方法及び尿中１日排泄量測定装置によれば、尿中成分の１日排泄量を高精度にしかも少ない手間（測定回数など）で手軽に測定することができる。
【発明を実施するための最良の形態】
【００１３】
本発明の尿中１日排泄量測定方法は、１日の尿中に排泄される尿中成分の総量を測定する尿中１日排泄量測定方法であって、所定の期間内に排泄されるスポット尿（一回の排泄で採取される尿）の内、複数回のスポット尿を採取し、採取された複数回のスポット尿を用いて、尿中成分量算出手段が各スポット尿中に含まれる成分量を算出する尿中成分量算出ステップと、１日尿中排泄量算出手段が、前記期間内の複数回のスポット尿中に含まれる成分量と、１日の尿中に含まれる前記成分の総量である尿中１日排泄量との相関関係を保持し、さらに、前記相関関係と、前記尿中成分量算出手段によって算出された前記複数回の尿中成分量を用いて、前記１日尿中排泄量算出手段が前記尿中１日排泄量を算出する尿中１日排泄量算出ステップとを含むことを特徴とする。
【００１４】
また、本発明の尿中１日排泄量測定装置は、１日の尿中に排泄される尿中成分の総量を測定する尿中１日排泄量測定装置であって、所定の期間内に排泄されるスポット尿（一回の排泄で採取される尿）の内、複数回のスポット尿を採取し、採取された複数回のスポット尿を用いて、各スポット尿中に含まれる成分量を算出する尿中成分量算出手段と、前記期間内の複数回のスポット尿中に含まれる成分量と、１日の尿中に含まれる前記成分の総量である尿中１日排泄量との相関関係を保持し、さらに、前記相関関係と、前記尿中成分量算出手段によって算出された前記複数回の尿中成分量を用いて、前記尿中１日排泄量を算出する１日尿中排泄量算出手段とを備えることを特徴とする。
【００１５】
食事や運動などの活動を行う時間帯と睡眠時間帯とでは尿中成分排泄の生体リズムが異なる。したがって、尿中成分の１日排泄量を推定する場合、この生体リズムを考慮した尿サンプルの選択が必要となる。この尿サンプルの選択は、測定対象物により適宜行われるが、活動を行う時間帯の尿サンプルとして就寝前の１日の最後の尿を、睡眠時間帯の尿サンプルとして夜間尿を用いると、生体リズムを考慮したものになる。それだけではなく、就寝前の１日の最後の尿と夜間尿とは、大部分の人にとって在宅時間帯でありサンプリングが容易であるため、より広く一般に使用できる尿中成分１日排泄量測定方法となる。従って、本発明の尿中１日排泄量測定方法及び尿中１日排泄量測定装置によれば、生体リズムを考慮することにより、高精度にしかも手軽に尿中成分の１日排泄量の測定を行うことができる。
【００１６】
また、本発明の尿中１日排泄量測定方法は、前記尿中１日排泄量算出ステップで、前記１日尿中排泄量算出手段が、前記期間内に採取された２回分のスポット尿中に含まれる成分量を使用し、前記成分の前記尿中１日排泄量を算出することが好ましい。
【００１７】
本発明の尿中１日排泄量測定方法は、前記尿中成分量算出ステップで、前記尿中成分量算出手段が、２４時間内に排泄された前記複数回のスポット尿を用いて、前記各スポット尿中の成分量を算出することが好ましい。
【００１８】
本発明の尿中１日排泄量測定方法は、前記尿中成分量算出ステップで、前記尿中成分量算出手段が、成分センサによって測定されたスポット尿中の成分濃度と、尿量センサによって測定された尿量とを用いて、各スポット尿中に含まれる成分の成分量を算出することが好ましい。
【００１９】
本発明の尿中１日排泄量測定方法は、前記尿中成分量算出ステップで、前記尿中成分量算出手段が、就寝前の最後に排泄及び採取された尿である就寝直前尿と、前記就寝を挟んで起床後最初に排泄及び採取された尿である夜間尿との各スポット尿中の成分量を算出し、前記尿中１日排泄量算出ステップで、１日尿中排泄量算出手段が、就寝直前尿中成分量及び夜間尿中成分量と、１日の尿中に含まれる前記尿中成分の総量との相関関係から、前記尿中成分量算出手段によって算出された前記就寝直前尿中成分量と、前記尿中成分量算出手段によって算出された前記夜間尿中成分量とを用いて、前記成分の尿中１日排泄量を算出することが好ましい。これにより、活動を行う時間帯と睡眠時間帯との両方の時間帯に産生された尿サンプルを用いるので、非常に精度の高い尿中１日排泄量の測定を行うことができる。
【００２０】
本発明の前記尿中１日排泄量測定方法は、更に、入力部が、前記スポット尿の排泄時刻に関する情報の入力を受け付ける排泄時刻情報受付ステップと、尿中成分量蓄積手段が、前記尿中成分量算出手段によって算出された各スポット尿中の成分量と、前記入力部によって受け付けられた前記スポット尿の前記排泄時刻情報とを対応付けて蓄積する尿中成分量蓄積ステップと、前記１日尿中排泄量算出手段が、前記就寝直前尿中成分量と前記夜間尿中成分量とのそれぞれに対応付けられて蓄積されている前記排泄時刻情報に基づいて、前記就寝直前尿の排泄から前記夜間尿の排泄までの時間を８時間に換算して、前記夜間尿中成分量を補正する８時間補正ステップとを含み、前記尿中１日排泄量算出ステップで、１日尿中排泄量算出手段が、就寝直前尿中成分量及び８時間補正された夜間尿中成分量の和と、１日の尿中に含まれる前記尿中成分の総量との相関関係から、前記尿中成分量算出手段によって算出された前記就寝直前尿中成分量と、前記尿中成分量算出手段によって算出され、前記８時間補正ステップにおいて前記１日尿中排泄量算出手段によって補正された前記夜間尿中成分量とを用いて、前記成分の尿中１日排泄量を算出することが好ましい。このように、夜間尿の８時間補正を行なうことにより、さらに精度の高い尿中１日排泄量の測定を行うことができる。
【００２１】
また、本発明の尿中１日排泄量測定方法は、前記尿中成分量算出ステップで、前記尿中成分量算出手段が、成分センサによって測定された前記スポット尿中の成分濃度と、クレアチニンセンサによって測定された前記スポット尿中のクレアチニン濃度とから、スポット尿中に含まれる前記成分量として前記スポット尿中の前記尿中成分のクレアチニン比を算出し、前記尿中１日排泄量算出ステップで、前記１日尿中排泄量算出手段が、前記尿中成分量算出手段によって算出された前記尿中成分量であるクレアチニン比と、あらかじめ前記尿中成分量算出手段に保持されているクレアチニン１日排泄量とを用いて、前記成分の尿中１日排泄量を算出することが好ましい。これにより、使用者はスポット尿の全量を採取する必要がなくなり、使用者の測定時における負担が軽減され、簡便な測定が可能になる。
【００２２】
本発明の尿中１日排泄量測定方法は、前記尿中１日排泄量算出ステップで、前記１日尿中排泄量算出手段が、前記尿中成分量算出手段によって前記期間内に算出された３回以上、１４回以下のスポット尿中の尿中成分量を用いて、尿中１日排泄量を算出することが好ましい。このように、３回以上複数回のデータを用いると、ある一定期間内の平均的な尿中成分の１日排泄量を精度良く把握することが可能となる。
【００２３】
本発明の尿中１日排泄量測定方法は、前記尿中成分量算出ステップで、前記尿中成分量算出手段が、７日間の間に排泄されたスポット尿の内、採取された３回以上、１４回以下のスポット尿中の尿中成分量を算出することが好ましい。上記の期間が７日を超えると、生活習慣が大きく変わってしまう場合があるため、評価する期間を７日間以内とすることにより、使用者の生活習慣を反映した結果を得ることが可能になる。
【００２４】
本発明の尿中１日排泄量測定方法は、前記尿中成分量算出ステップで、前記尿中成分量算出手段が、前記回数採取されるスポット尿のうち、少なくとも２回は同一の就寝を挟んだ就寝前尿と夜間尿との組み合わせを含むスポット尿中の成分量を算出することが好ましい。以上のように、本発明の尿中１日排泄量測定方法によれば、活動する時間帯と睡眠中の時間帯とにおける両方の尿サンプルを用いて尿中１日排泄量を測定するので、両方の生体リズムを考慮して、精度の高い尿中１日排泄量の測定結果を得ることができる。
【００２５】
また、本発明の尿中１日排泄量測定方法は、前記尿中成分量算出ステップで、前記尿中成分量算出手段が、前記回数採取されるスポット尿が全て夜間尿であるスポット尿中の尿中成分量を算出することが好ましい。これによれば、夜間尿は起床後の最初の排尿であるので採尿がしやすく、その結果、測定を継続しやすいという効果がある。
【００２６】
また、本発明の尿中１日排泄量測定方法は、前記尿中成分量算出ステップで、前記尿中成分量算出手段が、前記回数採取されるスポット尿が全て就寝前尿であるスポット尿中の尿中成分量を算出することが好ましい。使用者が勤務者や主婦の場合、夜間尿の採取時である早朝は忙しく、採取ミスが起こる場合がある。また、家庭での測定を前提とすると、就寝直前の採尿がより実施しやすいという効果がある。
【００２７】
さらに、本発明の尿中１日排泄量測定装置は、前記尿中成分量算出手段が、スポット尿中の成分濃度を測定する成分センサと、スポット尿の尿量を測定する尿量センサとを備え、前記尿中成分量算出手段は、前記成分センサによって測定された前記成分濃度と、前記尿量センサによって測定された前記尿量とから、前記スポット尿中の尿中成分量を算出することが好ましい。
【００２８】
本発明の尿中１日排泄量測定装置は、前記尿中成分量算出手段は、スポット尿中の成分濃度を測定する成分センサと、スポット尿中のクレアチニン濃度を測定するクレアチニンセンサとを備え、前記尿中成分量算出手段は、前記成分センサによって測定された前記成分濃度と、前記クレアチニンセンサによって測定された前記クレアチニン濃度とから、前記スポット尿中の尿中成分量として前記スポット尿中の前記尿中成分のクレアチニン比を算出することが好ましい。
【００２９】
本発明の前記尿中１日排泄量測定装置は、さらに、前記尿中成分量算出手段によって算出された前記複数回のスポット尿中の各成分量または前記１日尿中排泄量算出手段によって算出された前記尿中１日排泄量を表示する表示手段を備えることが好ましい。
【００３０】
また、本発明の尿中１日排泄量測定装置は、前記尿中成分量算出手段が、就寝前の最後に排泄及び採取された尿である就寝直前尿と、前記就寝を挟んで起床後最初に排泄及び採取された尿である夜間尿との各スポット尿中の成分量を算出し、前記尿中１日排泄量測定装置は、さらに、前記尿中成分量算出手段により算出された前記就寝直前尿中成分量若しくは前記夜間尿中成分量または前記１日尿中排泄量算出手段により算出された前記尿中１日排泄量を表示する表示手段を備えることが好ましい。本構成によって、計測データや解析データを表示することができ、使用者自身の１日排泄量を把握することができる。また、データ入力画面や、計測データや解析データを表示する出力画面、測定指示を表示する指示画面などを表示する形態をとることで、より機能性の高い尿中１日排泄量推定装置を提供することができる。
【００３１】
また、本発明の尿中１日排泄量測定装置は、さらに、前記期間内に前記複数回採取される各スポット尿中の成分量が前記尿中成分量算出手段によって算出されてはじめて、前記１日尿中排泄量算出手段によって算出された尿中１日排泄量を表示する表示手段を備えることが好ましい。このような構成とすると、規定の測定回数が終了するまで、測定結果が示されないため、使用者に対してより正確な結果を提示することが可能になる。
【００３２】
また、本発明の前記尿中１日排泄量測定装置は、さらに、１日に尿中に排泄される前記尿中成分の総量の基準量の入力を受け付ける基準量受付手段と、前記１日尿中排泄量算出手段によって算出された尿中１日排泄量と前記基準量受付手段によって受け付けられた前記基準量とを比較し、算出された前記尿中１日排泄量が前記基準量を上回るか否かを判断する比較手段と、前記比較手段によって、前記尿中１日排泄量が前記基準量を上回ると判断されたときにアドバイスを表示する表示手段とを備えることが好ましい。本構成により、使用者は自身の１日尿中排泄量を把握することができる。また、自身の１日尿中排泄量が目標値や推奨値等の基準量とどのくらい差があるのかも知ることができ、自己管理に有用である。さらに、健康アドバイスやメッセージは自己管理の励みや正しい健康に対する知識の習得ともなる。
【００３３】
本発明の前記尿中１日排泄量測定装置は、さらに、スポット尿を採取し、前記尿中成分量算出手段によって前記尿中成分の成分量を算出するためのタイミングを使用者に報知する測定報知手段を備えることが好ましい。本構成により、上記タイミングとして１日尿中塩分量との相関が高い排泄時刻を設定しておくと、１日尿中塩分量との相関が高い排泄時刻情報での測定が容易になり、より精度の高い１日排泄量の推定につながる。
【００３４】
また、本発明の前記尿中１日排泄量測定装置は、さらに、少なくとも３日分の前記就寝直前尿中の成分量、前記夜間尿中の成分量およびそれらに対応する前記尿中１日排泄量を蓄積する尿中成分量蓄積手段と、前記尿中成分量蓄積手段に蓄積されている前記就寝直前尿中成分量及び前記夜間尿中成分量の和と、それらに対応する尿中１日排泄量とから、線形近似により、就寝直前尿中成分量及び夜間尿中成分量の和と尿中１日排泄量との相関関係を算出する相関関係算出手段とを備えることが好ましい。これにより、尿中１日排泄量測定装置は、就寝直前尿中成分量及び夜間尿中成分量の和と１日に尿中に排泄される前記尿中成分の総量との相関関係を表す使用者個別の回帰式を算出することができ、より精度の高い１日排泄量を算出することができる。
【００３５】
以下、本発明の実施の形態について、図面を参照しながら詳しく説明する。
【００３６】
（実施の形態１）
＜就寝直前尿中塩分量＋夜間尿中塩分量＞
図２は、本実施の形態の尿中１日排泄量測定装置のハードウェア構成を示す図である。尿中１日排泄量測定装置１００は、１回の排尿で排泄された尿の尿量と、その尿中に含まれる尿中成分の量を測定する装置であり、これを用いて就寝前の１日の最後に排泄された尿中に含まれる尿中成分の量である就寝直前尿中成分量と、起床後第１回目に排泄された尿（以後、「夜間尿」と呼ぶ。）に含まれる尿中成分の量である夜間尿中成分量とを測定することにより、１日分（例えば、起床後第１回目の尿排泄時刻からさかのぼった１日分）の尿中に排泄された尿中成分の総量を自動的に算出する装置であって、制御ユニット２とセンサ３とからなる。制御ユニット２は、表示部２０７、ＣＰＵ２１１、メモリ２１５、計時部２１６、送信部２１７、入力部２１８などを備え、これらの各部がバスにより相互に接続されている。センサ３は、尿量センサ３０１と、塩分センサ３０２とを備える。
【００３７】
表示部２０７は、液晶ディスプレイで構成されているが、計測データや解析データを表示するものであれば特に限定するものではない。表示部２０７は、データ入力画面や、計測データや解析データを表示する出力画面、測定指示を表示する指示画面などを表示する。具体的には、表示部２０７は、「前記尿中成分量算出手段により算出された前記就寝直前尿中成分量若しくは前記夜間尿中成分量または前記１日尿中排泄量算出手段により算出された前記尿中１日排泄量を表示する表示手段」に相当し、測定された尿量、尿中成分の濃度、尿中成分量、算出された１日尿中排泄量などを表示する。そのほか、表示部２０７は、「前記比較手段によって、前記尿中１日排泄量が前記基準量を上回ると判断されたときにアドバイスを表示する表示手段」に相当し、算出された１日尿中排泄量に基づく健康アドバイスなどを表示する。また、測定に好ましいタイミングを使用者に報知するためのお知らせ画面などを表示する。ＣＰＵ２１１は、制御ユニット２全体の制御を司る。また、ＣＰＵ２１１はＲＯＭに記憶されたプログラムに従い、各センサを用いた尿を測定する処理、測定された尿中塩分濃度と尿量を乗じて尿中塩分量を算出する処理、尿中塩分量からの１日尿中排泄量を推定する処理などの測定データの２次処理を行う。またＣＰＵ２１１は、コントロールパネルに設けられた入力部２１８やタッチパネルなどと信号をやり取りすることで、使用者からの指示を入力したり、表示部２０７に各情報を表示したりする。
【００３８】
メモリ２１５は、ＲＡＭ、ＲＯＭ、ＩＣメモリおよびハードディスクなどからなる。メモリ２１５は、例えば、ＲＯＭなどに、就寝直前尿に含まれる尿中成分量と夜間尿に含まれる尿中成分量との和と、１日尿中排泄量との相関関係をあらかじめ記憶している。また、ハードディスクやＩＣメモリなどで実現される読み書き可能な大容量のメモリ２１５には、測定の都度、排泄時刻情報と対応付けられ測定された尿量、尿中成分の濃度および尿中成分量などの測定データが蓄積される。
【００３９】
計時部２１６は、タイマなどであり、排泄時刻情報を検出する。
【００４０】
送信部２１７は、赤外線通信や携帯電話回線などにより、使用者があらかじめ登録した外部のパソコン、携帯電話機、ＰＤＡなどに測定結果や健康アドバイスなどを送信する。
【００４１】
入力部２１８は、制御ユニット２に設けられた各種ボタンや、表示部２０７に設けられたタッチパネルなどである。
【００４２】
なお、図示を省略したが、本実施例の尿中１日排泄量測定装置１００は、入出力ポートを備え、入出力ポートに接続された外部のフレキシブルディスクドライブあるいはＩＣメモリドライブを介してフレキシブルディスクやＩＣメモリにデータを入出力することができる。
【００４３】
尿量センサ３０１は、センサ３内に吸入された尿の尿量を測定する。具体的には、尿量の測定は、抵抗測定法を用いる。尿採取容器（ビーカ１）に浸漬させたセンサ３内の抵抗体の抵抗が尿量によって変化することを利用して、抵抗と尿量の関係の検量線を作り、抵抗値から尿量を算出する。すなわち、液を蓄積する容器（ビーカ１）の底まで浸漬した抵抗体の抵抗が液量によって変化することを利用して、抵抗と液量との関係の検量線を作成し、抵抗値から尿量を算出する。食塩水で電圧の逆数と液量の間の検量線を作り、尿に適用する。この方法で得られた尿量は天秤で重量測定したものとほぼ同じ値が得られる。
【００４４】
塩分センサ３０２は、センサ３内に吸入された尿の尿中塩分濃度を測定する。塩分センサ３０２は、導電率法を用いた電極法により尿中塩分濃度を測定する。導電率の測定は、所定の端子間のインピーダンスを測定することによって実現でき、可動部分が存在しないため構造が簡略で動作信頼性が高い。尿中の導電率は概ねナトリウムの濃度に依存するため、あらかじめ尿中のナトリウム濃度と電気伝導度との相関関係から検量線を求めておき、導電率を測定するための２つの電極を持った安価なセンサでナトリウムの濃度を測定することができる。なお、導電率により塩分濃度を測定する場合、塩分以外のカリウムやマグネシウムなどによる誤差を取り除くために補正を行ってもよい。
【００４５】
図３は、図２に示したＣＰＵ２１１およびメモリ２１５によって実現される尿中１日排泄量測定装置１００の主要部機能ブロック図である。同図に示すように、尿中１日排泄量測定装置１００は、尿中成分量算出部４１１、１日尿中排泄量算出部４１３、尿中成分量蓄積部４１５、回帰式格納部４１６およびアドバイス格納部４１７を備える。
【００４６】
尿中１日排泄量測定装置１００は、「１日の尿中に排泄される尿中成分の総量を測定する尿中１日排泄量測定装置であって、所定の期間内に排泄されるスポット尿（一回の排泄で採取される尿）の内、複数回のスポット尿を採取し、採取された複数回のスポット尿を用いて、各スポット尿中に含まれる成分量を算出する尿中成分量算出手段と、前記期間内の複数回のスポット尿中に含まれる成分量と、１日の尿中に含まれる前記成分の総量である尿中１日排泄量との相関関係を保持し、さらに、前記相関関係と、前記尿中成分量算出手段によって算出された前記複数回の尿中成分量を用いて、前記尿中１日排泄量を算出する１日尿中排泄量算出手段とを備えることを特徴とする尿中１日排泄量測定装置。」に相当する。これにおいて、尿中成分量算出部４１１は「尿中成分量算出手段」に相当し、回帰式が「相関関係」に相当し、回帰式格納部４１６及び１日尿中排泄量算出部４１３は「１日尿中排泄量算出手段」に相当する。
【００４７】
また、尿中１日排泄量測定装置１００は、「さらに、１日に尿中に排泄される前記尿中成分の総量の基準量の入力を受け付ける基準量受付手段と、前記１日尿中排泄量算出手段によって算出された尿中１日排泄量と前記基準量受付手段によって受け付けられた前記基準量とを比較し、算出された前記尿中１日排泄量が前記基準量を上回るか否かを判断する比較手段と、前記比較手段によって、前記尿中１日排泄量が前記基準量を上回ると判断されたときにアドバイスを表示する表示手段とを備えることを特徴とする前記尿中１日排泄量測定装置。」に相当し、入力部２１８が「基準量受付手段」に、１日尿中排泄量算出部４１３が「比較手段」に、アドバイス格納部４１７及び表示部２０７が「表示手段」に、それぞれ相当する。
【００４８】
尿中成分量算出部４１１は、尿量センサ３０１から入力される尿量および塩分センサ３０２から入力される塩分濃度とから、尿中に含まれる尿中塩分量を算出する。さらに、尿中成分量算出部４１１は、入力された尿量および塩分濃度と、算出された尿中塩分量とを、計時部２１６から取得された測定時現在時刻と、入力部２１８から入力された排泄時刻情報とに対応付けて尿中成分量蓄積部４１５に蓄積する。
【００４９】
１日尿中排泄量算出部４１３は、尿中成分量算出部４１１によって夜間尿中塩分量が算出されると、尿中成分量蓄積部４１５から就寝直前尿に含まれる塩分の量である就寝直前尿中塩分量と、夜間尿に含まれる塩分量である夜間尿中塩分量とを読み出す。次いで、１日尿中排泄量算出部４１３は、回帰式格納部４１６に格納されている回帰式に、読み出した就寝直前尿中塩分量と夜間尿中塩分量との和の値を代入することによって、使用者の１日の尿中に排泄された塩分の１日尿中排泄量を算出する。また、１日尿中排泄量算出部４１３は、算出された１日尿中排泄量の量に対応するアドバイスをアドバイス格納部４１７から読み出して、表示部２０７に表示させる。さらに、１日尿中排泄量算出部４１３は、入力部２１８から入力された指示に従って、算出した１日尿中排泄量やそれに対応するアドバイスなどの情報を送信部２１７に出力する。
【００５０】
尿中成分量蓄積部４１５は、排尿の都度、格納される測定時の現在時刻、排泄時刻情報、尿量、塩分濃度、尿中塩分量、１日尿中排泄量および１日尿中塩分排泄量と基準量からの差分などを蓄積する。回帰式格納部４１６は、就寝直前尿中塩分量と夜間尿中塩分量との和と、塩分の１日尿中排泄量との相関関係を表すあらかじめ算出された回帰式を格納している。アドバイス格納部４１７は、塩分の１日尿中排泄量の基準量、または前記基準量からのずれ量に対応してあらかじめ定められた健康アドバイスを格納している。
【００５１】
図４は、図２に示した尿中１日排泄量測定装置１００の外観および尿中１日排泄量測定装置を用いた尿中成分の測定方法を示す図である。図５は、図４に示した尿中１日排泄量測定装置１００の制御ユニット２のコントロールパネル部分の外観を示す斜視図である。
【００５２】
（尿中１日排泄量測定装置の外観）
図４、図５に示すように、制御ユニット２に対してセンサ３は、接続部２０１で着脱可能に接続されており、消耗してきた場合に取り替えることができるようになっている。接続部２０１には、図示しないセンサ３の突部をはめ込むことができ、接続部２０１の内側にセンサ３と制御ユニット２とを電気的に接続するための端子が配置されている。制御ユニット２は、コントロールパネルにカーソル左移動ボタン２０２、カーソル右移動ボタン２０３、測定開始ボタン２０４、排泄時刻情報ボタン２０５、測定結果送信ボタン２０６、表示部２０７などを備えている。カーソル左移動ボタン２０２およびカーソル右移動ボタン２０３は、例えば、入力画面で複数の選択候補が表示された場合、所望の選択候補を選択するために、カーソルを左方向または右方向に移動するためのボタンである。測定開始ボタン２０４は、センサ３による尿量および尿中成分濃度の測定の開始を指示するためのボタンである。排泄時刻情報ボタン２０５は、使用者が測定の時に、「就寝直前」「起床後第１回目」など就寝行為と関連付けた時刻情報を入力するためのボタンである。すなわち、排泄時刻情報ボタン２０５を押すと、表示部２０７に「就寝直前」「起床後第１回目」「起床後第２回目」などの排泄時刻情報の選択候補が表示される。使用者は、この状態でカーソル右移動ボタン２０３またはカーソル左移動ボタン２０２を用いて、いずれかの選択候補を選択することができる。測定結果送信ボタン２０６は、センサ３の測定結果、算出された１日尿中排泄量、１日尿中排泄量に応じて表示部２０７に表示される健康アドバイスなどを、あらかじめ登録された携帯電話機やパソコンなどに向けて、送信部２１７により送信するためのボタンである。
【００５３】
（尿中成分量の測定方法）
次に、この尿中１日排泄量測定装置１００により、随時採取される尿中に排泄される塩分量を測定・解析し、１日尿中塩分排泄量を推定する方法を図２から図６を参照して説明する。
【００５４】
まず、使用者が排尿時に、図４に示したような専用の容器（ビーカ１）に尿４を全量採取する。使用者が制御ユニット２のコントロールパネル上の測定開始ボタン２０４を押すと、ＣＰＵ２１１が測定制御ルーチンを開始し、尿の測定が始まる。
【００５５】
図６は、図２に示したＣＰＵ２１１によって実行される測定制御ルーチンを示すフローチャートである。
【００５６】
測定制御ルーチンが開始されると、ＣＰＵ２１１は計時部２１６により検出した測定開始時刻（測定時の現在時刻）の入力を実施する（ステップ３１１）。このとき、使用者はコントロールパネル上の排泄時刻情報ボタン２０５を押して排泄時刻情報を入力する。
【００５７】
次にＣＰＵ２１１は、尿の測定処理を実行する（ステップ３１２）。測定処理はセンサ３に備えられた塩分センサ３０２、尿量センサ３０１によってそれぞれ実施される。本実施例においてはどちらも導電率で測定するため、導電率測定後、塩分濃度と尿量が検出される。ＣＰＵ２１１（図３の尿中成分量算出部４１１）は、塩分濃度と尿量を乗算し、尿中塩分量を算出する。そして、尿中塩分量は排泄時刻情報とともにハードディスク（図３の尿中成分量蓄積部４１５）に記憶される。
【００５８】
ＣＰＵ２１１（図３の１日尿中排泄量算出部４１３）はハードディスクに記憶されたデータに基づいて１日尿中塩分排泄量を算出する（ステップ３１３）。さらに、ＣＰＵ２１１（図３の１日尿中排泄量算出部４１３）は、ハードディスク（図３のアドバイス格納部４１７）にあらかじめ記憶された塩分尿中排泄基準量と、算出した１日尿中塩分排泄量とを比較し、基準量からの差分を算出する（ステップ３１４）。基準量はあらかじめ医療機関などにより推奨されている平均値を用いてもよいし、使用者自身の目標値をコントロールパネルから入力させる形態をとってもよい。ここでは、使用者がコントロールパネルのボタン（入力部２１８）を操作することによって基準値を入力するものとする。１日尿中塩分排泄量や基準量との比較結果は計測日時とともにハードディスクに記憶される（ステップ３１５）。
【００５９】
そして、尿中塩分量や１日尿中塩分排泄量や基準値との比較結果は、コントロールパネルの表示部２０７に表示される（ステップ３１６）。なお、基準値との比較結果は、使用者が図示しない結果表示ボタンを押すと表示されるようにしてもよい。このとき、ハードディスクに１日尿中塩分排泄量や基準値との比較結果に応じた健康アドバイスを記憶させる形態をとれば、測定結果や比較結果とともに健康アドバイスを合わせてコントロールパネルに表示することができる。健康アドバイスには、使用者の状況に応じて種々のものが考えられるが、塩分摂取過剰による健康への悪影響を伝えるものや、日々の食生活における減塩のコツなどが例として挙げられる。また、基準値や目標値より排泄量が少なかった場合はほめるなどのメッセージを表示したりする形態をとっても良い。
【００６０】
本構成により、使用者は自身の１日尿中塩分排泄量を把握することができる。また、自身の塩分摂取量が目標値や推奨値とどのくらい差があるのかも知ることができ、塩分摂取の自己管理に有用である。さらに、健康アドバイスやメッセージは自身の塩分摂取の自己管理の励みや正しい健康に対する知識の習得ともなる。
【００６１】
具体的には、使用者は、就寝直前排泄尿を採取し、コントロールパネル上の測定開始ボタン２０４を押すと、ＣＰＵ２１１が測定制御ルーチンを開始し、尿の測定が始まる。さらに使用者はコントロールパネル上の排泄時刻情報ボタン２０５で「就寝直前尿」を選択入力することで、ＣＰＵ２１１（図３の尿中成分量算出部４１１、１日尿中排泄量算出部４１３）は今回の排泄時刻情報が就寝直前尿であることを認識し、解析に利用する。実施の形態１に示した手順でＣＰＵは就寝直前排尿中塩分量を算出し、「就寝直前尿」の排泄時刻情報とともにハードディスク（尿中成分量蓄積部４１５）に記憶させる。
【００６２】
そして就寝後、使用者は、起床、排尿する。この起床後第１回目の排泄尿（夜間尿）を就寝前排尿時と同様に採取し、測定開始ボタン２０４を押すと、ＣＰＵ２１１が測定制御ルーチンを開始し、尿の測定が始まる。さらに使用者はコントロールパネル上の排泄時刻情報ボタン２０５を押して「夜間尿」を選択入力することで、ＣＰＵ２１１（図３の尿中成分量算出部４１１、１日尿中排泄量算出部４１３）は今回の排泄時刻情報が夜間尿であることを認識し、解析に利用する。実施の形態１に示した手順でＣＰＵ２１１（尿中成分量算出部４１１）は夜間尿中塩分量を算出し、「夜間尿」の排泄時刻情報とともにハードディスク（尿中成分量蓄積部４１５）に格納する。
【００６３】
ハードディスク（回帰式格納部４１６）には個人に応じた「就寝直前尿」と「夜間尿」と１日尿中排泄塩分量との相関関係を表した回帰式が保存されており、ＣＰＵ２１１は就寝前尿中塩分量と夜間尿中塩分量を用いて回帰式から１日尿中排泄塩分量を推定する。
【００６４】
図７は、図３に示した回帰式格納部４１６に格納される回帰式の例を示すグラフである。図７のグラフに示されている各点は、以下の表１に示される測定結果をプロットしたものである。図７の横軸はスポット尿中ＮａＣｌ量（ｇ）を示し、縦軸は１日分蓄尿された尿中に含まれる１日排泄ＮａＣｌの量（ｇ）を示している。なお、表１および図７に示されている８時間補正については、後に説明する。
【００６５】
【表１】
2007123245.tif 000023
【００６６】
表１は３０代男性が実際に１１日間蓄尿を行い、各排泄尿中の塩分濃度と尿量から尿中ＮａＣｌ量を測定した実験結果をもとに、各測定日ごとに各排泄尿中ＮａＣｌ排泄量（ｇ）と排泄時刻情報とを対応付けて記録した表である。これらのデータに基づいて、就寝直前尿中塩分量と夜間尿中塩分量の和から、数１に示す１日尿中塩分排泄量を導く回帰式を作成した。この回帰式は、図７にプロットされた白抜きひし形の点から最小二乗法で求められ、太い実線で示されている。白抜きひし形の点は、表１の６段目「就寝前＋夜間」の値を横軸に、表１の５段目「１日尿」の値を縦軸にプロットして得られる点である。
【００６７】
【数１】
2007123245.tif 000024
【００６８】
回帰式格納部４１６には、例えば、表１のような実測結果から算出された、数１に示すような回帰式が格納されている。１日尿中排泄量算出部４１３は、数１に示す式に、尿中成分量算出部４１１によって算出された就寝直前尿中塩分量と夜間尿中塩分量とを代入して、１日尿中排泄量を算出する。
【００６９】
なお、表１の１段目から５段目までは実測によるデータであるが、６段目から８段目までは１段目から５段目までのデータから演算によって求められた値である。例えば、就寝直前尿中塩分量と夜間尿中塩分量との和は、表１の６段目「就寝前＋夜間」に算出されている。この値は、表１の２段目「就寝直前」の値と３段目「夜間尿」の値とを加算して得られたものである。例えば、表１において、測定１日目の就寝直前尿中塩分量は、１．０１ｇであり、同じく測定１日目の夜間尿中塩分量は、３．５３ｇである。これらを加算して得られる値は、表１の６段目の「就寝前＋夜間」の値４．５４ｇとなる。
【００７０】
なお、回帰式は、性別、年代ごとに何種類かを回帰式格納部４１６に格納しておくことにしてもよい。この場合、使用者が入力部２１８から自分の性別、年代を入力することによって、１日尿中排泄量算出部４１３が回帰式格納部４１６の中から使用者の性別、年代に当てはまる回帰式を選択するとしても良い。
【００７１】
表２は、各排泄尿中塩分排泄量と１日尿中塩分排泄量との相関や、２４時間以内の複数の尿中塩分排泄量の組み合わせと１日尿中塩分排泄量との相関を示す表である。
【００７２】
【表２】
2007123245.tif 000025
【００７３】
表２にあるように従来の「夜間尿中塩分量」と「１日尿中排泄塩分量」との相関（Ｒ2＝０．５９０８）より本発明の「就寝直前尿中塩分量と夜間尿中塩分量の和」と「１日尿中排泄塩分量」との相関（Ｒ2＝０．８１０８）のほうが高い。したがって、従来の「夜間尿」のみから推定した１日尿中排泄塩分量より本発明の「就寝直前尿」と「夜間尿」からの推定量のほうが、１日尿中排泄塩分量との相関が高いことがわかる。
【００７４】
また、「朝第２尿中塩分量と夜間尿中塩分量の和」と「１日尿中排泄塩分量」との相関（Ｒ2＝０．７５６３）より、「就寝直前尿中塩分量と夜間尿中塩分量の和」と「１日尿中排泄塩分量」との相関（Ｒ2＝０．８１０８）のほうが高いことから、２４時間以内に排泄され、かつ就寝をはさんだ複数の尿から尿中成分の１日排泄量を推定するほうが、直接就寝行為をはさまない複数の尿から推定するより精度が高いことが分かる。
【００７５】
（実施の形態２）
＜夜間尿中塩分量に対して８時間補正を行なう＞
図８は、夜間尿中塩分量を８時間補正して１日尿中排泄量を算出する尿中１日排泄量測定装置２００の構成を示すブロック図である。前述の尿中１日排泄量測定装置１００と異なる主要な点は、８時間補正部７１２が夜間尿中塩分量に対して８時間補正を行なうことであり、新たに８時間補正部７１２、１日尿中排泄量算出部７１３、排泄時刻情報判定部７１４、尿中成分量蓄積部７１５、回帰式格納部７１６、報知メニュー表示部７１７および報知時刻テーブル格納部７１８を備えることである。尿中１日排泄量測定装置２００において、報知メニュー表示部７１７および表示部２０７が「スポット尿を採取し、前記尿中成分量算出手段によって前記尿中成分の成分量を算出するためのタイミングを使用者に報知する測定報知手段」に相当する。
【００７６】
８時間補正部７１２は、「前記就寝直前尿中成分量と前記夜間尿中成分量とのそれぞれに対応付けられて蓄積されている前記排泄時刻情報に基づいて、前記就寝直前尿の排泄から前記夜間尿の排泄までの時間を８時間に換算して、前記夜間尿中成分量を補正する前記１日尿中排泄量算出手段」に相当し、尿中成分量算出部４１１が算出した尿中塩分量が、夜間尿中の塩分量である場合、算出された夜間尿中塩分量を８時間補正する。具体的には、８時間補正部７１２は、前日の就寝直前尿が測定された時刻から夜間尿が測定された時刻までの時間で夜間尿中塩分量を割ったものに８時間をかけることにより、算出された夜間尿中塩分量を８時間の夜間尿中塩分量に換算する。
【００７７】
１日尿中排泄量算出部７１３は、「前記尿中１日排泄量算出ステップで、就寝直前尿中成分量及び８時間補正された夜間尿中成分量の和と、１日の尿中に含まれる前記尿中成分の総量との相関関係から、前記尿中成分量算出手段によって算出された前記就寝直前尿中成分量と、前記尿中成分量算出手段によって算出され、前記８時間補正ステップにおいて前記１日尿中排泄量算出手段によって補正された前記夜間尿中成分量とを用いて、前記成分の尿中１日排泄量を算出する前記１日尿中排泄量算出手段」に相当する。具体的には、回帰式格納部７１６に格納されている、就寝前尿中排泄塩分量及び８時間に補正した夜間尿中排泄塩分量と１日尿中排泄塩分量との相関関係を表す回帰式を用いて、１日尿中排泄塩分量を算出する。ここで用いられる回帰式は、図７のグラフでは、「×」で表された点から最小二乗法で算出された、太線かつ間隔の長い破線で示される。
【００７８】
排泄時刻情報判定部７１４は、測定開始時に計時部２１６から取得された測定時現在時刻から、「夜間尿」や「就寝直前尿」などの排泄時刻情報を判定する。
【００７９】
尿中成分量蓄積部７１５は、実施の形態１の尿中成分量蓄積部３１５に蓄積されているデータに加えて、８時間補正部７１２によって８時間補正された夜間尿中塩分量を蓄積する。このデータは、表１の４段目「夜間尿（８時間補正）」に相当する。
【００８０】
回帰式格納部７１６は、あらかじめ使用者のデータを測定した結果得られる使用者個人に応じた回帰式が格納される。また、この回帰式は、就寝前尿中排泄塩分量及び８時間に補正した夜間尿中排泄塩分量と１日尿中排泄塩分量との相関関係を表した回帰式である。
【００８１】
報知メニュー表示部７１７は、使用者がコントロールパネルのボタンなどを操作することによって入力部２１８から測定に適した時刻を報知せよという指示が入力されると、報知時刻テーブル格納部７１８に格納されている報知時刻テーブルから例えば、次の測定に適した測定時刻を調べ、表示部２０７に表示させる。
【００８２】
報知時刻テーブル格納部７１８は、測定に適した時刻を示した、あらかじめ作成された報知時刻テーブルを格納する。
【００８３】
本実施の形態２が実施の形態１と異なるのは、就寝前尿中排泄塩分量及び８時間に補正した夜間尿中排泄塩分量と１日尿中排泄塩分量との相関関係がハードディスク（図８の回帰式格納部７１６）に記憶されている点である。より具体的には、ハードディスクに使用者により適合した１日尿中排泄塩分量の回帰式が記憶されている点である。
【００８４】
使用者は、就寝直前排泄尿を採取し、コントロールパネル上の測定開始ボタン２０４を押すと、ＣＰＵ２１１が測定制御ルーチンを開始し、尿の測定が始まる。測定制御ルーチンが開始されると、ＣＰＵ２１１は計時部２１６により検出した測定時現在時刻の入力を実施する。実施の形態１に示した手順でＣＰＵ２１１は就寝直前排尿中塩分量を算出し、測定時現在時刻とともにハードディスク（尿中成分量蓄積部７１５）に記憶させる。
【００８５】
そして就寝後、使用者は、起床、排尿する。この起床後第１回目の排泄尿（以後夜間尿と呼ぶ）を就寝前排尿時と同様に採取し、測定開始ボタン２０４を押すと、ＣＰＵ２１１が測定制御ルーチンを開始し、尿の測定が始まる。測定制御ルーチンが開始されると、ＣＰＵ２１１（図８の排泄時刻情報判定部７１４）は計時部２１６により検出した測定時現在時刻の入力を実施する。ＣＰＵ２１１（排泄時刻情報判定部７１４）は今回の測定時現在時刻と、ハードディスク（尿中成分量蓄積部７１５）に記憶された前回の測定時現在時刻とを比較し、夜間尿であることを認識し、解析に利用する。具体的には、例えば、今回の測定にかかる尿が午前中に排泄されていることと、前回の測定時現在時刻から５時間以上経過していることから判断する。ＣＰＵ２１１（排泄時刻情報判定部７１４）は前回の排泄時刻からの経過時間で夜間尿中塩分量を補正する。
【００８６】
（夜間尿中排泄量（ｎ時間補正））＝（（夜間尿中塩分量）÷（前回の排泄時刻からの経過時間））×ｎ時間
【００８７】
本実施の形態では、夜間尿を８時間で補正した場合を例に挙げる。そして、ＣＰＵ２１１（排泄時刻情報判定部７１４）はハードディスク（尿中成分量蓄積部７１５）に保存された前回のデータを、その測定時現在時刻を考慮した上で、就寝直前尿であると認識し、解析に利用する。ハードディスク（回帰式格納部７１６）には個人に応じた「就寝直前尿」と「夜間尿（８時間補正）」と１日尿中排泄塩分量との相関関係を表した回帰式が保存されており、ＣＰＵ２１１（１日尿中排泄量算出部７１３）は就寝前尿中塩分量と夜間尿中塩分量（８時間補正）を用いて回帰式から１日尿中排泄塩分量を推定する。
【００８８】
なお、本実施の形態において、排泄時刻情報の判断はＣＰＵ２１１が計時部２１６により検出するものとしたが、使用者が使用したコントロールパネル上の排泄時刻情報ボタンからの情報を合わせて使用してもかまわない。
【００８９】
本実施の形態では、実施の形態１と異なり、就寝前尿中排泄塩分量及び８時間に補正した夜間尿中排泄塩分量と１日尿中排泄塩分量との相関関係を表す回帰式を用いた。
【００９０】
表３は、３０代男性が実際に１１日間蓄尿を行い、各排尿中の塩分濃度と尿量から尿中塩分量を測定し、その排尿時刻とともに記録した実験を解析したもので、尿中排泄塩分量と１日尿中排泄塩分量との相関を示した表である。
【００９１】
【表３】
2007123245.tif 000026
【００９２】
表３にあるように従来の「夜間尿中塩分量（８時間補正）」と「１日尿中排泄塩分量」との相関（Ｒ2＝０．４４５６）より本発明の「就寝直前尿中塩分量と夜間尿中塩分量（８時間補正）の和」と「１日尿中排泄塩分量」との相関（Ｒ2＝０．８７９６）のほうが高い。したがって、従来の「夜間尿（８時間補正）」のみから推定した１日尿中排泄塩分量より本発明の「就寝直前尿」と「夜間尿（８時間補正）」からの推定量のほうが、１日尿中排泄塩分量との相関が高いことがわかる。
【００９３】
実施の形態１及び２においては、１１日分のデータを用いて回帰式を構築する例を用いたが、採用日数は特に規定するものではない。塩分摂取量には個人内でも変動があり、また季節変動もあるため、より直近の数日間のデータを用いて回帰式を構築・更新するのが望ましい。さらに、通勤・勤務している日や、休日など、睡眠・食事・運動・活動パターンが似ている日ごとに回帰式を作成してもかまわない。
【００９４】
図９は、本実施の形態２の尿中１日排泄量測定装置２００のコントロールパネルの外観を示す図である。本実施の形態の尿中１日排泄量測定装置２００は、測定開始ボタン２０４、表示部２０７、排泄時刻情報ボタン２３０、結果表示ボタン２４０、カーソル移動ボタン２５０および測定報知メニューボタン２６０を備える。排泄時刻情報ボタン２３０は、「就寝直前尿」と「夜間尿」との排泄時刻情報の入力を受け付けるボタンのほか、測定時の現在時刻を使用者が手入力するための時刻ボタンを含む。結果表示ボタン２４０は、使用者に押されることによって、１日尿中排泄量算出部７１３の算出結果である１日尿中排泄塩分量や、それに対応する健康アドバイスなどを表示することを指示する信号を、１日尿中排泄量算出部７１３に出力する。カーソル移動ボタン２５０は、表示部２０７に表示される健康アドバイスなどをスクロールさせたり、複数の選択候補の中から１つを選択するためにカーソルを移動させたりするためのボタンである。測定報知メニューボタン２６０は、１日尿中塩分量との相関が高い排泄時刻情報の尿の計測を促すために、報知メニュー表示部７１７に次の測定に適した排尿時刻の表示を指示するためのボタンである。
【００９５】
尿中１日排泄量測定装置２００が実施の形態１の尿中１日排泄量測定装置１００と異なるのは、コントロールパネル上の表示部２０７が大きく設けられ、表示部２０７に測定タイミングを報知する測定報知メニューの表示画面を表示できる点である。この測定報知メニューは１日尿中塩分量との相関が高い排泄時刻情報の尿の計測を促すものであり、本実施例では、食事や運動などの活動を行う時間帯と睡眠時間帯とで尿中塩分排泄の生体リズムが異なることを考慮して、活動を行う時間帯の尿サンプルとして、就寝直前の尿を、睡眠時間帯の尿サンプルとして夜間尿を用いる。したがって、使用者が測定報知メニューを選択すると、１日尿中塩分量との相関が高い排泄時刻情報、つまり、就寝時刻と起床時刻に、アラームを発生させるなどの音による報知や、光による報知などを行うことで、使用者の注意を喚起し、測定を促す。この就寝時刻と起床時刻は使用者が入力するものでもよいし、一般的に就寝・起床すると推定される時間帯を通して報知する形態をとってもかまわない。又、コントロールパネルの待ち受け表示として１日尿中塩分量との相関が高い排泄時刻情報を表示する形態をとってもよい。
【００９６】
本構成により、１日尿中塩分量との相関が高い排泄時刻での測定が容易になり、より精度の高い１日排泄量の推定につながる。
【００９７】
（実施の形態３）
＜個人別回帰式の作成＞
図１０は、使用者ごとに回帰式を作成する尿中１日排泄量測定装置３００の構成を示すブロック図である。本実施の形態３の尿中１日排泄量測定装置３００は、少なくとも３日分の就寝直前尿中塩分量、８時間補正された夜間尿中塩分量およびそれらの和に対応する１日尿中排泄塩分量を蓄積し、図７に示したグラフのように、最小二乗法により使用者ごとに個別の回帰式を作成する。そして、回帰式が作成された後は、作成された回帰式を用いて、１日尿中排泄塩分量を算出する尿中１日排泄量測定装置である。尿中１日排泄量測定装置３００は、アドバイス格納部４１７、８時間補正部７１２、１日尿中排泄量算出部７１３、尿中成分量蓄積部７１５、回帰式格納部７１６、尿中成分量算出部９１１および回帰式算出部９１４を備える。
【００９８】
尿中１日排泄量測定装置３００は、「さらに、少なくとも３日分の前記就寝直前尿中の成分量、前記夜間尿中の成分量およびそれらに対応する前記尿中１日排泄量を蓄積する尿中成分量蓄積手段と、前記尿中成分量蓄積手段に蓄積されている前記就寝直前尿中成分量及び前記夜間尿中成分量の和と、それらに対応する尿中１日排泄量とから、線形近似により、就寝直前尿中成分量及び夜間尿中成分量の和と尿中１日排泄量との相関関係を算出する相関関係算出手段とを備えることを特徴とする前記尿中１日排泄量測定装置。」に相当し、尿中成分量蓄積部７１５が「尿中成分量蓄積手段」に、回帰式が「相関関係」に、回帰式算出部９１４が「相関関係算出手段」にそれぞれ相当する。
【００９９】
尿中１日排泄量測定装置３００では、尿中成分量算出部９１１および回帰式算出部９１４が新たな構成要素であるので、以下に図１１のフローチャートを参照しながら尿中成分量算出部９１１および回帰式算出部９１４の動作について詳しく説明する。図１１は、図１０に示した尿中１日排泄量測定装置３００が使用者ごとの回帰式を作成する際の処理の流れを示すフローチャートである。
【０１００】
使用者は、尿を採取し、入力部２１８であるコントロールパネル上の図示しない回帰式作成ボタンを押すと、ＣＰＵ２１１が回帰式作成ルーチンを開始し、尿の測定が始まる。回帰式作成ルーチンが開始されると、ＣＰＵ２１１（尿中成分量算出部９１１）は計時部２１６により検出した測定時現在時刻の入力を実施する（Ｓ８０１）。また、使用者は「就寝直前尿」「夜間尿」などの排泄時刻情報を入力する。センサ３で尿量および塩分濃度が測定されると（Ｓ８０２）、実施の形態１に示した手順でＣＰＵ２１１（尿中成分量算出部９１１）は尿中塩分量を算出し（Ｓ８０３）、測定時現在時刻および排泄時刻情報とともにハードディスク（尿中成分量蓄積部７１５）に記憶させる（Ｓ８０４）。８時間補正部７１２は、入力された排泄時刻情報が「夜間尿」であるとき、算出された尿中成分量を実施の形態２と同様にして８時間補正し、測定時現在時刻および排泄時刻情報「８時間補正夜間尿」とともにハードディスク（尿中成分量蓄積部７１５）に記憶させる。尿中成分量算出部９１１（および８時間補正部７１２）は、ステップＳ８０１からＳ８０４の処理を繰り返し行い、（Ａ）測定された尿量、塩分濃度、尿中塩分量および８時間補正された夜間尿中塩分量を、１日分、測定時現在時刻および排泄時刻情報に対応付けてハードディスク（尿中成分量蓄積部７１５）に蓄積する（Ｓ８０５）。尿中成分量算出部９１１は、尿中成分量蓄積部７１５に蓄積されている尿中塩分量を１日分合計することによって、１日尿中排泄塩分量を算出し（Ｓ８０６）、算出した１日尿中塩分排泄量と（Ａ）とを１日分の排泄データとして尿中成分量蓄積部７１５に蓄積する（Ｓ８０７）。
【０１０１】
尿中成分量算出部９１１および８時間補正部７１２は、ステップＳ８０１からＳ８０７の処理を繰り返し行い、数日間、好ましくは５日間、少なくとも３日間の１日分の排泄データを、測定時現在時刻および排泄時刻情報に対応付けてハードディスク（尿中成分量蓄積部７１５）に蓄積する（Ｓ８０８）。
【０１０２】
回帰式算出部９１４は、排泄時刻情報に対応付けて蓄積されている複数の尿中排泄塩分量の組み合わせ（特に、就寝直前尿中塩分量と８時間補正夜間尿中塩分量との和）と、ステップＳ８０６で算出したその日の１日尿中塩分排泄量とを測定日ごとにプロットし、図７に示したようなグラフを作成する（Ｓ８０９）。回帰式算出部９１４は、グラフ上にプロットされた各点から、最小二乗法により回帰式を算出する（Ｓ８１０）。回帰式算出部９１４は、算出された回帰式を回帰式格納部７１６に格納する（Ｓ８１１）。
【０１０３】
以上のように、本実施の形態３によれば、使用者が尿中１日排泄量測定装置３００を用いて数日間、１日分の全回数の排尿を測定することによって、使用者の個別の回帰式が自動的に作成される。このため、使用者は病院や保健所などの施設に行って回帰式を作成してもらう必要がなく、自分で個別の回帰式を作成することができる。そしてまた、標準的な性別、年代別の回帰式を用いて１日尿中排泄量を算出する場合に比べて、個別に作成された回帰式を用いて１日尿中排泄量を算出することにより、より正確な１日尿中排泄量を算出することができ、この結果、より適切な健康アドバイスを得ることができるという効果がある。
【０１０４】
なお、上記実施の形態では、使用者が１日分の排泄データを蓄積し、蓄積された排泄データ中の尿中塩分量を合算することにより、１日尿中排泄塩分量を算出した。しかし、回帰式の精度は低くなるものの、使用者が１日分の排泄データを蓄積せず、例えば、就寝直前尿中塩分量と８時間補正夜間尿中塩分量とだけを数日間測定することによって、回帰式を作成するとしても良い。この場合、１日尿中排泄塩分量は、性別、年代別に標準的な回帰式を用いて１日尿中排泄量算出部７１３が算出したものを用いる。このようにすれば、使用者は、１日分の全部の排尿を測定する必要がなく、就寝直前排泄尿と夜間尿の２回だけ測定を行えばよく、自分用にカスタマイズされた回帰式を得ることができる。また、測定回数を重ねるごとに回帰式を修正していけば、より使用者個人に合った回帰式を得ることができるという効果がある。
【０１０５】
（実施の形態４）
＜尿量のクレアチニン補正＞
一回の採尿で採取される尿であるスポット尿では、水分の摂取や発汗により尿が濃縮あるいは希釈されていることが多いため、濃度による評価では尿中成分の異常を過小あるいは過大に評価してしまう可能性がある。この問題に対する対策として、尿中成分と同時に尿量を測定し１日排泄量を算出する方法と、尿中成分と同時に尿中クレアチニンを測定し、尿中成分／クレアチニン比で評価する方法等がある。尿中成分と同時に尿量を測定し１日排泄量を算出する方法については、すでに上記実施の形態１〜３で説明した。
【０１０６】
以下、尿中成分の濃度と同時に尿中クレアチニンの濃度とを測定し、尿中成分／クレアチニン比で評価する方法について、詳しく説明する。クレアチニンは、クレアチンの脱水物で、生物学的活性を持たない。生体内では筋、神経内で、クレアチンリン酸から直接に、またクレアチンの脱水によって生成され、血中に出現し、腎糸球体から濾過された後、ほとんど再吸収されずに尿中に排泄される。クレアチニン産生量は筋肉のクレアチン総量（筋の総量）と比例するため、成人ではその産生量は体重ｋｇ当たりほぼ一定であり、１日尿中クレアチニン排泄量は、食事性因子や尿量などにほとんど影響されず、ショックや出血がない限り個体によりほぼ一定であるとされている。このため、尿中物質排泄量の尿量に伴う補正を行う目的で尿中クレアチニン量測定が行われる。
【０１０７】
クレアチニン補正は、尿の濃縮や希釈の影響を補正した尿中成分の評価が可能であるとして、臨床で多用されており、この尿中成分／クレアチニン比に１日尿中クレアチニン排泄量を乗算し、１日尿中成分排泄量を算出することも可能であり、スポット尿中の成分量から１日尿中成分排泄量を推定する方法が検討されている。
【０１０８】
１日尿中Ｃｒｅ排泄量は固体内変動が極めて小さく、年齢や体格と高い相関があるといわれている。この点に注目して、田中ら（非特許文献：H．Ueshima，et al:A simple method to estimate populational 24-h urinary sodium and potassium excretion using ａ casual urine specimen．Journal of Human Hypertension，16,97-103(2002)）や川崎らは、日本人を対象に、年齢、身長、体重を独立変数、１日尿中Ｃｒｅ排泄量の実測値を従属変数とした重回帰分析を行って１日尿中Ｃｒｅ排泄量の予測式を作成している。田中らの作成した予測式を下に記載する。
【０１０９】
１日尿中Ｃｒｅ排泄量予測値（ＰＲＣｒ）＝−２．０４×（年齢）＋１４．８９×（体重（ｋｇ））＋１６．１４×（身長（ｃｍ））−２２４４．５５（ｍｇ／日）
【０１１０】
そして田中らや川崎らは、スポット尿中Ｎａ／Ｃｒｅ比に１日尿中Ｃｒｅ排泄量予測値ＰＲＣｒを乗算して１日尿中Ｎａ排泄量予測値ＸＮａを求め、さらに計算で求めた１日尿中Ｎａ排泄量予測値ＸＮａと実測値とを比較して、１日Ｎａ排泄量予測式を作成している。以下に田中らの作成した１日Ｎａ排泄量予測式を記載する。なお、以下の式において、ＳＵはスポット尿を表す。
【０１１１】
１日尿中Ｎａ排泄量予測値ＸＮａ＝｛（ＳＵ中Ｎａ濃度）÷（ＳＵ中Ｃｒｅ濃度）｝×（ＰＲＣｒ）
１日尿中Ｎａ排泄量（ｍＥｑ／ｄａｙ）＝２１．９８×ＸＮａ0.392
【０１１２】
尿量測定による尿中１日排泄量測定方法を用いる場合は、使用者は一回の排尿時に排泄した全ての尿を採取し、その尿量を測定する必要がある。一方、クレアチニン補正を用いる場合は、尿量測定用のセンサの代わりにクレアチニン濃度測定用のセンサを用いることで、尿量の測定を実施しない。その代わり、スポット尿中のクレアチニン濃度測定を実施し、その結果から１日クレアチニン排泄量を予測し、尿中成分量の補正を行う。そのため、使用者は１回の排尿時に排泄した尿を一部だけ採取すればよく、全ての尿を採取しなければならないという負担がなくなる。この結果、スポット尿中の成分濃度と尿量とから尿中１日排泄量を算出する方法と比べて、より簡便に尿中１日排泄量を算出することが可能となる。従って、実施の形態４の尿中１日排泄量測定装置では、便器やおしり洗浄装置などに設けた採尿装置を用いて尿を採取する方法をとることもできる。
【０１１３】
なお、本実施の形態４ではクレアチニン補正方法として、田中らの式を使用したが、これに限定されるものではない。スポット尿中のクレアチニン濃度を用いて、スポット尿中の成分量（または尿中成分のクレアチニン比）からその成分の尿中１日排泄量を算出するための式であれば、これと同様に使用することが可能である。例えば、田中らによれば、年齢、身長、体重を独立変数とした上記予測式を用いたが、性別を独立変数とする予測式を用いるとしてもよい。また、別の方法として、上記のような予測式の代わりに、年齢、身長、体重および性別のいずれかまたはその組み合わせと、それに対応する１日クレアチニン排泄量を示すテーブルを格納しておくとしてもよい。この場合、テーブルから被験者の１日クレアチニン排泄量を読み出して、各スポット尿ごとの尿中成分のクレアチニン比を乗算し、尿中１日排泄量を算出するとしてもよい。
【０１１４】
図１２は、実施の形態４の尿中１日排泄量測定装置４００のハードウェア構成を示す図である。実施の形態４の尿中１日排泄量測定装置４００では、センサ３において、実施の形態１における尿量センサの部分をクレアチニンセンサに変更した構成をとっている。すなわち、尿中１日排泄量測定装置４００は、１回の排尿中に含まれるクレアチニン濃度と、その尿中に含まれる尿中成分の濃度とを一定期間内の複数回のスポット尿について測定することにより、その一定期間内の平均的な１日分（例えば、起床後第１回目の尿排泄時刻からさかのぼった１日分）の尿中に排泄された尿中成分の総量を自動的に算出する装置であって、制御ユニット２とセンサ３とからなる。制御ユニット２は、表示部２０７、ＣＰＵ２１１、メモリ２１５、計時部２１６、送信部２１７、入力部２１８などを備え、これらの各部がバスにより相互に接続されている。センサ３は、クレアチニンセンサ３０３と、塩分センサ３０２とを備える。
【０１１５】
表示部２０７は、液晶ディスプレイで構成されているが、計測データや解析データを表示するものであれば特に限定するものではない。表示部２０７は、データ入力画面や、計測データや解析データを表示する出力画面、測定指示を表示する指示画面などを表示する。具体的には、表示部２０７は、測定されたクレアチニン濃度、尿中成分の濃度、尿中成分のクレアチニン比で表される尿中成分量、算出された１日尿中排泄量などを表示する。そのほか、表示部２０７は、「前記比較手段によって、前記尿中１日排泄量が前記基準量を上回ると判断されたときにアドバイスを表示する表示手段」に相当し、算出された１日尿中排泄量に基づく健康アドバイスなどを表示する。また、測定に好ましいタイミングを使用者に報知するためのお知らせ画面などを表示する。ＣＰＵ２１１は、制御ユニット２全体の制御を司る。また、ＣＰＵ２１１はＲＯＭに記憶されたプログラムに従い、各センサを用いた尿を測定する処理、測定された尿中塩分濃度と尿中クレアチニン濃度を用いて１日尿中排泄量を推定する処理、複数回のスポット尿測定データから平均１日尿中排泄量を推定する処理などの測定データの２次処理を行う。またＣＰＵ２１１は、コントロールパネルに設けられた入力部２１８やタッチパネルなどと信号をやり取りすることで、使用者からの指示を入力したり、表示部２０７に各情報を表示したりする。
【０１１６】
メモリ２１５は、ＲＡＭ、ＲＯＭ、ＩＣメモリおよびハードディスクなどからなる。メモリ２１５は、例えば、ＲＯＭなどに、スポット尿中クレアチニン濃度と、１日尿中排泄量との相関関係をあらかじめ記憶している。また、ハードディスクやＩＣメモリなどで実現される読み書き可能な大容量のメモリ２１５には、測定の都度、排泄時刻情報と対応付けられ測定されたクレアチニン濃度、尿中成分の濃度および尿中成分量などの測定データが蓄積される。
【０１１７】
計時部２１６は、タイマなどであり、排泄時刻情報を検出する。
【０１１８】
送信部２１７は、赤外線通信や携帯電話回線などにより、使用者があらかじめ登録した外部のパソコン、携帯電話機、ＰＤＡなどに測定結果や健康アドバイスなどを送信する。
【０１１９】
入力部２１８は、制御ユニット２に設けられた各種ボタンや、表示部２０７に設けられたタッチパネルなどである。
【０１２０】
なお、図示を省略したが、本実施例の尿中１日排泄量測定装置１００は、入出力ポートを備え、入出力ポートに接続された外部のフレキシブルディスクドライブあるいはＩＣメモリドライブを介してフレキシブルディスクやＩＣメモリにデータを入出力することができる。
【０１２１】
クレアチニンセンサ３０３は、センサ内に吸引された尿中のクレアチニン濃度を測定する。具体的には、クレアチニンの測定は、酵素法を用いる。センサ内に、クレアチニン測定用酵素であるクレアチニンアミドヒドロラーゼ、クレアチニンアミジノヒドロラーゼ、ザルコシンオキシダーゼと色素をセンサ内に乾燥担持させ、色素の色変化を判定してクレアチニン濃度を測定する（参考文献：特開昭５４−１５１０９５号公報）。
【０１２２】
なお、クレアチニンの測定方法は、本実施の形態で使用したクレアチニン測定の酵素法に限定されない。クレアチニンの酵素法による測定方法としては、他にクレアチニンディミナーゼを用いアンモニアを検出する方法（参考：特表２００１−５１２６９２号公報）などがあり、それらの方法を用いてもよいし、その他の方法で簡便に尿中のクレアチニン濃度を測定する方法があればそれを用いてもよく、スポット尿中のクレアチニン濃度が測定可能な構成であればよい。
【０１２３】
塩分センサ３０２は、センサ３内に吸入された尿の尿中塩分濃度を測定する。塩分センサ３０２は、導電率法を用いた電極法により尿中塩分濃度を測定する。導電率の測定は、所定の端子間のインピーダンスを測定することによって実現でき、可動部分が存在しないため構造が簡略で動作信頼性が高い。尿中の導電率は概ねナトリウムの濃度に依存するため、あらかじめ尿中のナトリウム濃度と電気伝導度との相関関係から検量線を求めておき、導電率を測定するための２つの電極を持った安価なセンサでナトリウムの濃度を測定することができる。なお、導電率により塩分濃度を測定する場合、塩分以外のカリウムやマグネシウムなどによる誤差を取り除くために補正を行ってもよい。
【０１２４】
図１３は、図１２に示したＣＰＵ２１１およびメモリ２１５によって実現される尿中１日排泄量測定装置４００の主要部機能ブロック図である。同図に示すように、尿中１日排泄量測定装置４００は、尿中成分量算出部４１１、平均１日尿中排泄量算出部４１８、尿中成分量蓄積部４１５、回帰式格納部４１６およびアドバイス格納部４１７を備える。
【０１２５】
尿中１日排泄量測定装置４００による尿中１日排泄量測定方法は、「前記尿中成分量算出ステップで、前記尿中成分量算出手段が、成分センサによって測定された前記スポット尿中の成分濃度と、クレアチニンセンサによって測定された前記スポット尿中のクレアチニン濃度とから、スポット尿中に含まれる前記成分量として前記スポット尿中の前記尿中成分のクレアチニン比を算出し、前記尿中１日排泄量算出ステップで、前記１日尿中排泄量算出手段が、前記尿中成分量算出手段によって算出された前記尿中成分量であるクレアチニン比と、あらかじめ前記尿中成分量算出手段に保持されているクレアチニン１日排泄量とを用いて、前記成分の尿中１日排泄量を算出することを特徴とする尿中１日排泄量測定方法。」に相当する。これにおいて、尿中成分量算出部４１１は、「成分センサによって測定された前記スポット尿中の成分濃度と、クレアチニンセンサによって測定された前記スポット尿中のクレアチニン濃度とから、スポット尿中に含まれる前記成分量として前記スポット尿中の前記尿中成分のクレアチニン比を算出する前記尿中成分量算出手段」に相当し、平均１日尿中排泄量算出部４１８は「前記尿中成分量算出手段によって算出された前記尿中成分量であるクレアチニン比と、あらかじめ前記尿中成分量算出手段に保持されているクレアチニン１日排泄量とを用いて、前記尿中１日排泄量算出ステップで、前記成分の尿中１日排泄量を算出する前記１日尿中排泄量算出手段」にそれぞれ相当する。
【０１２６】
また、尿中１日排泄量測定装置４００による尿中１日排泄量測定方法は、「前記１日尿中排泄量算出手段が、前記尿中成分量算出手段によって前記期間内に算出された３回以上、１４回以下のスポット尿中の尿中成分量を用いて、尿中１日排泄量を算出する尿中１日排泄量測定方法」に相当し、平均１日尿中排泄量算出部４１８が「１日尿中排泄量算出手段」に相当する。
【０１２７】
尿中成分量算出部４１１は、クレアチニンセンサ３０３から入力されるクレアチニン濃度および塩分センサ３０２から入力される塩分濃度とから、スポット尿中の塩分量とクレアチニン量との比を算出する。さらに、尿中成分量算出部４１１は、入力されたクレアチニン濃度および塩分濃度と、算出された塩分クレアチニン比とを、計時部２１６から取得された測定時現在時刻と、入力部２１８から入力された排泄時刻情報とに対応付けて尿中成分量蓄積部４１５に蓄積する。
【０１２８】
平均１日尿中排泄量算出部４１８は、尿中成分量算出部４１１によってスポット尿中塩分量が算出されると、その測定時刻から１週間以内に測定された直近５回分の塩分のクレアチニン比を尿中成分量蓄積部４１５から読み出す。次いで、平均１日尿中排泄量算出部４１８は、回帰式格納部４１６に格納されている回帰式（田中らによる上記３式）に、読み出した各６回分の塩分量のクレアチニン比を代入し、塩分の１日尿中排泄量を算出する。さらに、平均１日尿中排泄量算出部４１８は、算出された全６回分の測定データ、すなわち、塩分の１日尿中排泄量の平均値を算出することによって、使用者の過去１週間の平均的な１日の尿中に排泄された塩分の平均１日尿中排泄量を算出する。また、平均１日尿中排泄量算出部４１８は、算出された平均１日尿中排泄量の量に対応するアドバイスをアドバイス格納部４１７から読み出して、表示部２０７に表示させる。さらに、１日尿中排泄量算出部４１３は、入力部２１８から入力された指示に従って、算出した１日尿中排泄量やそれに対応するアドバイスなどの情報を送信部２１７に出力する。
【０１２９】
尿中成分量蓄積部４１５は、スポット尿の測定の都度、測定時の現在時刻、排泄時刻情報、クレアチニン濃度、塩分濃度などを蓄積する。またスポット尿中の塩分量のクレアチニン比、平均１日尿中排泄量および平均１日尿中塩分排泄量と基準量からの差分などを算出する場合は併せてそれも蓄積する。回帰式格納部４１６は、複数回のスポット尿中塩分量のクレアチニン比と、塩分の平均１日尿中排泄量との相関関係を表すあらかじめ算出された回帰式を格納している。アドバイス格納部４１７は、塩分の平均１日尿中排泄量の基準量、または前記基準量からのずれ量に対応してあらかじめ定められた健康アドバイスを格納している。
【０１３０】
（尿中成分量の測定方法）
次に、この尿中１日排泄量測定装置４００により、随時採取される尿中に排泄される塩分量を測定・解析し、１日尿中塩分排泄量を推定する方法を図２から図６を参照して説明する。
【０１３１】
まず、使用者が排尿時に、尿を一部採取し、測定装置に装着したセンサ部分を採取した尿に浸す。使用者が制御ユニット２のコントロールパネル上の測定開始ボタン２０４を押すと、ＣＰＵ２１１が測定制御ルーチンを開始し、尿の測定が始まる。
【０１３２】
図６は、図２に示したＣＰＵ２１１によって実行される測定制御ルーチンを示すフローチャートである。
【０１３３】
測定制御ルーチンが開始されると、ＣＰＵ２１１は計時部２１６により検出した測定開始時刻（測定時の現在時刻）の入力を実施する（ステップ３１１）。このとき、使用者はコントロールパネル上の排泄時刻情報ボタン２０５を押して排泄時刻情報を入力する。
【０１３４】
次にＣＰＵ２１１は、尿の測定処理を実行する（ステップ３１２）。測定処理はセンサ３に備えられた塩分センサ３０２、クレアチニンセンサ３０３によってそれぞれ実施される。本実施例においては導電率測定後、塩分濃度が検出され、光学測定を実施後、クレアチニン濃度が検出される。ＣＰＵ２１１（図３の尿中成分量算出部４１１）は、塩分濃度とクレアチニン濃度及びあらかじめ入力されている使用者の年齢、身長、体重の値を使用し田中らが作成した式から１日尿中塩分排泄量を算出する。更に、今回の測定から遡ること、１週間以内に実施した夜間尿および就寝前尿いずれかの測定５回分の１日尿中塩分排泄量の結果と、今回測定した１日尿中塩分排泄量の結果の計６回分のデータの平均値を算出し、平均１日尿中塩分排泄量を算出する。この値は、測定を実施した日時から過去約１週間の平均的な塩分摂取量を表している。
【０１３５】
なお、本構成において、測定から遡ること一定期間（この場合は１週間）以内に規定の測定回数（この場合は、計６回）の測定が実施されていない場合は、測定装置の表示部に対し、平均１日摂取量が算出できない旨、またあと何度計測すればよいかを示す目安や、今回の測定を実施したことを評価するコメントなどを表示する構成としている。このようにすると、測定装置の使用者に対して、測定を促す効果が得られ、また、次の生活改善（減塩）を継続させる効果がある。
【０１３６】
さらに、ＣＰＵ２１１（図３の１日尿中排泄量算出部４１３）は、ハードディスク（図３のアドバイス格納部４１７）にあらかじめ記憶された塩分尿中排泄基準量と、算出した平均１日尿中塩分排泄量とを比較し、基準量からの差分を算出する（ステップ３１４）。基準量はあらかじめ医療機関などにより推奨されている平均値を用いてもよいし、使用者自身の目標値をコントロールパネルから入力させる形態をとってもよい。ここでは、使用者がコントロールパネルのボタン（入力部２１８）を操作することによって基準値を入力するものとする。１日尿中塩分排泄量や基準量との比較結果は計測日時とともにハードディスクに記憶される（ステップ３１５）。
【０１３７】
そして、尿中塩分量や１日尿中塩分排泄量や基準値との比較結果は、コントロールパネルの表示部２０７に表示される（ステップ３１６）。なお、基準値との比較結果は、使用者が図示しない結果表示ボタンを押すと表示されるようにしてもよい。このとき、ハードディスクに平均１日尿中塩分排泄量や基準値との比較結果に応じた健康アドバイスを記憶させる形態をとれば、測定結果や比較結果とともに健康アドバイスを合わせてコントロールパネルに表示することができる。健康アドバイスには、使用者の状況に応じて種々のものが考えられるが、塩分摂取過剰による健康への悪影響を伝えるものや、日々の食生活における減塩のコツなどが例として挙げられる。また、基準値や目標値より排泄量が少なかった場合はほめるなどのメッセージを表示したりする形態をとっても良い。
【０１３８】
本構成により、使用者は自身の平均１日尿中塩分排泄量を把握することができる。また、自身の塩分摂取量が目標値や推奨値とどのくらい差があるのかも知ることができ、塩分摂取の自己管理に有用である。さらに、健康アドバイスやメッセージは自身の塩分摂取の自己管理の励みや正しい健康に対する知識の習得ともなる。
【０１３９】
本構成では、夜間尿及び／又は就寝前尿のスポット尿の測定回数を、１週間以内で６回とした場合について記載した。
【０１４０】
次に、１日の塩分の摂取量を一定量制限した際、その塩分摂取量の制限程度を本構成の測定装置を用いて判定できるかどうかについて評価した。以下に、その評価結果を示す。成人男女（８名）について、６日間、１日の塩分量を一定値に規定した食事を摂取し、高塩分量と低塩分量との各期間について、本実施の形態４に記載した測定装置を用いて測定を実施した。測定は、毎日夜間尿、就寝前尿について測定した。塩分摂取量の制限程度を判定できるかどうかについての評価とは、高塩分量摂取期間と低塩分量摂取量期間の差を見分けられるかどうかについてであり、このときの各期間の摂取塩分量の差は、塩分４ｇ／日とした。図１４は、夜間尿・就寝前尿双方を含む複数回のデータの平均値を用いた場合の、期間差検出数を示すグラフである。なお、図１４及び以下の図１５、図１６では、グラフの横軸は週のうちの連続測定回数を示している。期間差検出数は、使用者８名のうち、高塩分摂取期間と低塩分摂取期間それぞれで測定した平均１日尿中排泄量を用いて、その期間の差を検出することができた使用者の人数を示している。その結果、６回以上の測定では、８名中６名以上について塩分摂取量の差を検出している。また、測定回数が４〜５回についても８名中４名と半数について摂取量の差を検出している。
【０１４１】
図１５は、夜間尿のみの測定で得られた複数回のデータの平均値を用いた場合の、期間差検出数を示すグラフである。また、夜間尿（朝）のみの測定を用いると、図１５に示すように、４回以上の測定の平均について８名中５名以上の差を検出することができた。また３回の測定の平均についても、８名中４名と、半数について差を検出することができた。図１６は、就寝前尿のみの測定で得られた複数回のデータの平均値を用いた場合の、期間差検出数を示すグラフである。図１６に示すように、就寝前尿（夜）のみの測定について平均値を用いた場合は、４回以上の測定で８名中４名以上が差を検出することができた。
【０１４２】
このように、尿中１日排泄量を複数回測定することによって、各期間の平均的な摂取量を把握することができ、また尿中に排泄される成分の摂取量に差がある期間について、本実施の形態に示した測定装置を用いることでその差を精度よく検出することが出来る。
【０１４３】
また、上記実施の形態４で説明したように、一定期間（例えば、１週間）内に所定回数（例えば、６回）の測定を完了した後に、尿中１日排泄量測定装置によって測定された塩分の尿中１日排泄量の平均値やアドバイスなどを表示部２０７に表示することによって、より精度の高い測定結果を使用者に提供し、併せて、より適切なアドバイスを提供することができるという効果がある。ここで、表示部２０７は、「前記期間内に前記複数回採取される各スポット尿中の成分量が前記尿中成分量算出手段によって算出されてはじめて、前記１日尿中排泄量算出手段によって算出された尿中１日排泄量を表示する表示手段」に相当する。
【０１４４】
以上のように、本実施の形態に示した尿中１日排泄量測定装置によれば、３回以上の複数回のスポット尿測定結果を用いることで、一定期間における平均的な尿中１日排泄量の結果を得ることができ、その結果から摂取量が異なる期間についてその摂取量の差を検出することが可能となる。このことは、生活習慣病の治療、または予防の分野における、減塩指導の際に、その効果判定ツールとして使用することが出来る。
【０１４５】
本実施の形態においては、クレアチニン補正を用いたため、尿中成分量の測定に基づく尿中１日排泄量の算出よりも測定精度が下がるものの、測定装置の使用者の利便性は大きく増しており、クレアチニン補正に基づく尿中１日排泄量の算出はより簡便な測定方法であると言える。
【０１４６】
なお、尿中成分量測定部としては、尿中に排泄される成分の量を測定できるものであれば特に限定するものではないが、尿量を測定する手段と尿中成分濃度を測定する手段とを組み合わせて尿中に排泄される成分の量を測定する方法が例として挙げられる。
【０１４７】
また、上記実施の形態では、尿中成分として尿中塩分を例として説明したが、本発明の尿中１日排泄量測定装置によって１日尿中排泄量を測定できる尿中成分は、尿中塩分量に限られない。使用者の健康状態の変化を検出できる尿中成分としては、タンパク、塩分、尿酸などが例として挙げられる。尿中成分濃度を検出する手段としては、その測定対象物に応じて種々の方法が用いられる。
【０１４８】
タンパクは、尿中アルブミンとも言われ、尿中アルブミンの濃度は腎臓の機能を見る指標として用いられ、とくに糖尿病が進行することによって発症する糖尿病性腎症では、初期段階で微量に排泄される微量アルブミンを検出することが早期発見のために重要であるといわれている。アルブミンを検出する手段として種々のものが用いられるが、アルブミンを特異的に結合する抗アルブミン抗体を用いた免疫法や免疫比濁法などが例として挙げられる。
【０１４９】
塩分は高血圧や胃癌の要因となることが知られており、これらの病気の予防、治療のためには塩分の摂取量を適切な値にコントロールすることが望まれる。尿中に排泄される塩分は摂取した塩分量とほぼ等しいことから、一日に排泄される塩分量を測定することで、一日の塩分摂取量の目安となる。尿中の塩分を検出する手段としては種々のものが用いられるが、導電率法を用いた電極法や、ナトリウムイオンと選択的に反応する選択電極を用いたもの、また、電量滴定法やイオン選択電極法によるクロライドイオンの検出などが例として挙げられる。
【０１５０】
尿酸は痛風などの原因物質として知られており、尿酸は一日の合成量の約８０％弱が尿中に排泄されるといわれている。そのため、尿中の尿酸を測定すれば体内の尿酸値を推定することができ、痛風その他の病気の予防、治療に活用することができる。尿酸を検出する方法としては種々のものが用いられるが、電極法や、ウリカーゼにより分解された後の溶液の色に基づいて尿酸の濃度を検出する方法などが例として挙げられる。
【０１５１】
排泄時刻情報とは、尿の排泄が行われた時を限定するものであり、例えば、尿排泄が行われたときの日時、時刻などが例として挙げられる。また、早朝、昼間、深夜、午前、午後といった一日の中の時間的区切りを示すものや、春、夏、秋、冬といった季節、そして食事前、食事後、運動前、運動後、就寝直前、起床後といった生活に関連したもの、また、起床後第１回目、第２回目、・・といった起床してからの排尿回数なども排泄時刻情報の例として挙げられる。
【０１５２】
排泄時刻情報の検出は、計時部を持つものであればよく、タイマなどが例に挙げられる。カレンダー機能を持つものにより、計測日時もあわせて検出してもよい。これによると、曜日はもちろん、平日や休日の区別がつき、睡眠・食事・運動・活動など生活パターンが類推できるものとなる。
【０１５３】
排泄時刻情報の入力方法の例としては、記憶されたプログラムに従いＣＰＵなどに実行させる方法や、使用者自身が直接入力を行う方法などが挙げられる。尿中成分の排泄には、生体リズムが存在することが知られており、その排泄量は、排尿時刻や活動内容、生活様式、気候などの環境要因に大きく影響を受ける。したがって、尿中排泄量を検討するにあたり、その尿が排泄された時に関する条件が重要となるため、測定された尿中排泄量はその重要な測定条件である排泄時刻情報とともに記憶・解析される。記憶部の種類としては特に限定するものではないが、ハードディスクなどの不揮発性メモリやＣＤ−ＲＯＭ、ＳＤカードといった可動式記録媒体などが例として挙げられる。尿中成分の排泄は個人差が大きいことが知られているが、同一人でも日内変動が大きい。したがって、記憶部に記憶された数日間の測定データを解析することにより、より使用者の健康状態を反映した測定結果を得ることができる。
【０１５４】
排泄時刻情報の就寝の前後の判断は、種々のものがあるが、計時部による方法や、「就寝直前」「起床後第１回目」など就寝行為と関連付けた排泄時刻情報ボタンを使用者に入力させる方法などが例として挙げられる。
【０１５５】
なお、その他の排泄時刻情報の就寝前後の判断方法として、測定器に対し、就寝時刻情報を入力する方法を用いたがこれに限定されるものではない。例えば、あらかじめ使用者の平均的な睡眠時刻パターン（平均就寝時刻と平均起床時刻）を測定装置に記憶させておき、その睡眠時刻パターンと排泄時刻情報を比較することで、就寝前尿または夜間尿であることを装置内で判断する方法や、使用者の寝具の下に一定加重（一般的な人の体重）をセンシング可能なセンサを設置し、そのセンサに一定時間以上（例えば３０分以上）連続して加重を検知した場合を就寝開始とし、一定時間以上（例えば３０分以上）連続して加重がなくなった場合を起床と判断し、その結果を測定装置に備えられている入出力ポートから有線、または無線で測定装置に送信し、排泄時刻情報と比較することで、排泄時刻が就寝前後であることを把握する方法がある。
【０１５６】
この場合、有線での接続方法としては、例えばＵＳＢ接続やＬＡＮ（登録商標）接続などがある。また、無線での接続方法としては、例えば赤外線通信、ブルートゥース（登録商標）通信、無線ＬＡＮなどがある。
【０１５７】
また、表示部としては、計測データや解析データを表示するものであれば特に限定するものではないが、液晶ディスプレイを利用したものなどが例として挙げられる。
【０１５８】
さらに、使用者の健康状態の変化を検出できる尿中成分には、１日当たりの総排泄量として標準値が与えられているものが多い。例えば、食塩の摂取量は、健康日本２１では１０ｇ未満／日、ＷＨＯでは５ｇ以下が目標とされている。基準量としては、特に限定するものではないが、あらかじめ医療機関などにより推奨されている平均値を用いてもよいし、使用者自身の目標値を直接入力させる形態をとってもよい。比較部としては特に限定するものではないが、記憶されたプログラムに従いＣＰＵなどに実行させる方法や、１日排泄量とともに基準量を表示して使用者自身に判断させる方法などが例として挙げられる。さらに、ハードディスクに１日尿中排泄量や基準値との比較結果に応じた健康アドバイスを記憶させ、１日尿中排泄量や基準値との比較結果に応じて健康アドバイスを抽出し、測定結果や比較結果とともに健康アドバイスを合わせてコントロールパネルに表示する形態をとることもできる。健康アドバイスには、使用者の状況や測定対象物に応じて種々のものが考えられるが、塩分測定の場合、塩分摂取過剰による健康への悪影響を伝えるものや、日々の食生活における減塩のコツなどが例として挙げられる。また、基準値や目標値より排泄量が少なかった場合はほめるなどのメッセージを表示したりする形態をとっても良い。
【０１５９】
この測定報知部は、１日尿中排泄量との相関が高い排泄時刻情報の尿の計測を促すものである。報知方法としては特に限定しないが、１日尿中排泄量との相関が高い排泄時刻情報時にアラームを発生させるなどの音による報知や、光による報知などを行うことで、使用者の注意を喚起し、測定を促す方法が例として挙げられる。又、表示部の待ち受け表示として１日尿中排泄量との相関が高い排泄時刻情報を表示する形態をとってもよい。この測定タイミングは使用者が入力するものでもよいし、装置によってあらかじめ記憶された推奨される時間帯を選択するものでもかまわない。
【０１６０】
なお、塩分濃度の検出方法は周知の種々の方法が適用可能である。たとえば、ナトリウムイオンと選択的に反応する選択電極を使用したり、炎光光度法を利用したりしてもよい。炎光光度法とは、炎の中に試料としての尿を噴霧し、ナトリウムから発せられる特定の波長の光の強度を測定するものである。また、クロライドイオンの測定により塩分濃度を検出してもかまわない。クロライドイオンの測定は、電量滴定法やイオン選択電極法など周知の種々の方法が適用可能である。
【０１６１】
尿量の検出は他の周知の電子的な計量部や圧力センサ、水位センサなどを用いてもよい。又、採尿容器に尿量検出センサを設けてもよい。また、使用者自身が排尿時に計量目盛り付きの容器に尿採取したり、電子的な計量器具により尿量を計測したりすることで検出し、コントロールパネルから直接入力する形態をとってもよい。
【０１６２】
液量測定装置としては、光や音波を使用して液面を計る方法、液に浮き子を浮かべて浮き子の位置を測定する方法、槽の底の液圧を計る方法、２電極を液中に浸漬し電気容量の変化を利用する方法、電極を液中に浸漬して液の導電率を測定する方法、抵抗体を液中に浸漬して抵抗体の抵抗を測定する方法などが知られている。また、尿の重量と比重を測定し、重量と比重値から尿量を求めてもよい。
【０１６３】
なお、上記実施の形態では、図４のステップＳ３０１で測定開始ボタン２０４が押されると計時部２１６から測定時の現在時刻が取得され、併せて使用者が排泄時刻情報ボタン２０５を押して排泄時刻情報を入力するとしたが、使用者が手動で測定時の現在時刻だけを入力するとしてもよい。また、排泄時刻情報だけを入力するとしてもよい。
【０１６４】
なお、ブロック図（図３、図８、図１０、図１３など）の各機能ブロックおよび図２、図１２に示した制御ユニット２は典型的には集積回路であるＬＳＩとして実現される。これらは個別に１チップ化されても良いし、一部又は全てを含むように１チップ化されても良い。例えばメモリ以外の機能ブロックが１チップ化されていても良い。
【０１６５】
ここでは、ＬＳＩとしたが、集積度の違いにより、ＩＣ、システムＬＳＩ、スーパーＬＳＩ、ウルトラＬＳＩと呼称されることもある。
【０１６６】
また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用しても良い。
【０１６７】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【０１６８】
また、各機能ブロックのうち、符号化または復号化の対象となるデータを格納する手段だけ１チップ化せずに別構成としても良い。
【産業上の利用可能性】
【０１６９】
本発明にかかる尿中１日排泄量測定装置及び方法は、尿中成分の１日排泄量を高精度にしかも手軽に測定することができ、該尿中成分が１日に排泄される総量を推定するための装置及び方法として有用である。また塩分摂取量の管理などの尿試料を利用した健康管理の用途にも応用できる。
【図面の簡単な説明】
【０１７０】
【図１】図１は、従来の塩分摂取量測定装置を示す図である。
【図２】図２は、本発明の一実施の形態に係る尿中１日排泄量測定装置のハードウェア構成を示す図である。
【図３】図３は、同尿中１日排泄量測定装置の主要部機能ブロック図である。
【図４】図４は、同尿中１日排泄量測定装置の外観および尿中１日排泄量測定装置を用いた尿中成分の測定方法を示す図である。
【図５】図５は、同尿中１日排泄量測定装置の制御ユニットのコントロールパネル部分の外観を示す斜視図である。
【図６】図６は、同尿中１日排泄量測定装置のＣＰＵによって実行される測定制御ルーチンを示すフローチャートである。
【図７】図７は、同尿中１日排泄量測定装置の回帰式格納部に格納される回帰式の例を示すグラフである。
【図８】図８は、本発明の他の実施の形態に係る、夜間尿中塩分量を８時間補正して１日尿中排泄量を算出する尿中１日排泄量測定装置の構成を示すブロック図である。
【図９】図９は、同尿中１日排泄量測定装置のコントロールパネルの外観を示す図である。
【図１０】図１０は、本発明のさらに他の実施の形態に係る、使用者ごとに回帰式を作成する尿中１日排泄量測定装置の構成を示すブロック図である。
【図１１】図１１は、同尿中１日排泄量測定装置が使用者ごとの回帰式を作成する際の処理の流れを示すフローチャートである。
【図１２】図１２は、実施の形態４の尿中１日排泄量測定装置のハードウェア構成を示す図である。
【図１３】図１３は、図１２に示したＣＰＵおよびメモリによって実現される尿中１日排泄量測定装置の主要部機能ブロック図である。
【図１４】図１４は、夜間尿・就寝前尿双方を含む複数回のデータの平均値を用いた場合の、期間差検出数を示すグラフである。
【図１５】図１５は、夜間尿のみの測定で得られた複数回のデータの平均値を用いた場合の、期間差検出数を示すグラフである。
【図１６】図１６は、就寝前尿のみの測定で得られた複数回のデータの平均値を用いた場合の、期間差検出数を示すグラフである。
【符号の説明】
【０１７１】
１  ビーカ
２  制御ユニット
３  センサ
４  尿
４１  センサ部
４２  入力部
４３  表示部
１００、２００、３００、４００  尿中１日排泄量測定装置
２０１  接続部
２０２  カーソル左移動ボタン
２０３  カーソル右移動ボタン
２０４  測定開始ボタン
２０５  排泄時刻情報ボタン
２０６  測定結果送信ボタン
２０７  表示部
２１１  ＣＰＵ
２１５  メモリ
２１６  計時部
２１７  送信部
２１８  入力部
２３０  排泄時刻情報ボタン
２４０  結果表示ボタン
２５０  カーソル移動ボタン
２６０  測定報知メニューボタン
３０１  尿量センサ
３０２  塩分センサ
３０３  クレアチニンセンサ
４１１、９１１  尿中成分量算出部
４１３、７１３  １日尿中排泄量算出部
４１５、７１５  尿中成分量蓄積部
４１６、７１６  回帰式格納部
４１７  アドバイス格納部
４１８  平均１日尿中排泄量算出部
７１２  ８時間補正部
７１４  排泄時刻情報判定部
７１７  報知メニュー表示部
７１８  報知時刻テーブル格納部
９１４  回帰式算出部
【手続補正３】
【補正対象書類名】図面
【補正対象項目名】全図
【補正方法】変更
【補正の内容】
【図１】
2007123245.tif 000027
【図２】
2007123245.tif 000028
【図３】
2007123245.tif 000029
【図４】
2007123245.tif 000030
【図５】
2007123245.tif 000031
【図６】
2007123245.tif 000032
【図７】
2007123245.tif 000033
【図８】
2007123245.tif 000034
【図９】
2007123245.tif 000035
【図１０】
2007123245.tif 000036
【図１１】
2007123245.tif 000037
【図１２】
2007123245.tif 000038
【図１３】
2007123245.tif 000039
【図１４】
2007123245.tif 000040
【図１５】
2007123245.tif 000041
【図１６】
2007123245.tif 000042
【国際調査報告】
2007123245.tif 000043
2007123245.tif 000044
2007123245.tif 000045
2007123245.tif 000046